(57)【要約】【課題】投票データから投票者を特定することが原理的に不可能であり、投票の秘密保持に万全なセキュリティを有する投票データ生成方法及び電子投票装置並びに電子投票プログラムを提供することにある。【解決手段】電子投票の際、投票結果を電磁的記録媒体４０８に記録し投票データを作成するにあたり、電磁的記録媒体４０８の記録領域を複数の投票データファイル４０７ａ，４０７ｂ…４０７ｎに分割し且つ記録領域に間隔なくランダムに記録するようにする。【選択図】　図１
2004005277.tif 000002
【特許請求の範囲】
【請求項１】
電子投票による投票の際、単一の電磁的記録媒体に対して複数の選挙人による投票結果を記録することにより投票データを生成する投票データ生成方法であって、
前記電磁的記録媒体に複数のファイルを作成するステップと、
前記作成されたファイルに対して、前記投票結果をランダムに振り分けるステップと、
前記振り分けられた投票結果を、前記ファイルの各々に対して順次記録するステップと、
前記記録が行われた時刻情報を記録するステップと、
を有することを特徴とする投票データ生成方法。
【請求項２】
前記時刻情報を消去するステップをさらに有することを特徴とする請求項１に記載の投票データ生成方法。
【請求項３】
前記順次記録を行うステップは、前記電磁的記録媒体の記録領域に未記録の間隔領域を設けず、前記間隔領域を埋めるよう記録することを特徴とする請求項１又は２に記載の投票データ生成方法。
【請求項４】
電子投票による投票の際、単一の電磁的記録媒体に対して複数の選挙人による投票結果を記録することにより投票データを生成する電子投票装置において、
投票開始に先立って、複数のファイルを前記電磁的記録媒体に作成するファイル作成手段と、
前記作成されたファイルに識別コードを記録する識別コード記録手段と、
投票開始後において、当該選挙の候補者の情報を前記選挙人に対して報知するための報知手段と、
前記選挙人による前記候補者の選択入力操作を受け付ける入力手段と、
前記報知手段及び前記入力手段により前記選挙人が選択した候補者のレコードデータを一時記憶する一時記憶手段と、
前記一時記憶手段に蓄えられた前記レコードを、前記選挙人が確認する入力を行ったときに、前記レコードを記録するためのファイルを前記複数のファイルの中から選択するファイル選択手段と、
前記選択されたファイルに対して前記一時記憶手段に蓄えられた前記レコードを順次書き込む書込手段と、
前記記録が行われた時刻情報を書き込む書込手段と、
を有することを特徴とする電子投票装置。
【請求項５】
前記時刻情報を消去する手段をさらに有することを特徴とする請求項４に記載の電子投票装置。
【請求項６】
前記順次記録を行う記録手段は、前記電磁的記録媒体の記録領域に未記録の間隔領域を設けず、前記間隔領域を埋めるよう記録することを特徴とする請求項４又は５に記載の電子投票装置。
【請求項７】
電子投票による投票の際、単一の電磁的記録媒体に対して複数の選挙人による投票結果を記録することにより投票データを生成する電子投票装置を制御するための電子投票プログラムにおいて、
投票開始に先立って、複数のファイルを前記電磁的記録媒体に作成するステップと、
前記ファイルのいずれかを、前記選挙人の投票が行われる毎にランダムに選択するステップと、
前記選択されたファイルに対し、前記選挙人の前記投票結果を一時的に記憶した記憶手段の情報を順次記録するステップと、
前記記録が行われた時刻情報を記録するステップと、
を有することを特徴とする電子投票プログラム。
【請求項８】
前記時刻情報を消去するステップをさらに有することを特徴とする請求項７に記載の電子投票プログラム。
【請求項９】
前記順次記録を行うステップは、前記電磁的記録媒体の記録領域に未記録の間隔領域を設けず、前記間隔領域を埋めるよう記録することを特徴とする請求項７又は８に記載の電子投票プログラム。
【請求項１０】
電子投票による投票の際、単一の電磁的記録媒体に対して複数の選挙人による投票結果を記録することにより投票データを生成する電子投票装置を制御するための電子投票プログラムにおいて、
すべての前記選挙人の投票開始前において、前記電磁的記録媒体に、前記投票データを格納するための個数Ｎのファイルを作成する第１ステップと、
前記ファイルの各々に０〜Ｎ−１のインデックスを含むファイルネームを付与する第２ステップと、
前記選挙人による投票開始後において、当該選挙の候補者の情報を前記選挙人に対して報知するための報知手段に出力するとともに、前記選挙人が選択入力した候補者のレコードを一時記憶手段に蓄積する第３ステップと、
前記一時記憶手段における前記候補者レコードを前記選挙人が確認する入力を行ったときに、乱数を生成する第４ステップと、
生成した前記乱数の値を前記ファイルの個数Ｎで割った剰余値Ｋを計算する第５ステップと、
前記ファイルネームに含まれる前記インデックスがＫであるファイルをオープンする第６ステップと、
オープンされた前記ファイル上に、前記一時記憶手段に蓄えられた前記候補者レコードを、ファイル上のデータに追加して隙間なく書き込む第７ステップと、
ファイルの書き込みが終了すると、当該ファイルをクローズする第８ステップと、
クローズされた前記ファイルの時刻の情報を固定値に補正する第９ステップと、
を有することを特徴とする電子投票プログラム。
【請求項１１】
前記第３ステップ乃至第９ステップの処理を、すべての選挙人による投票が終了するまで継続するためのループ処理を有することを特徴とする請求項１０に記載の電子投票プログラム。
【発明の詳細な説明】
【０００１】
【発明の属する技術分野】
本発明は、国内外の公職選挙などの際に、情報処理装置を用いて投票を行うための電子投票システムに関する。
【０００２】
【従来の技術】
近年の情報技術（ＩＴ：Ｉｎｆｏｒｍａｔｉｏｎ　Ｔｅｃｈｎｏｌｏｇｙ）の進展に伴い、選挙のＩＴ化を目的とした、電子投票システムの技術開発が行われている。総務省のホームページ上で公開されている「電子機器利用による選挙システム研究会報告書」および「同中間報告書」によれば、今後の電子投票の普及形態は、
［第１段階］選挙人が指定された投票所において電子投票機を用いて投票する段階（ネットワークを使用しない投票）、
［第２段階］指定された投票所以外の投票所においても投票できる段階（専用回線を使用したネットワーク投票）、
［第３段階］投票所での投票を義務づけず、個人の所有するコンピュータ端末を用いて投票する段階（公衆回線を使用したネットワーク投票）、
の３つの段階を経ることが予想されている。現在の電子投票制度は、日本国内はもとより、諸外国においても、一部の試験的選挙を除いて未だ第１段階にある。第２段階及び第３段階は、ネットワークセキュリティの問題や、個人認証の方法等に課題を有しており、実用化の目処は立っていない。
【０００３】
上記文献によれば、第１段階の電子投票の方式は、
１）タッチパネル方式
２）テンキー／キーボード方式
３）ボタン方式
４）マークシート方式
５）パンチカード方式
のいずれかに分類される。
上記の４）〜５）は、投票者により施された投票用紙上のマークあるいは穿孔を光学的に読み取ることにより電子的な票を得るものであり、わが国の記号式投票に類似するものである。４）〜５）は、紙媒体上に物理的な票が残るため集計結果の検証が容易である反面、マークミスや穿孔ミス等による集計時の読み取りエラーへの対応が困難であるという課題を有する。かかる課題を解決するために、特許第２６６９４７１号公報には、４）マークシート方式の投票用紙をＯＭＲ（Ｏｐｔｉｃａｌ　Ｍａｒｋ　Ｒｅａｄｅｒ）等により光学的に読み取って投票の有効／無効を判断し、無効投票の場合には再投票させる技術が開示されている。この技術は、マークすべき箇所の間違い等のＯＭＲが読み取り可能なマークミスに対しては有効な手段を提供するものであるが、塗り潰し不良等のＯＭＲが読み取り不可能なマークミスに対しては依然として課題を残している。また、５）パンチカード方式に対しても、穿孔ミスの読み取りに関する有効な手立てはなく、２０００年の米国大統領選挙で露呈されたように、深刻なトラブルを引き起こす可能性があり、未だ信頼性を確立する技術は開示されていない。
【０００４】
一方、上記の１）〜３）は、紙媒体を経由せずに投票内容を直接的に電磁的記録媒体フロッピー（登録商標）ディスク（以下ＦＤと記す）やＩＣカード、ＭＯ、ＣＤ、メモリカード、ハードディスク等に記録して、投票の記録原本を生成することが可能であり、直接記録方式あるいはＤＲＥ方式（ＤＲＥ：Ｄｉｒｅｃｔ　Ｒｅｃｏｒｄｉｎｇ　Ｅｌｅｃｔｒｏｎｉｃ　Ｖｏｔｉｎｇ）と呼ばれ、プログラムのエラーや機械の故障がない限り、高い精度で正確性が保証できるとされている。尚、ＩＴ革命の以前は、１）〜３）の方式であって紙媒体に記録原本を生成するタイプのものが特開昭５７−１９９０８３号公報等に開示されてきたが、そのような方式は上記した第２段階以降のネットワーク化への発展性を有していないため時代の流れにそぐわない等の理由から現在ではあまり見られず、世界各国における技術開発は直接記録方式が主流となっている。
【０００５】
上記した直接記録方式による１）〜３）の電子投票は、
（１）ペーパーレス化が可能
（２）無効票・疑問票を無くすことができる
（３）障害者への対応が容易である
等の利点を有している。特に、（１）及び（２）の観点からの発明としては、１）タッチパネル方式に関する特許第２７４７１７１号公報が知られている。一方、上記の（３）の観点からの発明としては、本出願人が特許出願している未公開
発明（特願２００１−１１２４９１、特願２００１−１９１９４、特願２００１−２４９６６、特願２００１−５３９７２、特願２００１−２６０６１９等）がある。これらの発明によれば、バリアフリー技術により、選挙人が電子機器を使用して候補者を選択する際に、投票者の身体的な障害の種類に応じて１）〜３）の方式を選んで投票することが可能である。
【０００６】
ところで、上記した電子投票に関する種々の発明は、出願時においては、わが国の法律の規制により実施することができなかったものである。しかし、その後に法改正が行われ、地方公共団体の議会の議員及び長の選挙について、条例により電磁的記録式投票機（電子投票機）を用いた投票を行うことができるよう公職選挙法の特例を定める法律「地方公共団体の議会の議員及び長の選挙に係る電磁的記録式投票機を用いて行う投票方法等の特例に関する法律」（電磁記録投票法）が、２００２年２月１日から施行され、第１段階の形態による実施が可能となった。これに伴い、国内で電子投票を導入した場合に選挙事務を支障なく、公正、適正に、確実に執行することができるよう、信頼性、安全性を確保するために、電子投票システムが技術的に具備すべき条件を定めた「電子投票システムに関する技術的要件及び解説」が総務省より提示され、この開発指針に基づいたより具体的なレベルの技術開発が国内メーカーにより活発に行われるようになってきた。また、法改正に呼応して地方自治体の動きも活発化してきており、２００２年６月の市長選挙及び市議会議員選挙において全国に先駆けて電子投票を実施予定である岡山県新見市の「新見市電子投票導入研究会報告書」、実施化に向けた詳細な検討を行っている東京都の「東京都電子投票制度検討研究会報告書」等の文献が公開されている。
【０００７】
さて、上記した直接記録方式は、投票内容を記録する際に紙媒体の代わりに電磁的記録媒体に記録を行うものであるが、上記文献に記載されているように、一つの記録媒体に投票者一人の投票データを記録する方法と、一つの記録媒体に複数の（あるいは全ての）投票者の投票データを記録する方法とがある。
前者は、特開２０００−４８０９４等に開示されているように、例えばＩＣカード（投票カード）を記録媒体として、投票者個人とリンクしない形で投票データを保存し、ＩＣカード自体を回収する方法である。投票データを物理的に個々に分けて保存しているため、現行の紙による投票方式と類似しているが、有権者の数だけ媒体を用意する必要があり、媒体の購入や送致、開票集計にコストや手間がかかるという課題を有する。
後者は、本出願人によって出願された特願２００２−１１１８７２等に記載されているように、投票端末機器等に装着した電磁的記録媒体に投票データをまとめて保存する方法である。この方法は、投票所ごとの集計や投票した順番からの投票者と投票データの関連づけができないように配慮する必要があるが、前者に比べてコスト等の面で優れている。この方法の課題である投票者と投票データの関連付けをなくすための手段として、本出願人による上記出願の発明の詳細な説明で触れられているように投票データをランダムな場所に記録するという方法がある。
【０００８】
図２１は、かかるランダム記録の従来技術を説明するための概念図である。原本用記録媒体４０８（投票の記録原本とされる電磁的記録媒体）の上に、一つのファイルとして保存された投票データ４０７が、複数の投票者の投票結果から成る様子を示している。例えば、ファイルの先頭領域を示す最上段には、この原本用記録媒体４０８が装着された投票装置で投票を行った複数の投票者のうち、３番目に投票した投票者が選んだ候補者レコード（すなわち、候補者名や選挙種別等を含むデータの集合）が書き込まれていることを示している。そして、このファイルの次の領域には１番目に投票した投票者が選択確定した候補者レコードが書き込まれており、さらにその次の領域には２番目に投票した投票者が選択確定した候補者レコード、以降の領域も同様に５番目、４番目、６番目、８番目、７番目、１０番目・・・という具合に、ランダムな位置に記録されている。言うまでもなく、これらの記録の際には、記録時刻に関する情報や、投票者固有の情報が含まれないようしてある。このように、複数の投票者による投票結果を、投票が行われる度に、記録媒体の一つのファイル上のランダムな場所に記録することにより、投票者と投票データとのリンクを容易に切断し、時系列での投票者推定を排除することとしている。
【０００９】
【発明が解決しようとする課題】
ところが、上記した従来のランダム記録の方法は、次のような問題点を有している。図６６は、従来の投票データ記録方法をさらに詳しく説明する図である。実際のファイル記録を行う際には、まず所定のサイズの空き領域がブロック単位で確保され（「ブランク」として図示）、そのブロック内でランダム記録が行われる。そして、そのブロックに対して投票結果の書き込みが行われた結果、空き領域がなくなると、新たな空き領域をブロック単位で確保して、そのブロック内のブランク領域を埋めていく形で、同様なランダム記録が行われる。例えば、同図に示すように、まず投票者５人分の投票結果を記録可能なサイズの空き領域のブロック１が確保され、１番目の投票者の投票結果（「投票データ１」として図示）がブロック１における５つの空き領域のいずれか、例えば上から２段目の領域に記録される。次に、２番目の投票者の投票結果（「投票データ２」として図示）が、ブロック１における残り４つの空き領域のいずれか、例えば３段目の領域に記録される。そして、３番目の投票者の投票結果（「投票データ３」として図示）が、ブロック１における残り３つの空き領域のいずれか、例えば１段目の領域に記録される。以下、同様に、４番目及び５番目の投票者の記録が行われ（「投票データ４」、「投票データ５」として図示）、ブロック１に空き領域がなくなると、ブロック２を新たに作成する。ブロック２においても、同様に６番目から１０番目までの投票者の投票結果（「投票データ６」〜「投票データ１０」）が、ランダムな位置に記録される。
【００１０】
この方法の問題点は、開票の際に「最後の投票者の投票データが特定可能な場合があり得る」ということである。すなわち、同図において、ブロック３における１１番目の投票者が、当該電磁的記録媒体が装着された投票装置における最後の投票者であり、かつ、記録の単位ブロックが５人毎であることが開票者に知られている場合、ブロック３における残りの４つが空き領域であることから、唯一データが存在する領域のデータが、最後の投票者のものであることが特定されてしまうことになる。
もちろん、ここでいうブロックとは単なるデータ処理上の概念であって、開票時に投票データ４０７をいくら解析したところで単位ブロックが５人毎であることを知ることは不可能である。したがって、もし単位ブロックのサイズさえ不明であれば、この１１番目の投票者が最後の投票者であることを特定されることはない。例えば、同図にブロック１´（ダッシュ）及びブロック２´（ダッシュ）として図示するように、もし投票者６人分が単位ブロックであった場合には、１１番目の投票者はブロック２´に含まれ、最後の投票者はブロック２´内における５つのデータのいずれであるかを特定できないからである。
しかしながら、かかる単位ブロックのサイズは、情報処理装置に対する命令のひとつとして人為的に定められたものであり、少なくともプログラムの開発者は知り得るものである。したがって、たとえプログラマに守秘義務を課したとしても、予期しない要因により、開票者や権限のない第三者に情報が漏洩するおそれがある。また、実際にこのような機密漏洩が起こるか否かに関わらず、原理的に投票の秘密が守られない可能性が排除されない限り、選挙人は安心して選挙を行うことができない。そもそも、投票の秘密保持は、憲法に定められた選挙の根幹に関わるものであるから、投票者の追跡の可能性がたとえ僅かであっても残されたままでは、電子投票制度に対する信頼性を確立することは不可能である。
【００１１】
さらに、従来のランダム記録には、開票時におけるブロック内の空き領域の扱いが運用上面倒であるという問題もある。すなわち、最後のブロックに存在する空き領域は、データが存在しないゼロの（ＮＵＬＬ）状態であるが、これは従来の自書式投票における投票箱内部の木屑等の扱いと同様に、開票時に無視できないとする見解があり、集計のデータ処理を行う上で、かかるゼロデータの存在は好ましいものではない。
【００１２】
本発明は、上記状況を鑑みなされたものであり、一つの記録媒体に複数の投票者の投票結果を記録する直接記録方式の電子投票装置において、如何なる人間も投票データから投票者を特定することが原理的に不可能であり、投票の秘密保持に万全なセキュリティを有する投票データ生成方法及び電子投票装置並びに電子投票プログラムを提供することを目的とする。
【００１３】
【課題を解決するための手段】
本発明は、上記課題を解決するために、以下の１）〜１１）記載の手段よりなる。
すなわち、
１）電子投票による投票の際、単一の電磁的記録媒体に対して複数の選挙人による投票結果を記録することにより投票データを生成する投票データ生成方法であって、
前記電磁的記録媒体に複数のファイルを作成するステップと、
前記作成されたファイルに対して、前記投票結果をランダムに振り分けるステップと、
前記振り分けられた投票結果を、前記ファイルの各々に対して順次記録するステップと、
前記記録が行われた時刻情報を記録するステップと、
を有することを特徴とする投票データ生成方法。
２）前記時刻情報を消去するステップをさらに有することを特徴とする１）に記載の投票データ生成方法。
３）前記順次記録を行うステップは、前記電磁的記録媒体の記録領域に未記録の間隔領域を設けず、前記間隔領域を埋めるよう記録することを特徴とする１）又は２）に記載の投票データ生成方法。
４）電子投票による投票の際、単一の電磁的記録媒体に対して複数の選挙人による投票結果を記録することにより投票データを生成する電子投票装置において、
投票開始に先立って、複数のファイルを前記電磁的記録媒体に作成するファイル作成手段と、
前記作成されたファイルに識別コードを記録する識別コード記録手段と、
投票開始後において、当該選挙の候補者の情報を前記選挙人に対して報知するための報知手段と、
前記選挙人による前記候補者の選択入力操作を受け付ける入力手段と、
前記報知手段及び前記入力手段により前記選挙人が選択した候補者のレコードデータを一時記憶する一時記憶手段と、
前記一時記憶手段に蓄えられた前記レコードを、前記選挙人が確認する入力を行ったときに、前記レコードを記録するためのファイルを前記複数のファイルの中から選択するファイル選択手段と、
前記選択されたファイルに対して前記一時記憶手段に蓄えられた前記レコードを順次書き込む書込手段と、
前記記録が行われた時刻情報を書き込む書込手段と、
を有することを特徴とする電子投票装置。
５）前記時刻情報を消去する手段をさらに有することを特徴とする４）に記載の電子投票装置。
６）前記順次記録を行う記録手段は、前記電磁的記録媒体の記録領域に未記録の間隔領域を設けず、前記間隔領域を埋めるよう記録することを特徴とする４）又は５）に記載の電子投票装置。
７）電子投票による投票の際、単一の電磁的記録媒体に対して複数の選挙人による投票結果を記録することにより投票データを生成する電子投票装置を制御するための電子投票プログラムにおいて、
投票開始に先立って、複数のファイルを前記電磁的記録媒体に作成するステップと、
前記ファイルのいずれかを、前記選挙人の投票が行われる毎にランダムに選択するステップと、
前記選択されたファイルに対し、前記選挙人の前記投票結果を一時的に記憶した記憶手段の情報を順次記録するステップと、
前記記録が行われた時刻情報を記録するステップと、
を有することを特徴とする電子投票プログラム。
８）前記時刻情報を消去するステップをさらに有することを特徴とする７）に記載の電子投票プログラム。
９）前記順次記録を行うステップは、前記電磁的記録媒体の記録領域に未記録の間隔領域を設けず、前記間隔領域を埋めるよう記録することを特徴とする７）又は８）に記載の電子投票プログラム。
１０）電子投票による投票の際、単一の電磁的記録媒体に対して複数の選挙人による投票結果を記録することにより投票データを生成する電子投票装置を制御するための電子投票プログラムにおいて、
すべての前記選挙人の投票開始前において、前記電磁的記録媒体に、前記投票データを格納するための個数Ｎのファイルを作成する第１ステップと、
前記ファイルの各々に０〜Ｎ−１のインデックスを含むファイルネームを付与する第２ステップと、
前記選挙人による投票開始後において、当該選挙の候補者の情報を前記選挙人に対して報知するための報知手段に出力するとともに、前記選挙人が選択入力した候補者のレコードを一時記憶手段に蓄積する第３ステップと、
前記一時記憶手段における前記候補者レコードを前記選挙人が確認する入力を行ったときに、乱数を生成する第４ステップと、
生成した前記乱数の値を前記ファイルの個数Ｎで割った剰余値Ｋを計算する第５ステップと、
前記ファイルネームに含まれる前記インデックスがＫであるファイルをオープンする第６ステップと、
オープンされた前記ファイル上に、前記一時記憶手段に蓄えられた前記候補者レコードを、ファイル上のデータに追加して隙間なく書き込む第７ステップと、
ファイルの書き込みが終了すると、当該ファイルをクローズする第８ステップと、
クローズされた前記ファイルの時刻の情報を固定値に補正する第９ステップと、
を有することを特徴とする電子投票プログラム。
１１）前記第３ステップ乃至第９ステップの処理を、すべての選挙人による投票が終了するまで継続するためのループ処理を有することを特徴とする１０）に記載の電子投票プログラム。
【００１４】
【発明の実施の形態】
以下、本発明のにつき、好ましい実施例により説明する。図１は、本実施例に適用される投票データ生成方法を示す概念図である。同図は、電磁的記録媒体例えば、ＦＤ、メモリカード、ハードディスク等の上に作成された、複数のファイル（投票データファイル４０７ａ、４０７ｂ、・・・４０７ｎとして図示）の各々に対して、複数の投票者による投票結果が記録される様子を示している。
電磁的記録媒体には、投票開始前、例えば媒体上にデータが存在しないことを確認する「ゼロ票確認」等の際に、ファイルサイズが零のＮ個のファイル（投票データファイル４０７ａ、４０７ｂ〜４０７ｎ）が生成される。そして、投票が開始されると、投票者が投票を確定する毎に、Ｎ個のファイルのうちいずれか一のファイルをランダムに選択してオープンして記録することにより、各々のファイルにランダムに分散させて記録する。例えば、１番目の選挙人の投票結果を有する投票データ１は、投票データファイル４０７ａに書き込まれ、２番目の選挙人の投票結果を有する投票データ２は、投票データファイル４０７ｂ書き込まれる。記録ファイルの選択は、情報処理装置で発生させた擬似乱数等を用いて、均一に選択されるように行う。
各々のファイルの中では、投票データが時間的順序に従って、逐次的に書き込まれる。例えば、同図に図示するように、投票データファイル４０７ａには、１番目、３番目及び４番目の選挙人の投票結果を有する投票データ１、投票データ３、及び投票データ４が、順次書き込まれる。従って、従来の１つのファイルにランダム記録する方法では必要であったブランク領域は確保する必要がない。また、当然のことながら、ファイルの更新日時を消去するか、例えば投票に際して固有の投票日情報のみに設定し、記録順序を追跡不可能とする。
【００１５】
図２は、本実施例に適用される投票データ生成方法のフローチャートである。まず、ステップＨ１において、Ｎ個の投票データ格納用ファイルが電磁的記録媒体上に作成される。ここでＮは２以上の自然数であり、予め設定された固定値である。例えばＮ＝１０に設定する。Ｎ個のファイル同士を識別するために、ファイル名には０〜（Ｎ−１）の数値を付す。例えば、ＶＴＰ％％％％％％％％（Ｎ−１）．ｖｏｔあるいはＶＴＳ％％％％％％％％（Ｎ−１）．ｖｏｔなどとする。ただし、％％％％％％％％は、当該電磁的記録媒体が装着された情報処理装置を識別する数値（後述する実施例における投票機シリアル番号２０３ａ）、「．ｖｏｔ」は投票データであることを識別する拡張子、「ＶＴＰ」および「ＶＴＳ」は各々原本（Ｐｒｉｍａｒｙ　Ｖｏｔｉｎｇ　ｄａｔａ）及び複写（Ｓｅｃｏｎｄａｒｙ　Ｖｏｔｉｎｇ　ｄａｔａ）を意味する。また、これらのファイルは、上記したようにまだ何も記録されていない空のファイルである。
これらの投票データファイルの準備ができた後に、最初の投票者の投票を開始する（ステップＨ２）。投票中においては、選挙の候補者の氏名等を各投票者に対して表示を行うとともに、投票者の入力操作を受け付ける（ステップＨ３）。ステップＨ４の条件分岐において、投票者が選択した候補者を確認する入力がなされ、投票結果がキャッシュ等の記憶領域に蓄えられた場合には（ステップＨ４における「ＹＥＳ」）、ステップＨ５に移り、任意の桁の乱数を発生させる。
そして、この乱数の値Ａを、ファイルの数Ｎで割った剰余Ｋ、すなわち
Ｋ　＝　Ａ　（ｍｏｄ　Ｎ）により、０からＮ−１の範囲の数値Ｋを得る（ステップＨ６）。次にステップＨ７において、Ｎ個のファイルのうちＫ番目のファイル、すなわちファイル名がＶＴＰ％％％％％％％％Ｋ．ｖｏｔであるようなファイルをオープンする。そして、ステップＨ８において、ファイル上に、キャッシュ内の投票結果を書き込む。この際の記録は、それまでの投票データファイルに追記する形で行われるので、ブランク領域は生じない。ファイルの書き込みが終了すると、ファイルが正常に書き込まれたことの照査を行った後に、当該ファイルをクローズする（ステップＨ９）。そして、ステップＨ１０において、ファイルの更新日時を任意の固定値に補正することにより、時刻情報を抹消する。こうして、ステップＨ３〜Ｈ１０までの処理が、すべての選挙人による投票が終了するまで継続される（ステップＨ１１における「ＮＯ」）。
【００１６】
以下、さらに具体的に、電子投票制度の普及段階における第１段階のシステムに適用した場合について説明する。
図３は、本発明の実施例に係る電子投票装置２０３を用いた電子投票システムの全体構成の一例を示す図である。同図に示す電子投票システムは、選挙管理委員会や中央選挙管理会などの選挙管理組織によって管理されるものであり、大別して、選挙データ作成システム１００、投票所システム２００、開票所システム３００により構成される。なお、選挙データ作成システム１００は全国の自治体毎に複数存在し、また投票所システム２００も、各々の選挙データ作成システム１００に対して投票区毎に複数設置されるシステムであり、さらに開票所システム３００も開票区毎に複数設置される。したがって、複数の選挙データ作成システム１００、及び複数の投票所システム２００、複数の開票所システムが存在するが、同図では、簡略のため、１つの選挙データ作成システム１００、２つの投票所システム２００、２つの開票所システム３００のみが図示されている。
【００１７】
選挙データ作成システム１００は、選挙データ管理作成機１０１と選挙データメディアコピー機１０２とを有している。選挙データ管理作成機１０１は、実施選挙の種類４０２（単記式候補者選挙や、非拘束名簿式比例代表選挙などの選挙の種類のこと）、カード認証キー（以下認証キーとも言う）４０３及び投票プログラム４０４の管理、候補者名・政党登録の更新・削除などを管理し、候補者画面と選挙データから構成される候補者データ４０１を作成することにより、後述する電子投票装置用や投票カード発券機用及び投票データ収集・集計機用の選挙データマスター４００を投票前に事前に作成するサブシステムである。
特に、候補者名・政党名の登録の際には、候補者の氏名、所属政党、読み仮名、経歴、公約などのデータをテキスト形式データとして、ハードディスクやメモリなどの格納手段（不図示）内に格納する。また、これらのデータは、視覚障害者に対して音声ガイドを行なうために、ＡＤＰＣＭ（Ａｄａｐｔｉｖｅ　Ｄｉｆｆｅｒｅｎｔｉａｌ　Ｐｕｌｓｅ　Ｃｏｄｅ　Ｍｏｄｕｌａｔｉｏｎ）やＭＰ３（エム・ピー・スリー：ＭＰＥＧ−１／Ａｕｄｉｏ　Ｌａｙｅｒ３、ＭＰＥＧ：Ｍｏｔｉｏｎ　Ｐｉｃｔｕｒｅ　Ｅｘｐｅｒｔｓ　Ｇｒｏｕｐ）などの適切な圧縮形式の音声データとして記憶される。さらに、候補者の顔写真やポスターなどの画像情報などはＪＰＥＧ（ジェイペグ：　Ｊｏｉｎｔ　Ｐｈｏｔｏｇｒａｐｈｉｃ　Ｅｘｐｅｒｔｓ　Ｇｒｏｕｐ）などの適切な圧縮形式の画像データとして記憶される。なお、この選挙データ管理作成機１０１は、ＰＣ（パーソナルコンピュータ：　Ｐｅｒｓｏｎａｌ　Ｃｏｍｐｕｔｅｒ）によって実現可能である。
【００１８】
選挙データ管理作成機１０１が作成する選挙データマスター４００には、投票プログラム４０４、候補者データ４０１、カード認証キー４０３が記録される。カード認証キー４０３とは、本実施例では、ＩＣカードの読取りを認証するためのキーである。選挙データマスター４００は、通常１つのメディアとして作成され、選挙管理組織（以下、選挙管理委員会、選管ともいう）が有する試験用機器により試験され、承認された場合に、選挙データメディアコピー機１０２に移送される。
【００１９】
選挙データメディアコピー機１０２は、選管によって試験されて承認された選挙データマスター４００のデータを、複数のメディアに複製するための装置である。この選挙データメディアコピー機１０２により作成されるメディアは、後述する投票所システム２００を構成する電子投票装置２０３に対して配布される記録媒体（複写用記録媒体）４０９と投票所の投票カード発券機に対して配布される記録媒体（発券機用メディア）２０２である。
【００２０】
複写用記録媒体４０９には、投票プログラム４０４、候補者データ４０１、カード認証キー４０３が、選挙データマスター４００から複製され、記録される。なお、複写用記録媒体４０９とは別に原本用記録媒体４０８が用意され、原本用記録媒体４０８には、データを何も記録しない空き状態で電子投票装置２０３に配布される。投票プログラム４０４とは、電子投票装置２０３において、画面及び音声ガイダンスなどを含む候補者データ４０１とカード認証キー４０３を用いて、投票の制御と投票データの記録管理を実行するアプリケーションプログラムである。また、カード認証キー４０３とは、投票カード初期化や投票カードの有効性の認証を行なうためのデータである。
【００２１】
投票カード発券機２０１に予め内蔵される発券機用メディア２０２には、実施選挙の種類４０２、カード認証キー４０３が、選挙データメディアコピー機により選挙データマスター４００から複製され、記録される。発券機用メディア２０２とは、投票カード発券機２０１を起動するために必要な記録媒体である。メディアとしてはＦＤやＩＣカードなどが使用される。
【００２２】
投票所システム２００は、投票カード発券機２０１と電子投票装置２０３を有している。投票カード発券機２０１は、住民基本台帳に基づいて作成された選挙人名簿又は抄本に記載された選挙人にあらかじめ配布された入場整理券（主に、選挙人に郵送される葉書）との対照により本人確認を行った後、記載されている選挙人特性（障害の種類）に応じて、投票カード４０６を発行するための装置である。投票カード４０６は、例えば、ＩＣカードを用いることにより、多くの情報を蓄積することができる。この投票カード４０６には、後述する図２３において図示されるようにカード発券年月日、選挙人の障害の種類を示す選挙人特性ＩＤ２０２１、言語区分、選挙の種類を示す選挙ＩＤ、投票種別、などのデータが記憶される。
【００２３】
投票カード発券機２０１は、投票管理者が所有管理する運用カード４０５をも発行する機能を有する。投票管理者は、投票カード発券機２０１を使い、投票カード認証キー４０３を使用して作成した固有の投票所ＩＤ４０５５（以下、管理ＩＤともいう）を運用カード（以下、管理者カードともいう）４０５に記録する。運用カード４０５には、選挙管理委員会が生成した全投票所で共通のカード認証キー４０３を用いて生成される投票所ＩＤ４０５５が記録される。運用カード４０５は、ＩＣカードなどで実現され、投票所ＩＤ４０５５は投票所毎に異なる固有値を取る必要がある。運用カード４０５は、電子投票装置２０３に挿入されると、電子投票装置２０３に装着された複写用記録媒体４０９上のカード認証キー４０３を使用して運用カード４０５の読取りを認証し、投票所ＩＤ４０５５を読み取る。読み取られた投票所ＩＤ４０５５は、電子投票装置２０３のＲＡＭ４５３（ディスクメモリ等）に格納される。こうして、投票所に固有の投票所ＩＤが投票カード発券機２０１から電子投票装置２０３に伝播され、電子投票装置２０３が、選挙人から投票カード４０６を受付可能な状態となる。このとき、投票カード４０６にはこの投票所ＩＤ（管理ＩＤ）が記録されて発券されるため、この投票所における投票カード発券機２０１で発行された投票カード４０６以外の投票カードは、異なる投票所ＩＤを有することから、受け付けられないこととなる。
【００２４】
投票カード４０６には、投票所ＩＤ４０５５以外に、選挙人が入出力手段を選択できる情報が投票カード発券機２０１において記録される。例えば、入場整理券の選挙人特性欄に視覚障害者の記載がある選挙人の投票カード４０６には、投票所において視覚障害者であることを示す選挙人特性ＩＤ２０２１が記録され、選挙人に貸与される。この選挙人が投票カード４０６を電子投票装置２０３に挿入した場合、視覚障害者用の投票モードになり、適切な表示入力モードが選択される。なお、この投票カード４０６には、憲法１５条に定められた投票の秘密を守るため、カードを使用する選挙人を特定できるような個人情報は記憶されないようにすることが好ましい。したがって、投票カードとして、住民基本台帳カードなどの個人情報が記録されたカードを利用する場合には、電子投票装置２０３による個人情報の読取りを制限する必要がある。
【００２５】
電子投票装置２０３は、投票所に複数台設置され、選挙人による投票を受け付けるための装置である。電子投票装置２０３は、投票所に設置された時点では、選挙に係るデータは何ら格納されておらず、空の投票箱の状態である。選挙データシステム１００から電子投票装置２０３に対して実施選挙に係るデータの移送が完了して初めて、電子投票装置としての機能を果たすようになる。すなわち、選挙データメディアコピー機１０２から可搬性のある複写用記録媒体４０９により、投票プログラム４０４及び候補者データ４０１、カード認証キー４０３が移送され、電子投票装置２０３の記憶手段（後述するＲＡＭ４５３）に記録される。
【００２６】
また電子投票装置２０３は、投票終了後においては、選挙人の投票内容を記録した投票データ４０７及び電子投票プログラム（以下投票プログラムとも言う）４０４などの電子投票装置２０３内部に存在する選挙に係る全てのデータは、記憶手段が揮発性メモリを使用していることにより、電源切断時にＲＡＭ４５３から自動的に消去される。そして、メモリカードなどの可搬性のある記録媒体（すなわち原本用記録媒体４０８及び複写用記録媒体４０９）が開票所システム３００に送致される。このように、投票時間の間だけ、電子投票装置２０３に選挙に係るデータやソフトウェアが置かれるようにすることによって、第三者による不正操作の危険を極めて低くすることが可能となる。
【００２７】
電子投票装置２０３は、投票日の投票開始時刻の前に、投票カード発券機２０１によって発行された識別コードである投票所ＩＤ４０５５を、投票開始に先立って運用カード（管理者カード）４０５により読込んで電子投票装置内部に記憶する機能を有する。そして、電子投票装置２０３は、投票開始時刻の後には、本人確認を済ませた有権者（以下、選挙人、投票者ともいう）に対して投票カード発券機２０１により発券された投票カード４０６を読み取る機能を有する。投票カード４０６には、同一投票所内では上述した運用カード４０５に記録されたものと同一の投票所ＩＤが記録されており、投票者が電子投票装置２０３に対して投票カード４０６を挿入したときに、認証キー４０３によりデータ読取りの認証が成功した後に、カードに記録された投票所ＩＤを読み込んで電子投票装置内部の投票所ＩＤと比較照合することにより、挿入された投票カードの真正性を判定する。また電子投票装置２０３は読み取る投票カード４０６には、投票所ＩＤ４０５５の他に、上記した選挙人特性ＩＤ２０２１や、投票可能な選挙の種類（図３では実施選挙の種類４０２として図示）に対応する投票権利を示す投票フラグ２０２２が記録されている。これらのデータは、上記投票所ＩＤ４０５５の照合が成功した後に、順次読み取られる。
【００２８】
なお、本実施例においては、投票所システム２００における複数の電子投票装置２０３の各々が投票データ４０７を記録可能な電磁的記録媒体を有するよう構成しているが、これを、投票所システム２００内でローカルエリアネットワーク（ＬＡＮ）を構築し、各々の電子投票装置２０３のデータをオンラインで１台のサーバに伝送し、サーバが可搬性のある電磁的記録媒体に投票データ４０７を記録するようなシステム構成としてもよい。
【００２９】
開票所システム３００は、データ収集・集計機３０１、集計結果を印刷するプリンタを有している。
投票データ収集・集計機３０１は、複数の投票所に設置されて電子投票装置２０３の投票データ４０７及び投票装置シリアル番号２０３ｓ（個々の電子投票装置の製造時に付与されたシリアル番号）を収集し、両者を関連付けて格納手段（不図示）に格納するための装置である。本実施例では、投票データ４０７の収集方法としては、可搬性のある原本用記録媒体４０８による物理的な搬送手段を用いる。なお、本発明の他の実施形態として、投票所システム２００と開票所システム３００とを電気通信回線によりネットワーク接続し、電磁的記録媒体４０８、４０９に記録されたデータを読み出して、ネットワーク伝送するように構成することも可能である。このような電磁的記録媒体とネットワークを併用するハイブリッド方式のネットワーク型システムを採用した場合、常時接続を必要とせず、投票所を閉じる時刻の後に一括してデータ伝送を行なうことができるため、伝送におけるセキュリティをより高めることが可能である。
【００３０】
以下、図３に示す電子投票装置を構成するハードウェアおよびソフトウェアの詳細について、図４以降の図面を用いて説明する。
図４は、本実施例に適用される電子投票装置２０３の外装の一例を示す斜視図である。電子投票装置２０３は、液晶表示装置２０３１１（以下ＬＣＤともいう。ＬＣＤ：Ｌｉｑｕｉｄ　Ｃｒｙｓｔａｌ　Ｄｉｓｐｌａｙ）及びタッチパネル２０３１３、及び図示しないタッチパネルコントロール基板、後述するインバータ基板２０３１２並びに筐体部から構成されるディスプレイユニット２０３１を有している。ＬＣＤ２０３１１は、投票に係る情報を、投票者に視覚的に報知する。本実施例におけるＬＣＤ２０３１１のサイズは１５インチであり、誰にとっても見やすい大きさの画面表示を行なうのに十分な大きさと解像度（１０２４×７６８画素）を有している。
【００３１】
タッチパネル２０３１３は、上記ＬＣＤの上面に重ね合わせて配置され、指やスタイラスペンで触れることにより座標入力が可能な抵抗膜式の透明タブレットである。タッチパネル２０３１３は、ＬＣＤ以上の解像度（４０９６×４０９６画素）を有しており、ＬＣＤ上にＧＵＩ（グラフィカル・ユーザー・インターフェース：Ｇｒａｐｈｉｃａｌ　Ｕｓｅｒ　Ｉｎｔｅｒｆａｃｅ）により表示された操作ボタンをタッチパネル上から押下する際に、確実な識別が可能となっている。また、投票カード４０６の読取りを行なう投票カード記録読取手段２０３２（以下、カード記録読取手段、カードリーダライタ、カードＲ／Ｗともいう）を有する。さらに、音声による投票操作ガイドを行なうスピーカ（音声出力手段）２０３３を有している。
【００３２】
また、電子投票装置２０３は、投票所の投票管理者が管理する南京鍵２０３０ａによって開閉可能なフロントドア２０３０を有している。フロントドア２０３０の内部には、後述するように、投票データ４０７や投票ログ４０７５等を記録する記録媒体（原本用記録媒体４０８、複写用記録媒体４０９）を挿入するスロット等が格納されており、フロントドア２０３０を本南京錠２０３０ａにより施錠することにより、第三者によるメディアへの不正脱着を防止することとしている。また、フロントドア２０３０には、開閉状態を電気的に検出可能なセンサ２０３１０が配置されており、投票中においては、フロントドア２０３０が開いた場合に、異常として検出し、状態表示灯２０３０１の操作表示灯２０３０１ｂに表示する。
【００３３】
ＬＣＤおよびタッチパネルを含むディスプレイユニット２０３１は、誰にとっても利用しやすい高さおよび形状を実現するため、水平面に対して１５度の傾きを有するように構成されており、投票所において電子投票装置２０３を自書式投票用の記載台の上に設置した際に、立位の投票者による目視が容易であり、かつ投票者背面によりの盗み見を防止できるような角度に設定されている。
【００３４】
電子投票装置２０３は、状態表示灯２０３０１を除く外装部の大きさが、幅３５０ｍｍ×奥行３５０ｍｍ×高さ１９０ｍｍであり、図示しない保管箱に収納した状態で５段の積み重ねが可能である。また、従来自書式投票において使用されてきた記載台の上にも設置することが可能である。また、電子投票装置２０３の重量は約８ｋｇ程度であるので一人で十分運搬可能であり、投票所への運搬又は設置等の選挙事務に支障のない重量である。
【００３５】
図５は、本実施例に適用される電子投票装置２０３の外装の一例を示す斜視図である。ディスプレイユニット２０３１の筐体部は、表示面の傾き（チルト）を調整可能な機構をさらに有し、しかもタッチパネル操作時に安定性を有する支持機構（図示せず）を具備させて、車椅子の選挙人等が座した状態でも操作し易いようなバリアフリー仕様とすることが好ましい。ただし、この表示面の角度は、必ずしも任意の角度に調整可能であるように構成する必要はない。同図は、表示面を設置面に対して９０度（垂直）に配置した場合の斜視図である。図４及び図５に図示するように、表示部の傾きは、水平面（設置面）に対して１５度または９０度の２種類のみから投票者が選択することとしても、実際上差し支えないことが、全国の身体障害者に対する実地試験により明らかになっている。そこで、これ以外の角度に対する調整機構を省略することにより、図示しない支持機構の製作費用を低減することができる。なお、表示部を立てた状態で使用するときは、投票時に、背後にいる人間の盗み見により投票の秘密が漏れないように、投票所の壁面を背にする等、適切な向きで設置することが好ましい。
【００３６】
図６は、本実施例に適用される電子投票装置２０３の外装の一例を示す上面図である。同図に示す電子投票装置２０３の上面図は、ディスプレイユニット２０３１を倒した状態（すなわち水平面から１５度の状態）を図示している。電子投票装置２０３は、ロックブラケット２０３０ｂを有している。ロックブラケット２０３０ｂは、南京錠２０３０ａ等の鍵のシャックル部が貫通できるような穴を有しており、その穴の径は、鍵のシャックル部が十分に出し入れできる程に大きく、かつ施錠時にフロントドア２０３２にガタが生じない程度の大きさを有している。
また、電子投票装置２０３は、スタイラスペン２０３１ａを保持するペンホルダ２０３１ｂを有している。電子投票装置２０３のタッチパネル入力操作に使用するスタイラスペン２０３１ａは、投票者がタッチパネルを指で触れる代わりに選択的に用いるものであり、適度に先の尖ったペン形状の物品であれば、どのようなものでも使用可能である。
【００３７】
電子投票装置２０３は、スライドカバー２０３５を有している。同図では、スライドカバー２０３５が半分だけ開いた状態が図示されている。スライドカバー内部に、状態表示灯２０３０１を電子投票装置内部のハードウェアに接続するための状態表示灯ケーブル２０３０１ｄを有している。状態表示灯ケーブル２０３０１ｄは、ポール２０３０１ｃ（図７に図示）の内部を通し、本体リア部にコネクタ接続される。この状態表示灯ケーブル２０３０１ｄは、後述する電子投票装置内部のマザーボード４５０及び直流電源２０３１５に接続され、投票操作及び電源状態をランプの点灯状態により表示することにより、電子投票装置２０３から離れた場所にいる人が視覚的にモニター可能である。
【００３８】
なお、図６には図示されていないが、スライドカバー内部には、表示または入力に関するバリアフリーオプションを接続するための複数の端子が配置されている。例えば、候補者選択項目が巡回的に移動するスキャン入力画面において使用可能な運動機能障害用プッシュスイッチ２０３７１で行なう投票モードで使用する運動機能障害用プッシュスイッチ端子２０３７を有する。また、視覚的に候補者画面表示を認識困難な選挙人が使用可能な、触覚認識用ピンディスプレイ及び盲人用キーボードを配置した視覚障害者用専用キーボード２０３８１を接続する視覚障害者用専用キーボード端子２０３８を有する。さらに、ディスプレイユニット２０３１を使用せずに音声のみで投票を行なう投票モードで使用する音量調整付きヘッドホン２０３９１を接続するヘッドホン端子２０３９等が配置されている。
【００３９】
図７は本実施例に適用される電子投票装置２０３の外装の一例を示す正面図である。電子投票装置２０３が有する状態表示灯２０３０１は、電源表示灯２０３０１ａ、操作表示灯２０３０１ｂ、ポール２０３０１ｃから構成されている。電源表示灯２０３０１ａは、操作表示灯とは異なる色（例えば赤色）のＬＥＤ（発光ダイオード：Ｌｉｇｈｔ−Ｅｍｉｔｔｉｎｇ　Ｄｉｏｄｅ）により構成され、消灯、点滅、点灯の３状態により、ＡＣ電源２０３１６、ＤＣ電源２０３１５（停電用に電子投票装置に内蔵された内部バッテリ又は電子投票装置に接続した外部バッテリ）等の電源駆動状態の確認表示を行なう。例えば、ＬＥＤ消灯状態をＡＣ電源供給駆動中、ＬＥＤ点滅状態をＡＣ電源供給無し、かつ外部バッテリ接続無し（内蔵バッテリ駆動中）、ＬＥＤ点灯状態をＡＣ電源供給無し、かつ外部バッテリ接続駆動中などと定義することにより、電子投票装置から離れた投票立会人等が電源状態を常に視覚的に監視することができる。操作表示灯２０３０１ｂは、上記した電源表示灯とは異なる色（例えば緑色）のＬＥＤにより構成され、消灯、点滅、点灯の３状態により、投票状態の確認表示を行なう。
【００４０】
例えば、ＬＥＤ点灯状態を投票中、ＬＥＤ消灯状態を投票待ち受け中、ＬＥＤ点滅状態をエラー発生時などと定義し、投票管理者や投票立会人が不正操作が行われていないかどうか、電子投票装置２０３から離れた位置から監視することができる。エラー発生の例としては、投票データを記録する記録媒体や電源スイッチ等を格納するフロントドア２０３２が投票中に開いたことをフロントドア開閉センサ２０３１０で検出した場合、後述する投票カードの読取エラーが発生した場合等が挙げられる。ポール２０３０１ｃは、伸縮自在な４段式ポールであり、先端部に２色のＬＥＤ（緑、赤）を取付けた構造となっている。本実施例では、最大延長時約１１０ｃｍの長さを有し、記載台（高さ７５ｃｍ）に設置した際の高さが、有権者の平均的な身長よりも高くなるようにして、投票所内の投票管理者や投票立会人が監視しやすいように設定されている。
【００４１】
電子投票装置２０３は、投票確定ＬＥＤ２０３４を有している。投票確定ＬＥＤ２０３４とは、選挙人による候補者選択確認後、原本用記録媒体４０８に投票データ４０７及び投票ログ４０７５が正常に記録された場合、投票データ４０７の投票確定が完了したことを示す表示ＬＥＤである。ただし、投票確定は、後述するように、投票データ４０７と投票ログ４０７５が原本用記録媒体４０８に記録確認された時点で成立する。また、投票確定ＬＥＤ２０３４は、投票操作中に不測の障害が発生した場合に、投票が完了しているか否かを明確にさせる機能をも有している。
【００４２】
電子投票装置２０３は、カード挿入ガイドＬＥＤ２０３２ａを有する。カード挿入ガイドＬＥＤ２０３２ａとは、カード記録読取手段２０３２の挿入口を投票者に対して明示するためのランプである。カード挿入ガイドＬＥＤ２０３２ａは、点灯状態が投票カード４０６（あるいは運用カード４０５）が挿入中、点滅状態が投票カード４０６が（あるいは運用カード４０５）未挿入又はカード抜取り待ち中であることを意味する。
電子投票装置２０３は、電源ランプ２０３０８（以下、ＡＣ入力確認用ＬＥＤともいう）を有する。電源ランプ２０３０８は、商用電源であるＡＣ１００Ｖ（５０／６０Ｈｚ）が入力されているか否かをモニターするための、緑色ＬＥＤである。
【００４３】
図８は本実施例に適用される電子投票装置２０３の外装の一例を示す正面図（フロントドアオープン時）である。フロントドア２０３２の内部には、原本用記録媒体用スロット２０３０３、複写用記録媒体用スロット２０３０４、電源スイッチ２０３２が格納されている。投票時においては、フロントドア２０３２は、ロックブラケット２０３０ｂ部分に小型の南京錠２０３０ａにより、投票管理者が施錠を行なうので、第三者が不正にフロントドア内部に触れることが禁止されている。なお、同図には図示されていないが、フロントドア開閉センサ２０３１０（図１０に図示）も格納されており、不測のフロントドアの開錠を監視するための二重鍵の機能を果たしている。
【００４４】
原本用記録媒体用スロット２０３０３に装着される原本用記録媒体４０８とは、選挙人により、候補者選択確認後最初に投票データ４０７が記録される記録媒体をいう。通常は投票データ記録後、投票ログ４０７５も記録される。投票所へ送付される原本用記録媒体４０８は、一般的にデータが何も記録されていないブランクメディアであり、投票データは「ゼロ票」である必要がある。また、複写用記録媒体用スロット２０３０４に装着される複写用記録媒体４０９とは、原本用記録媒体４０８のバックアップ用として、原本用記録媒体に投票データ記録後に同一データが複写記録される媒体をいう。投票所へ送付される複写用記録媒体は、電子投票装置２０３を立ち上げるための投票プログラム４０４、候補者データ４０１、投票カード認証キー４０３等のデータが供給される場合もある。これらの記録媒体として、ＦＤ等や、書き換え型コンパクトディスク（ＣＤ−ＲＷ：Ｃｏｍｐａｃｔ　Ｄｉｓｋ　Ｒｅｗｒｉｔａｂｌｅ）等の様々な電磁的記録媒体（電子的方式、磁気的方式その他人間の知覚によっては認識することのできない方式で作られる記録であって、電子計算機による情報処理の用に供されるものに係る記録媒体）を使用することが可能であるが、本実施例においてはメカ部不要の不揮発性メモリであるコンパクト・フラッシュ・メモリカード（登録商標：以下ＣＦメモリカードと記す）を使用することにより、故障要因を排除することとしている。
【００４５】
これらのＣＦメモリカードは、ＣＦメモリカードアダプター（メモリカードソケット）を使用して、原本用記録媒体用スロット２０３０３、複写用記録媒体用スロット２０３０４に装着される。メモリカードソケットは、ＣＦ・タイプ１専用ＰＣＭＣＩＡ（ＰＣＭＣＩＡ：Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｃｉａｔｉｏｎ：ＰＣカードの規格管理を行っている団体）インターフェースカードを使用することができる。原本用記録媒体用スロット２０３０３、複写用記録媒体用スロット２０３０４は、ダブルプッシュボタンタイプ（対メディアソケット）、すなわちメディア脱着レバーが一度目のプッシュ操作で脱着操作が有効となり、二度目のプッシュでメディアが脱着される機構タイプのもので構成されており、装着されたメモリカードを容易に脱着可能である。
【００４６】
電源スイッチ２０３２は、電子投票装置２０３の、ＡＣ１００Ｖ商用電源の投入・切断を行なうスイッチである。実際の電源電圧の入力状態は、電源ランプ２０３０８又は電源表示灯２０３０１ａ等で確認することができる。
【００４７】
図９は本実施例に適用される電子投票装置２０３の外装の一例を示す背面図である。電子投票装置２０３は、ボリューム２０３３ａ、電源ケーブル、外部ディスプレイ端子２０３０２等を有している。ボリューム２０３３ａは、上記したスピーカ２０３３の音量を調整するために用いられる。装置背面部分に、ボリューム２０３３ａを配置したのは、投票中において、選挙人がみだりにボリューム操作を行なうこと防止するためである。一方、施錠されたフロントドア２０３２内部に配置しなかったのは、必要なときは投票立会人が投票プログラムを中断させることなく随時調整を行なうことを可能とするためである。なお、ディスプレイユニット２０３１を使用せずに、音声ガイダンスによる投票を行なう選挙人がバリアフリー用ヘッドホン２０３９１を使用する場合には、バリアフリー用ヘッドホン２０３９１をヘッドホン端子２０３９に接続した際に、スピーカ音量が自動的に切断される。ヘッドホンの音量調整は、付属の音量調整機能を用いて行なう。
【００４８】
電子投票装置２０３は、外部ディスプレイ端子２０３０２を有している。外部ディスプレイ端子２０３０２には、例えば、頭部に装着して使用する視覚用ディスプレイであるヘッドマウントディスプレイを接続することが可能である。これは、起き上がることが困難な選挙人や、不随意運動を伴う肢体不自由の選挙人のようにディスプレイユニット２０３１を継続的に視野に入れることが難しい選挙人が、ディスプレイユニット２０３１の代わりに使用することができる。
【００４９】
図１０は、本実施例に適用される電子投票装置２０３内部のハードウェア構成の一例を示す図である。マザーボード４５０は、その基板上に、ＣＰＵ４５１（ＣＰＵ：Ｃｅｎｔｒａｌ　Ｐｒｏｃｅｓｓｉｎｇ　Ｕｎｉｔ）、ＲＯＭ４５２（ＲＯＭ：Ｒｅａｄ　Ｏｎｌｙ　Ｍｅｍｏｒｙ）、ＲＡＭ４５３（ＲＡＭ：Ｒａｎｄｏｍ　Ａｃｃｅｓｓ　Ｍｅｍｏｒｙ）、各種機器を接続するためのバスやコネクタ等を有している。
ＲＯＭ４５２は、ＯＳとハードウェアの間のデータ受け渡しを制御する基本ソフトであるＢＩＯＳ（ＢＩＯＳ：Ｂａｓｉｃ　Ｉｎｐｕｔ／Ｏｕｔｐｕｔ　Ｓｙｓｔｅｍ）を格納する読み取り専用メモリである。　ＲＡＭ４５３は、揮発性のメインメモリであり、複写用記録媒体４０９よりロードされた投票プログラム４０４や候補者データ４０１等のデータを投票の間だけ一時的に格納するＲＡＭディスクとして機能する。
【００５０】
シリコンディスク４５４（ｓｉｌｉｃｏｎ　ｄｉｓｋ）は、ＣＦメモリカードを使用したディスクメモリであり、ＩＤＥ規格（ＩＤＥ：Ｉｎｔｅｇｒａｔｅｄ　Ｄｅｖｉｃｅ　Ｅｌｅｃｔｒｏｎｉｃｓ）のインターフェースにより、マザーボード４５０と接続されている。シリコンディスク４５４には、ＯＳ４１１（ＯＳ：Ｏｐｅｒａｔｉｎｇ　Ｓｙｓｔｅｍ）及び各種ドライバが格納されており、システムディスクとして機能する。一般的に使用されるシステムディスクであるハードディスク（ＨＤ：ＨａｒｄＤｉｓｋ）と異なり、磁気ヘッドのような物理的な駆動部分がないので故障率が低く、しかも高速アクセスが可能である。以下、シリコンディスク４５４をシステムディスク４５４ともいうこととする。
【００５１】
マザーボード４５０には、ＶＲＡＭ４５６及び、ＬＣＤ２０３１１がＬＶＤＳ（ＬＶＤＳ：Ｌｏｗ　Ｖｏｌｔａｇｅ　Ｄｉｆｆｅｒｅｎｔｉａｌ　Ｓｉｇｎａｌｉｎｇ　高速、低消費電力の画像情報汎用インターフェース標準）により接続されている。ＬＣＤ２０３１１は、大きさが対角１５インチ（３８．１ｃｍ）のＴＦＴ液晶（ＴＦＴ：Ｔｈｉｎ　Ｆｉｌｍ　Ｔｒａｎｓｉｓｔｏｒ薄膜トランジスタ）であり、解像度１０２４×７６８ピクセル、ＲＧＢ６４階調２６万色のカラー画面を、１７０ｃｄの明るさで表示できる。
【００５２】
ＬＣＤ２０３１１上に重ねて配置された透明タブレットであるタッチパネル２０３１３は、ＲＳ−２３２規格（直列データ伝送用の標準インターフェース）によりマザーボード４５０と接続されており、大きさが対角１５インチ、分解能１０２４×１０２４画素の性能を有する。タッチパネル２０３１３の入力操作の検出方式は、水や埃に対する耐環境性に優れる抵抗膜方式を用いることが好ましい。なお、抵抗膜方式とは、２枚のガラスの間に設けられた電極（透明導電性基板）が指やスタイラスペンの押圧によって通電するのを電気的に検知するものである。
【００５３】
カードリーダライタ２０３２は、本実施例に適用される投票カード４０６または運用カード４０５の一例である、ＩＣカードの読み出しまたは書込みを行なう装置であり、マザーボード４５０とＲＳ−２３２インターフェースにより接続される。カードリーダライタ２０３２は、投票カード４０６又は運用カード４０５を自動で搬入及び排出を行なう。カードの搬送速度は約２００ミリメートル毎秒であり、搬送時間は１／４秒である。
【００５４】
スピーカ２０３３は、音声ガイダンス用であり、非障害者、運動機能障害者共に対応する。電子投票装置２０３のカード挿入口近傍に配置される。
音量調整用ボリューム２０３３ａは、スピーカ音量の調整を行なう。ヘッドホンの音量には影響しない。
【００５５】
本実施例に適用される原本用記録媒体４０８又は複写用記録媒体４０９の一例であるＣＦメモリカードは、ＣＦメモリアダプタに装着され、ＰＣＭＣＩＡインターフェースにより、マザーボード４５０と接続されている。原本用記録媒体４０８には、投票データ、投票ログが記録され、複写用記録媒体４０９には、原本用データのバックアップ記録がなされる。これらのメディアのパッケージには、混同を防ぐために、各々「原本」又は「副本」に印刷表示が施されている。
【００５６】
状態表示灯２０３０１は、緑色ＬＥＤである操作表示灯２０３０１ｂ及び赤色ＬＥＤである電源表示灯２０３０１ａの２色のランプから構成されている。操作表示灯２０３０１ｂは、ＧＰＩＯ規格（ＧＰＩＯ：Ｇｅｎｅｒａｌ　Ｐｕｒｐｏｓｅ　Ｉｎｐｕｔ／Ｏｕｔｐｕｔ）インターフェースにより、マザーボード４５０と接続されており、投票状態の確認表示を行なう。操作表示灯２０３０１ｂの表示は、ランプの点灯、消灯、点滅の３状態を用いて表現される。例えば、点灯を投票中、消灯を投票待ち受け中、点滅をエラー発生時と表すように定義する。
【００５７】
一方、電源表示灯２０３０１ａは、直流電源（ＤＣ電源ともいう）２０３１５に接続されており、電源駆動状態の確認表示を行なう。電源表示灯２０３０１ａも、同様に上記の３状態を用いて表現できる。例えば、消灯をＡＣ電源（交流電源ともいう）供給駆動中を表し、点滅をＡＣ電源供給無し、かつ外部電池２０３１６接続無し（すなわち内蔵電池２０３１４駆動中）を表し、点灯をＡＣ電源供給無し、かつ外部電池２０３１６接続駆動中などと定義する。なお、外部電池２０３１６とは、電子投票装置２０３の外部に専用接続コネクタにて接続されるバッテリをいい、長期停電時の投票を可能にする。実施例としては、車載用バッテリが挙げられる。
【００５８】
投票確定ＬＥＤ２０３４は、選挙人による候補者選択確認後、原本用記録媒体４０８に投票データ４０７及び投票ログ４０７５が正常に記録された場合、投票データの投票確定が完了したことを選挙人に報知するための表示ＬＥＤである。投票確定ＬＥＤ２０３４は、マザーボード４５０とＧＰＩＯインターフェースにより接続されている。投票確定ＬＥＤ２０３４が、点灯保持状態のときは、投票データの原本用記録媒体への正常記録時を表し、消灯状態のときは投票カード抜き取り時を表すように定義する。投票確定ＬＥＤ２０３４は、ハードウェア制御により点灯及び消灯を行なうため、たとえ投票操作中にソフトウェアに起因するハングアップ等の不測の障害が発生した場合においても点灯状態が保存され、エラー発生時点で投票が完了していたか否かを明らかにすることが可能である。
【００５９】
このように、本実施例に適用される電子投票装置２０３には、投票管理者や操作者のためにＬＣＤ２０３１１による画面表示以外に動作状態を示す表示機能が備わっている。これらの表示状態は、ＧＰＩＯでラッチされているため、投票プログラム４０４が停止状態であっても、電源が通電状態であり、回路が動作していれば、その情報は保存される。
【００６０】
カードガイドＬＥＤ２０３２ａは、カードリーダライタ２０３２のカード挿入口に複数個配置され、投票カード４０６及び運用カード４０５の挿入又は抜き取りの案内を選挙人に対して行なうためのＬＥＤである。カードガイドＬＥＤ２０３２ａは、マザーボード４５０とＧＰＩＯインターフェースにより並列接続されている。カードガイドＬＥＤ２０３２ａは、点灯状態が、ＩＣカード挿入中を表し、点滅状態が、ＩＣカード挿入待ち状態を表す。
【００６１】
電源ＬＥＤ２０３０８（ＡＣ入力確認用ＬＥＤともいう）は、ＡＣ電源（日本国内の商用交流電源にあっては交流１００Ｖ、周波数５０Ｈｚ又は６０Ｈｚのもの）が供給されていることを監視するためのＬＥＤである。電源ＬＥＤ２０３０８は、直流電源２０３１５とＧＰＩＯインターフェースにより接続され、直流電源２０３１５に対して入力されるＡＣ電源の電圧を監視する。電源ＬＥＤ２０３０８は、点灯状態がＡＣ電源供給時、消灯状態がＡＣ電源断時を表す。
【００６２】
ジャンクション基板４５５（ジャンクションボードともいう）は、マザーボード４５０とＲＳ−２３２インターフェースにより接続されている。ジャンクション基板とは、基板上にバリアフリー対応の専用キーボード、又はヘッドホン若しくはプッシュスイッチ等を接続することにより、通信制御やデータ通信を行なう専用基板である。ジャンクション基板４５５上には、運動機能障害用プッシュスイッチ端子２０３７、視覚障害者用専用キーボード端子２０３８、ヘッドホン端子２０３９が配置され、バリアフリー対応のオプション装置を接続することができる。運動機能障害用プッシュスイッチ端子２０３７には、電子投票装置２０３のタッチパネル２０３１３による入力が困難な、運動機能障害を有する選挙人が対象とした入力機器である３．５φメーク接点式のプッシュスイッチが接続される。
【００６３】
当該選挙人は、当該プッシュスイッチを使用して、スキャン画面（選択項目が自動的に順次切り替わる投票画面）に従い投票を行なうことができる。視覚障害者用専用キーボード端子２０３８及びヘッドホン端子２０３９には、視覚障害者用専用キーボード２０３８１及び音量調整付きヘッドホン２０３９１が各々接続される。視覚障害を有する選挙人は、机または手に持って入力可能な専用キーボード２０３８１と音声投票用ガイダンスの音量調整付きヘッドホン２０３９１の併用により、音声投票を行なうことができる。視覚障害者対応の音声投票用キーボード（運動機能障害者対応兼用）は、点字が施された６個のファンクションキー（○、×、←、→、△、平たいボタン）から構成され、上下・左右共に２６ｍｍピッチを有する。ジャンクション基板４５５上のヘッドホン端子２０３９に音量調整付ヘッドホン２０３９１が接続された場合には、スピーカ２０３３への接続が自動的に切断される。
【００６４】
ＣＬＯＣＫ４５７（内蔵時計ともいう）は、マザーボード４５０上に装着された時計モジュールである。ＣＬＯＣＫ４５７による時刻の情報は、例えば、投票の監査記録（監査証跡）として、投票操作を含む動作状態を記録した投票ログ４０７５を作成する際に使用する。
【００６５】
図１１は、本実施例に適用される電子投票装置２０３内部のＲＡＭ４５３内部のデータ構造の一例を示す図である。ＲＡＭ４５３は、投票が行われている間、投票プログラム４０４を一時的に格納する投票プログラム領域４０４ｂを有する。投票プログラム４０４は、選挙データ作成システム１００における選挙データメディアコピー機１０２において、選挙データマスター４００から複写用記録媒体４０９に複製されて、投票所システム２００に配布されたものである。複写用記録媒体４０９が、複写用記録媒体用スロット２０３０３を介して電子投票装置２０３に装着されると、プログラムローダー４３６により、投票プログラム４０４がＲＡＭ４５３上の投票プログラム領域４０４ｂにロードされる。
【００６６】
ＲＡＭ４５３は、候補者データ４０１を格納する候補者データ領域４０１ｂを有する。
ＲＡＭ４５３は、投票カード４０６及び運用カード４０５の読取に係る認証キー４０３を格納する認証キー領域４０３ｂを有する。
ＲＡＭ４５３は、発券機２０１が発行した乱数である投票所ＩＤを格納する投票所ＩＤ領域４０５５ｂを有する。
ＲＡＭ４５３は、選挙人による投票データ４０７が原本用記録媒体４０８及び複写用記録媒体４０９に記録されて照合が行われるまでの間、一時的に投票データ４０７を格納する投票データ領域４０７ｂを有する。このキャッシュ領域は、固定されたアドレスに存在するわけではない。空きのある番地に適宜割り振られる。
【００６７】
ＲＡＭ４５３は、投票ログ４０７５を格納する投票ログ領域４０７５ｂを有する。
ＲＡＭ４５３は、後述するシステムディスクに記録されたＯＳ４１１及びドライバ、投票プログラム４０４、候補者データ４０１等を複製して格納するローカルディスク領域４０７５ｂを有する。
【００６８】
図１２は、本実施例に適用される電子投票装置２０３内部のシステムディスクとして用いられるシリコンディスク４５４内部のデータ構造の一例を示す図である。
シリコンディスク４５４は、プログラムローダー４３６を格納する領域を有する。プログラムローダー４３６は、投票プログラム４０４を複写用記録媒体４０９よりロードするプログラムである。
シリコンディスク４５４は、投票装置シリアル番号記録部２０３ｓを格納する領域を有する。
【００６９】
シリコンディスク４５４は、Ｉ／Ｏ制御部４１２を格納する領域を有する。Ｉ／Ｏ制御部４１２は、データの入出力の際、データを１ビットずつ連続的に入力又は出力する制御を行なうためのプログラムである。
シリコンディスク４５４は、ウインドウ制御部４１３を格納する領域を有する。ウインドウ制御部４１３は、タッチパネルＬＣＤ２０３１などに表示される画面の中で、枠などによって区切られた表示部分の管理を行なうためのプログラムである。
シリコンディスク４５４は、ファイル制御部４１４を格納する領域を有する。ファイル制御部４１４は、ファイルの登録、追加、修正、削除などのファイル保守、特定ファイルへのアクセスを制限するファイル保護などを行なうためのプログラムである。
【００７０】
シリコンディスク４５４は、カード制御部４１５を格納する領域を有する。カード制御部４１５は、カード発券機２０１が発行した投票カード４０６または運用カード４０５の搬入、搬出及び、読取り及び書き込みなどを制御するためのプログラムである。
シリコンディスク４５４は、タッチパネル制御部４１６を格納する領域を有する。タッチパネル制御部４１６は、タッチパネル２０３１３上でのタッチパネルからの入力を制御するためのプログラムである。
シリコンディスク４５４は、ジャンクション基板制御部４１８を格納する領域を有する。ジャンクションボックス制御部４１８は、バリアフリー対応入出力機器接続端子２０３７、２０３８、２０３９、２０３０２を介して電子投票装置２０３に接続される各種の外部入出力装置を制御するためのプログラムである。
【００７１】
シリコンディスク４５４は、ＯＳ４１１を格納する領域を有する。ＯＳ４１１は、特に限定されるものではないが、例えば、米国マイクロソフト社製ＯＳである、ウィンドウズ（登録商標）ＮＴエンベデッドを使用することが可能である。このＯＳ４１１は、機器制御に特化した組み込み型ＯＳであり、マウスやキーボードなどの外部入力装置がない状態でも動作することが可能である。そして、シリコンディスクに記録されたＯＳその他のシステムディスクをＲＡＭ４５３のローカルディスク領域４５４ｂ上にコピーして動作させることが可能である。
【００７２】
なお、シリコンディスク４５４は、工場出荷時に、必要なプログラムデータと固有の機器管理用シリアル番号である電子投票装置シリアル番号記録部２０３ｓを書き込み後、ライトフィルター処理され、読み出し専用メモリ（ＲＯＭ）となる。本処理により、電子投票装置２０３でのシステムディスクの書き換えはできないこととなる。
【００７３】
図１３は、本実施例に適用される電子投票装置２０３内部のＲＡＭ４５３に、複写用記録媒体４０９よりロードされて格納される投票プログラム４０４の構造の一例を示す図である。
投票プログラム４０４は、カード読取部４３１を有する。カード読取部４３１は、ＩＣカードなどの形態で提供される投票カード４０６又は運用カード４０５が、カード記録読取手段２０３２に搬入された後、カードに記録されたデータを読み取るのを制御するためのプログラムである。
【００７４】
投票プログラム４０４は、候補者データ読取部４３２を有する。候補者データ読取部４３２は、ＲＡＭ４５３上に格納された候補者データ４１５を構成するデータベース（図１４〜図２０において後述する）の電子的な読取を制御するためのプログラムである。
投票プログラム４０４は、投票画面作成部４３３を有する。投票画面作成部４３３は、選挙人が投票を行なう際にＬＣＤ２０３１１に表示される画面の作成を制御するためのプログラムである。画面作成に必要な候補者情報又はレイアウトの情報は、候補者データ４０１に含まれる後述するデータベース（後述する図１８における固定画面レイアウトテーブル４０１ｄ、及び図１９における投票画面レイアウトテーブル４０１ｅ）上から読み取られる。
【００７５】
投票プログラム４０４は、投票データ記録部４３４を有する。投票データ記録部４３４は、選挙人の投票データ４０７（投票結果）を、可搬性のある電磁的記録媒体に記録することを制御するためのプログラムである。すなわち、投票データ記録部４３４は、ＲＡＭ４５３の投票データ領域４０７ｂに読み込まれた投票データ４０７を原本用記録媒体４０８に記録した後に、ＲＡＭ４５３との照合を行い、さらに複写用記録媒体４０９に複写を行なう。原本、副本の二つの記録媒体に投票データを保存するにあたっては、媒体毎に独立して、ファイルオープン→データ書き込み→ファイルクローズ→キャッシュはき出しを行い、記録を確定させる。このように同時に二つの記録媒体がアクティブな状態を無くすことで、障害時には、最悪いずれか一つの記録媒体のデータを確保することができる。
【００７６】
投票プログラム４０４は、投票制御部４３５を有する。投票制御部４３５は、選挙人が、投票操作することによる、投票画面の切り替えを制御するためのプログラムである。投票画面には、投票可能な候補者を一覧表示する候補者選択画面（図４３に図示）、選挙人が仮選択した候補者を表示し投票意思の確認を行なう候補者確認画面（図５２に図示）等がある。
投票プログラム４０４は、ＯＳ４１１としてウィンドウズ（登録商標）を用いる場合には、このＯＳ４１１に依存する簡易プログラミング言語であるビジュアル・ベーシック（Ｖｉｓｕａｌ　ＢａｓｉｃＴＭ）を使用して作成するのが便利である。
【００７７】
また、投票プログラム４０４は、電磁的記録媒体（複写用記録媒体４０９）を介して供給されるアプリケーションプログラムであって、電子投票装置２０３への常駐は出来ず、電源投入毎にプログラムローダー４３６によりＲＡＭディスク４５３に新たにロードされる。投票プログラム４０４の供給形態は、適当な圧縮形式ファイルであり、電磁的記録媒体よりロードするにあたり、プログラムローダー４３６により、同プログラムの正当性確認を行なうことで改ざんの有無を確認する。正当性の確認は、誤り検出用符号の算出比較により実施する。プログラムロード後、更に圧縮解凍処理時のＣＲＣチェック等の確認により、エラー検出を行なう。
【００７８】
図１４は、本実施例に適用される電子投票装置２０３内部のＲＡＭ４５３に格納される候補者データ４０１の構造の一例を示す図である。候補者データ４０１は、テキスト形式のファイルとして存在する６種類のテーブル（表）から構成されている。すなわち、第１に実施選挙の種類を識別する選挙ＩＤ毎に存在する候補者テーブル４０１ａ１〜４０１ａｎ、第２に政党テーブル４０１ｂ、第３に投票所グループテーブル４０１ｃ、第４に固定画面レイアウトテーブル４０１ｄ、第５に選挙ＩＤ毎に存在する投票画面レイアウトテーブル４０１ｅ１から４０１ｅｎ、第６に表示メッセージテーブル４０１ｆ）が互いに関連付けられたリレーショナルデータベース（ＲＤＢ：Ｒｅｌａｔｉｏｎａｌ　Ｄａｔａ　Ｂａｓｅ）の構造を有する。
【００７９】
さらに、これらのテーブルから参照されるバイナリ形式のファイルである画像ファイル（候補者画像データや政党画像データ）及び音声ファイル（音声ガイドデータ等）が存在する。これらは、各々のテーブルの中から、ファイルの相対位置（パス）を参照することにより関連付けられている。バイナリファイルの参照方法は、あらかじめ指定されたディレクトリに存在する音声または画像ファイルに対しては、テーブルのフィールド部にファイル名を指定することで参照することができる。ディレクトリによるファイル管理は、基本ソフトであるＯＳの機能を利用する。
【００８０】
図１５は、本実施例に適用される候補者データ４０１を構成する候補者テーブル４０１ａ１（選挙ＩＤ＝１用）の一例を示す図である。投票所テーブル４０１ｃは、候補者を識別する候補者ＩＤ４０１ａ１ａ、立候補届出名４０１ａ１ｂ、候補者名ふりがな４０１ａ１ｃ、出身地４０１ａ１ｄ、所属する政党を識別する政党ＩＤ４０１ａ１ｅ等のフィールドを有するテーブルとして構成されている。例えば、候補者ＩＤ４０１ａ１ａのフィールドの値が「００００１」であるレコードは、立候補届出名が「木戸　孝允」、候補者名ふりがな４０１ａ１ｃ「きどたかよし」、出身地４０１ａ１ｄ「山口県」、政党ＩＤ４０１ａ１ｅ「００２」という一連のデータを格納する。
【００８１】
また、候補者テーブル４０１ａ１には、候補者氏名の別の読みも登録されている。従来の自書式投票においては、投票所の記載台に掲示された立候補者の届出名を投票用紙に書き写すだけでよく、実際の候補者名前の読み仮名を知らないでも投票を行なうことができた。例えば、立候補者の登録名が「河野太郎」であった場合、読み仮名が「こうのたろう」なのか「かわのたろう」なのか忘れた、あるいは知らない場合でも、投票用紙には「河野太郎」と書き写すだけで投票することが可能であった。ところが、候補者の頭文字を入力する場合には、読み仮名を知らない限り、検索をすることができない、という制約が生じるおそれがある。かかる、制約が生じないようにするために、本実施例では、間違やすい候補者氏名の別の読み仮名を用意して、上記例では、「こ」又は「か」のいずれを選択したとしても、候補者の「河野太郎」が表示されるようにしている。すなわち、本実施例によれば、立候補者のいろいろな読み方を候補者データとして同時に記録しておくことにより、間違えられそうな読み仮名のいずれでも検索を行なうことが可能となる。
【００８２】
図１６は、本実施例に適用される候補者データ４０１を構成する政党テーブル４０１ｂの一例を示す図である。政党テーブル４０１ｂは、政党ＩＤ、言語ＩＤ、政党名等のフィールドを有している。例えば、政党ＩＤのフィールド値が「００２」であるレコードは、政党名が「長州党」であり、上記した木戸孝允が長州党に所属することを意味する。政党ＩＤのフィールドは、データベース技術における主キーと呼ばれるものであって、図１５における政党ＩＤのフィールドとリレーションシップがとられている。
【００８３】
図１７は、本実施例に適用される候補者データ４０１を構成する投票所グループテーブル４０１ｃの一例を示す図である。投票所グループテーブル４０１ｃは、選挙の種類を識別する選挙ＩＤ及び選挙名、選挙区を識別する選挙区ＩＤ及び選挙区名等のフィールドを有している。選挙ＩＤのフィールドは、投票カード４０６に記録された投票可能な選挙ＩＤの値を投票プログラム４０４が読み込んだ際に、必要な選挙ＩＤのレコードのみが抽出され、使用されることとなる。
【００８４】
図１８は、本実施例に適用される候補者データ４０１を構成する固定画面レイアウトテーブル４０１ｄの一例を示す図である。固定画面レイアウトテーブルは、選挙の種類に無関係な共通の画面レイアウトを規定するためのテーブルである。固定画面レイアウトテーブル４０１ｄは、選挙人（投票者）の身体的な障害の種類を識別する選挙人特性ＩＤ２０２１のフィールドを有している。そして、選挙人特性ＩＤ毎のレコードにおいて、表示画面の種類を識別する画面ＩＤ、画面の機能を識別する機能ＩＤ、表示色を規定する前面色及び背景色、表示文字の書体、サイズ、表示するオブジェクトの水平座標、及び垂直座標等のレイアウトのデータを格納するフィールドを有している。画面ＩＤフィールドは、選挙の種類（すなわち選挙ＩＤ）によって全く異なる画面を、その都度作成するのではなく、少数個からなる共通画面の基本レイアウトを規定するためのフィールドである。そして、この共通の基本レイアウトをベースとしたバリエーションを、色やサイズ、座標、位置合わせ情報などを規定するフィールドで実現している。
【００８５】
本実施例による基本レイアウトとしては、単頁用候補者選択画面、候補者確認画面、候補者選択方式確認画面、候補者番号入力画面、候補者選択頁案内画面、棄権確認画面、複数頁用候補選択画面の７種類のレイアウトで十分である。例えば、単記式候補者選挙における候補者選択画面と拘束名簿式比例代表選挙における政党選択画面は、同一の画面ＩＤを用いて、作成することができる。このように、少数の固定画面を共通化することにより、候補者画面作成が極めて容易になり、選管による候補者データ作成の事務の作業負担を軽減することができる。
【００８６】
図１９は、本実施例に適用される候補者データ４０１を構成する投票画面レイアウトテーブル４０１ｅ１（選挙ＩＤ＝１用）の一例を示す図である。投票画面レイアウトデータベース４０１ｅ１は、選挙の種類や、画面に表示すべき立候補者の数、あるいは選挙人特性ＩＤの値によって、異なる画面のレイアウトを規定するためのテーブルである。投票画面レイアウトテーブルは、選挙人特性ＩＤ、画面ＩＤ、機能ＩＤ、前景色、背景色、サイズ、水平座標、垂直座標等のフィールドを有している。テーブルは、投票カード４０６に記録された実施可能な選挙ＩＤに基づいて必要な投票画面レイアウトテーブルを選択し、さらに選挙人特性ＩＤに基づいて、選挙人の障害毎に適した画面レイアウトを規定する。
【００８７】
図２０は、本実施例に適用される候補者データ４０１を構成する表示メッセージテーブル４０１ｆの一例を示す図である。表示メッセージテーブル４０１ｆは、候補者テーブル４０１ａ１又は政党テーブル４０１ｂ若しくは投票所グループテーブル４０１ｃに格納されてない文字列であって、画面に表示すべきものを規定する。例えば、投票プログラム４０４により、メッセージＩＤ「００００１」のレコードが参照されたときは「投票カードをいれてください。」というメッセージを画面に表示し、選挙人に対して投票カード４０６を電子投票装置２０３に挿入することを促すことができる。
【００８８】
図２１は、本実施例に適用される電子投票装置２０３内部に格納される原本用記録媒体４０８のデータ構造の一例を示す図である。原本用記録媒体４０８とは、選挙人により、候補者選択確認後最初に投票データ４０７が記録される記録媒体を指す。本実施例においては、投票データの記録後に、投票ログ４０７５も記録される。投票所へ送付される原本用記録媒体４０８は、一般的にデータが何も記録されていないブランクメディアであり、投票データは「ゼロ票」である必要がある。投票データは、投票の秘密保持のため、投票データがランダムな順序で記録される。例えば、８番目の投票者の投票データ４０７を格納する投票データ８領域の隣の領域には、２番目の投票者の投票データ４０７を格納する投票データ２領域が割当てられる。その際に、既に図１で述べたように、複数のファイルを確保しておき、それぞれのファイルに対してランダムに投票データ及び投票ログを割り振るようにする。
【００８９】
図２２は、本実施例に適用される電子投票装置２０３内部に格納される複写用記録媒体４０９のデータ構造の一例を示す図である。複写用記録媒体４０９には、選管から配布される投票プログラム４０４、候補者データ４０１、カード認証キー４０３を格納する領域を有している。これらは、上記したように電子投票装置のＲＡＭ４５３にコピーされ用を果たすが、その後もデータは格納されている。そして、原本用記録媒体の投票データ４０７の複製が、これらに追記される形で記録される。
【００９０】
ところで図２１及び図２２のデータ構造を有する原本用記録媒体４０８及び複写用記録媒体４０９は、電子投票における選挙人がいずれの候補者を選択したかの情報を記録する際に、人間の知覚をもってしては認識不可能な方法で記録され、従来の投票用紙による票と形態を異にするものである。電子投票における票を記録する記録媒体は、選挙人による投票情報が電子的又は磁気的又はその他の方式で記録され、コンピュータによる情報処理が可能な記録媒体である。
【００９１】
記録媒体の具体的態様としては、フラッシュメモリが内蔵されたＣＦカードなどが挙げられる。他の規格のメモリカードとして、ＳＤメモリーカード、スマートメディア（登録商標）、メモリースティックなど、マルチメディアカード（登録商標）を用いてもよい。メモリカードは、ハードディスクなどに比べて軽量であり、かつ振動に強いためデータの搬送性、保存性に優れ、しかも安価である。もちろん、電磁的記録媒体として、ＦＤ、光ディスク（ＣＤ、ＤＶＤ）や光磁気ディスク（ＭＯ）などが使用可能であることはいうまでもない。
【００９２】
本実施例では、図２１及び図２２に図示するデータを記録する記録媒体として、１台の電子投票装置に対して２枚のメモリカード（原本用記録媒体４０８、複写用記録媒体４０９）を使用する。本実施例においては、これらは、選挙実施前において、選挙データ作成システム１００から投票所システム２００の電子投票装置２０３に対して選挙に必要なデータを搬送する際の担体としての機能を果たす。そして、投票中においては電子投票装置２０３に装着され、従来の投票用紙の代替物としての機能、すなわち選挙人が投票する候補者名を電磁的なデータとして確実に記録し保持する機能を有する。
【００９３】
そして、投票後においては、投票所システム２００から開票所システム３００に投票データ４０７を搬送する際の担体としての機能を有する。なお、将来法改正がなされた場合において、本発明をネットワーク型システムとして実施する場合には、電磁的記録媒体４０８、４０９は、選挙データ作成システム１００、投票所システム２００、開票所システム３００の各拠点において、ネットワーク送信を行なう前に、データを拠点内で一時的に記録し、蓄積する機能を有する。本発明における電磁的記録媒体を用いないネットワーク型システムに比較して、ネットワーク障害に対するデータ消失の危険性が極めて低くなる。
【００９４】
図２３は、本実施例に適用される電子投票装置２０３内部に挿入される投票カード４０６又は運用カード４０５のデータ構造の一例を示す図である。投票カード４０６又は運用カード４０５には、カードに記録されたデータへのアクセス認証を行なう鍵であるカード認証キー４０３が格納され、電子投票装置２０３のＲＡＭ４５３に記憶されたカード認証キーにより認証が成功した場合にのみ、内部のデータの読み書きが可能となるように構成される。投票カード４０６又は運用カード４０５の内部には、以下のデータが記録されている。すなわち、市区町村ＩＤ、選挙人の障害の種類を示す選挙人特性ＩＤ２０２１、電子投票装置２０３が表示する言語の種類を区別する言語区分、投票所に固有のＩＤである投票所ＩＤ、指定投票所における投票又は不在者投票若しくは巡回投票等を識別する投票種別、カード発券機２０１により発行された発券年月日、複数の選挙を同日に行なう場合の選挙の数である選挙可能件数、実施される選挙の各々（選挙ＩＤ＝１、２〜ｍ、ｎとして図示）に対して投票権利が有るか未発券かを識別する投票フラグ２０２２等のデータを格納する。
【００９５】
選挙人特性ＩＤは、選挙人名簿に基づいて作成され選挙人に予め郵送された入場整理券の選挙人特性欄の記載に基づいて、投票所の係員が、投票カードを発行する際に記録される。例えば、選挙人特性欄に視覚障害者の記載がある選挙人に対しては、投票カード４０６には、視覚障害者であることを示す選挙人特性ＩＤ＝０１が記録される。この選挙人がこの投票カード４０６を電子投票装置２０３に挿入した場合、投票プログラム４０４が当該選挙人特性ＩＤ２０２１を読み取って、対応する候補者データ４０１をデータベースから参照することにより、視覚障害者用の表示入力モードにより投票を行なうことが可能となる。
【００９６】
なお、データが記録された投票カード４０６又は運用カード４０５のメディアは、ＩＣカードを用いることにより、他の記録方式のカードに比較して多くの情報を、しかもデータのアクセス権を設定したりデータ自体をＴＤＥＳ（ＴＤＥＳ：Ｔｒｉｐｌｅ　Ｄａｔａ　Ｅｎｃｒｙｐｔｉｏｎ　Ｓｔａｎｄａｒｄ）等により暗号化したりすることにより安全に蓄積することが可能である。もちろんＩＣカードの代わりに、磁気カードを使用することも可能であるし、また光記録媒体を使用することも可能である。また、計算機ホログラム（ＣＧＨ：Ｃｏｍｐｕｔｅｒ　Ｇｅｎｅｒａｔｅｄ　Ｈｏｌｏｇｒａｍ）の不可逆記録とＩＣカードのハイブリッドカードを用いることも可能である。また、電子ペーパーとして知られた液晶記録媒体に対して記録を行なうことも可能である。あるいは紙による印字媒体に記録された文字又はバーコードを光学的に読み取るＯＭＲ方式（ＯＭＲ：Ｏｐｔｉｃａｌ　Ｍａｒｋ　Ｒｅａｄｅｒ）を用いてもよい。
【００９７】
投票カード４０６には、憲法１５条に定められた投票の秘密を守るため、投票カード４０６を使用する選挙人を特定可能であるような個人情報は一切記録されていない。したがって、投票カードとして、住民基本台帳カード（住民カード、住基カードともいう）のような個人情報が記録されたカードを利用する場合には、電子投票装置２０３が生成する投票データが、個人情報を読み取らないことを保障するような機能が必要になる。
【００９８】
図２４は、本実施例に適用される投票カード４０６に記録される投票フラグ２０２２のデータ構造の一例を示す図である。投票フラグ２０２２は、投票権利の有無の識別子（トークン）であって、従来においては、投票可能か、投票済みかの値によって二重投票を防止することが行われてきた。ところが、このような従来のトークンは投票カード読取のエラーが発生した際の対処が複雑になるという問題があった。すなわち、選挙人が候補者を選択して確認ボタンに触れて原本用記録媒体４０８には投票データは記録されたものの、投票カードに投票済みのフラグの記録する際に書込みエラーが発生した場合、果たして投票確定か否かを直ちに判断することが困難になることである。
【００９９】
そこで、本発明では、投票フラグとして投票済みのフラグを用いることを廃し、投票可能状態、およびカード未発券の２種類のみとした。つまり、投票済みかどうかの判断は投票カード４０６では行わず、投票確定ＬＥＤ２０３４によりハードウェア的に行なうこととしている。そして、二重投票防止の措置として、投票可能であるフラグを確認した後に、電子投票装置内部で投票カードの初期化を行って排出し、再使用不可能とした。さて、選挙ＩＤ＝１の投票フラグである２０２２ａには「投票可能」が、そして選挙ＩＤ＝３の投票フラグ２０２２ｂには「未発券」が、同様に選挙ＩＤ＝３の投票フラグ２０２２ｃには「投票可能」が記録されている。投票プログラム４０４のカード読取部４３１（図２５において詳述する）において、これらの情報を読み取ると、この選挙人が投票できる選挙が選挙ＩＤ＝１及び選挙ＩＤ＝３であると判断する。そして、候補者データ読取部４３２によりこれらの選挙ＩＤに対応する候補者データ４０１をデータベースの各テーブルから抽出して、投票画面作成部４３３により、候補者数等に応じた画面レイアウトを決定し、図４３に図示するような候補者選択画面を表示する。
【０１００】
なお、本発明に係る投票カード４０６は、投票権利を有する選挙人に対して発券するものであるが、不正投票を排除するため、発券後に投票カードの記録情報により投票権利の有無を確認する用途には用いない。電子投票装置２０３では、障害発生時に可能な限り投票権利の有無についての情報を表示する。
【０１０１】
図２３及び図２４に図示する投票カード４０６又は運用カード４０５が格納するデータは、７ビットのアスキーコード（ＡＳＣＩＩ：　Ａｍｅｒｉｃａｎ　Ｓｔａｎｄａｒｄ　Ｃｏｄｅ　ｆｏｒＩｎｆｏｒｍａｔｉｏｎ　Ｉｎｔｅｒｃｈａｎｇｅ、情報交換用米国標準コード）として記録されている。例えば、選挙人特性ＩＤ２０２１が「３０」というアスキーコードとして記録されている場合には、図５９に図示する選挙人特性ＩＤ２０２１が「００」、すなわち非障害者を意味する。また、投票フラグ２０２２は、投票可能か否かを示すものであるが、１０進数で表したときの０が未発券、１が投票可能な状態であると規定したとすると、例えばアスキーコードでは選挙ＩＤ１に対する投票フラグの「３１」は、投票可能な状態を意味する。なお、投票カード上のデータは全部で２５６バイトのデータから構成されている。
【０１０２】
図２５は、本実施例に適用される投票プログラム４０４を構成するカード読取部４３１の処理の流れの一例を示すフローチャートである。このフローチャートにより実現されるコンピュータプログラムは、投票カード４０６または運用カード４０５であるＩＣカードの読取処理を行なうサブルーチンプログラムである。このルーチンの初期状態においては、電子投票装置２０３のカード記録読取手段２０３２（カードリーダライタ）の近傍に配置されているカードガイドＬＥＤ２０３２ａが点滅している（ステップＡ１）。
【０１０３】
そして、カードリーダライタ２０３２内にＩＣカードが挿入されたか否かを確認するステップを有する（ステップＡ２）。投票者が投票カード４０６を電子投票装置２０３に挿入し、ＩＣカードがカードリーダライタ２０３２内に存在することが確認されると（ステップＡ３における「ＹＥＳ」、次のステップＡ４において、電子投票装置２０３から投票カード４０６上のＩＣチップに対して、全投票所共通のコードであるカード認証キー４０３が送信され、ＩＣチップ内で受信した電子投票装置２０３からのカード認証キーとカード発券機２０１によりＩＣチップに予め記録されたカード認証キーとを照合し、カードデータへのアクセス権限の認証を行なう。２つの認証キーが一致して認証に成功した場合（ステップＡ５における「ＹＥＳ」）、次のステップに移りカード種別の読取りを行なう（ステップＡ６）。
【０１０４】
認証が拒否された場合（ステップＡ５における「ＮＯ」）、電子投票装置２０３がエラー発生画面を表示し（ステップＡ２３）、投票カード４０６をリーダライタ２０３２から排出する（ステップＡ２４）。排出されたカードは、投票所の係員により回収され、カードが投票カード４０６である場合には、投票者はカード再発行等の適切な処置を受ける。なお、エラー発生は、投票所内で電子投票装置２０３から離れた場所から投票の様子を監視する投票立会人に対し、状態表示ランプ２０３０１（状態表示灯、警告灯ともいう）により、視覚的に報知される。
【０１０５】
さて、図２５におけるステップＡ５におけるカード認証が成功した場合（ステップＡ５における「ＹＥＳ」）、ステップＡ６においてカード種別の読取処理を行なう。読取可能なカード種別は、投票カードと運用カードの２種類であり、カード内の所定のカード種別記録領域に記録された識別コード（図２３に「カード種別ＩＤ」として図示）を読み取る。
【０１０６】
以下、図２５におけるカード種別ＩＤの読取りのステップにおいて、投票カード４０６であることが読み取られた場合（ステップＡ７における「ＹＥＳ」）の流れを説明する。挿入されたカードの種別が投票カード４０６であることが読み取られると、ステップＡ８において、投票所ＩＤ（管理識別ＩＤ、管理ＩＤ、あるいは乱数ともいう）４０５５の読取処理を行なう。読み取られた投票所ＩＤが、電子投票装置２０３のＲＡＭ４５３に予め記憶させた投票所ＩＤと一致した場合（ステップＡ９における「ＹＥＳ」）、次の投票権利を確認する次のステップ（Ａ１０））に移る。次のステップでは、図２３に図示する投票フラグ２０２２の読取りが行われる（ステップＡ１０）。
【０１０７】
投票フラグ２０２２とは（同日に複数の選挙を実施する場合において）、投票者が選挙の投票権利を有するか否かを識別するコードである。例えば、「０」が未発券、「１」が投票可能な状態であると規定することができる。投票フラグ２０２２の読み取りが正常に行われた場合において（ステップＡ１１における「ＹＥＳ」）、投票フラグ２０２２が「１」投票可能状態である、すなわち投票者が当該選挙に対して未投票であることが読み取られると、投票の態様を規定する次のステップ（Ａ１３）に移行する。ステップＡ１３では、投票カード４０６をカード発券機２０１で発券する際に、選挙人名簿に基づいて投票カード４０６に記録された投票者（選挙人）の身体的な障害の特性を示すコード（選挙人特性ＩＤ２０２１、図５９に図示）の読取りが行われる。
【０１０８】
選挙人特性ＩＤとは、換言すれば、投票者が、電子投票装置２０３を用いて行なう入力手段（タッチパネル２０３１３、視覚障害者用専用キーボード２０３８１、運動機能障害用プッシュスイッチ２０３７１等）及び表示手段（ＬＣＤ２０３１１、ヘッドマウントディスプレイ、点字ディスプレイ、音声ガイド等）を規定するコードである。選挙人特性ＩＤ２０２２の値に対する条件分岐を示すステップ（ステップＡ１４）において、選挙人特性ＩＤが００、すなわち非障害（健常者）であったとすると、入力手段としてタッチパネル２０３１３、表示手段としてＬＣＤ２０３１１が選択され、使用可能かどうかの確認処理を行なう（ステップＳ１５ａ）。
【０１０９】
また、選挙人特性ＩＤが０２、すなわち視覚障害者であった場合には、ステップＡ１５ｃにおいて、入力手段として視覚障害者用専用キーボード２０３８１と表示手段として音量調整付きヘッドホン２０３９１が選択される。このように、投票カード４０６に記録された投票者の選挙人特性ＩＤに対応する入出力機器が使用可能かどうかチェックされると、次のステップＡ１６において、投票カード４０６の初期化処理が行われる。このステップは、使用済みの投票カードの再使用による二重投票の防止に万全を期すために、投票カードのデータ記録領域を再フォーマットすることにより、全データを抹消するステップである。以上により、カード種別読取のステップＡ４〜Ａ５において投票カード４０６であることが読み取られた場合のカード読取ルーチンは終了する。
【０１１０】
次に、図２５におけるカード種別読取のステップＡ４〜Ａ５において、電子投票装置２０３に挿入されたカードが投票カード４０６でないことが読み取られ（ステップＡ５における「ＮＯ」、運用カード（管理者カードともいう）４０５であることが読み取られた場合のステップについて説明する。この処理は、投票日当日の投票開始時刻の前にカード発券機２０１によって発券された運用カード４０５を用いて行なうことが好ましい。
【０１１１】
まず、カード種別ＩＤが運用カード４０５である場合は、ステップＡ１８において、投票所ＩＤ４０５５の読取が行われる。投票所ＩＤが読み取られた場合（ステップＡ１９における「ＹＥＳ」）、投票所ＩＤ４０５５は、電子投票装置２０３のＲＡＭ４５３の投票所ＩＤ領域４０５５ｂのアドレスに格納される（ステップＡ２０）。そして、投票所ＩＤが電子投票装置に登録されたことを投票管理者に報知する画面が表示され（ステップＡ２１）、運用カードの排出処理が行われる（Ａ２２）。以後、電子投票装置２０３は、この投票所ＩＤが記録された投票カード４０６のみを受付可能となる。したがって、他の投票所のカード発券機で発行されたカードや、偽造・変造が行われたカードでは、投票を行なうことが不可能となる。
【０１１２】
図２６は、本実施例に適用される投票プログラム４０４を構成する投票制御部４３５の処理の流れの一例を示すフローチャートである。投票制御部４３５は，投票カードの読み取り後，選挙人に対して候補者の一覧を表示して，候補者の選択を促す画面を表示するサブルーチンプログラムである。まず，ステップＥ０ａにおいて、候補者データ４０１を構成する候補者テーブル４０１ａより、選挙の種類を特定する選挙ＩＤに対応する候補者の数、即ち、候補者ＩＤで特定されるレコード総数を読み取って、ＲＡＭ４５３に記憶する。
【０１１３】
次に、ステップＥ０ｂにおいて、一つの画面に表示する候補者名を付したボタンの最大数の設定の読取りを行なう。単一画面に表示するボタンの数は、予め、選挙データ作成システム１００における選挙データ管理作成機１０１によって、候補者データ４０１の作成時に設定される数値である。具体的には、選挙データ管理作成機１０１が有する専用ソフトウェア（画面エディタ）によって、候補者データ４０１の中の投票画面レイアウトデータベース４０１ｅ（図１９に図示）の中で、ボタンのサイズや位置、文字サイズ等の画面レイアウトの設定が行われる。原則として、公平性の観点から、候補者はなるべく一つの画面内に全員を表示することが望ましいものである（図４３を参照）。
【０１１４】
しかしながら、立候補者が５０人を超えるような選挙の場合には、一画面では表示できない場合が起こりうる。表示画面（ＬＣＤ２０３１１）の表示面積と、候補者の氏名を付したボタンの面積との兼ね合いより、表示可能なボタンの数には上限があるからである。例えば、図４５は、１５インチの表示エリアに対して２８名分のボタンを配置した例を図示したものであるが、これ以上ボタンの数を増加すると、文字サイズが小さくなって視覚しづらくなったり、隣り合うボタン同士が接近することにより押し間違いが起こったりする等の不都合が生じる。従って、そのような場合には、候補者を複数の頁に分割したり、スクロールさせたりする等の技術が開示されている。
【０１１５】
しかし、そのような方法では、掲載される頁による不公平の問題が発生する。これを回避するために特開平７−５７０２１号公報では、乱数を用いて複数頁に表示される候補者の順番をランダムにする技術が開示されている。しかしながら、かかる公開技術も、従来の公職選挙においてしばしば見られるような、複数の立候補者を擁立する所属政党が指定する表示順位を反映させて表示することが困難となるという問題が生じる。そこで、本実施例では、単一画面に候補者を一覧表示できない場合に、頁分割を行なうのではなく、候補者の頭文字による検索を行なう構成としている。
【０１１６】
図２６におけるステップＥ０ｂにおいて読み取られる候補者ボタン数は、上記した理由により選挙データ作成システム１００により予め設定される数値である。そして、ステップＥ０ｃにおいて、この一画面に表示し得る候補者ボタン数と、選挙に立候補した候補者の数の比較を行なう。そして、一画面に表示し得る候補者ボタン数が、選挙に立候補した候補者の数と同じあるいは大であった場合には（ステップＥ０ｃの「ＹＥＳ」）、次のステップに移り、一画面にすべての候補者を表示する投票形態である候補者選択画面投票制御部４３５Ａの処理を行い（図２７において詳述する）、処理が終了すると投票制御部４３５のルーチンから抜ける。
【０１１７】
一方、一画面に表示し得る候補者ボタン数が、選挙に立候補した候補者の数よりも小であった場合には（ステップＥ０ｃの「ＮＯ」）、候補者の頭文字を検索することにより該当候補者を表示する投票形態である頭文字選択画面投票制御部４３５Ｂの処理を行い（図２８〜図３３において詳述する）、処理が終了すると投票制御部４３５のルーチンから抜ける。なお、以下の図４５の説明で後述するように、一般のＮインチのディスプレイの場合には、アスペクト比を４：３と仮定すると、Ｉｎｔ（０．２９Ｎ）×Ｉｎｔ（０．８５Ｎ）の個数の候補者ボタンを表示できる。但し、Ｉｎｔ（）は、（）内の数値を超えない最大の整数を表す。そして、このようにして計算された候補者ボタンの数が、候補者数を下回った場合には、ステップＥ０ｃにおいて、図４６に示すような、頭文字選択画面に表示を切り替えるように構成してもよい。
【０１１８】
図２７は、本実施例に適用される投票プログラム４０４を構成する投票制御部４３５における候補者選択画面投票制御部４３５Ａの処理の流れの一例を示すフローチャートである。このサブルーチンプログラムは、選挙に立候補した候補者の全員が単一画面に表示できる場合に実行されるプログラムである。まずステップＥ１において、候補者表示の順序をランダムに表示する設定があるか否かの確認を行なう。候補者のランダム表示は、選挙人により投票カードが挿入されて投票操作が実行される毎に、表示順位を変更する設定であり、公平性の観点から設定することが可能なオプションである。画面内で、同一政党の候補者が２名以上いる場合であって、かつ表示順位が指定されている場合においては、政党内の順位は保ったまま、異なる政党のみの候補者順位を変更することが可能である。
【０１１９】
このようなランダム表示の設定がある場合には（ステップＥ１における「ＹＥＳ」）、ステップＥ２に移り、候補者データ４０１のレコード順序のランダム化処理が行われる。ランダム化処理は、種々の実施形態が可能であるが、例えば以下のようにする。すなわち、この選挙への投票者数（即ち、図４１に図示する投票件数）を候補者数で割った剰余を計算し、候補者テーブル４０１ａの先頭のレコードから、この数の候補者を先頭から末尾へ移動し、これをこの投票者のこの選挙への投票における候補者テーブル４０１ａとする。ステップＥ２におけるかかる処理が終了すると次のステップＥ３に移る。
【０１２０】
一方、このようなランダム表示の設定がない場合（ステップＥ１における「ＮＯ」）、ステップＥ２をスキップし、ステップＥ３に移る。ステップＥ３では、候補者のボタンを並べる方向の設定をチェックする。このステップの後、ステップＥ４において画面遷移処理を行い、ステップＥ５において候補者選択画面（図４３〜図４５に図示）を表示する。候補者選択画面が表示されると、ステップＥ６において、表示メッセージテーブル４０１ｆにリンクした共通音声データ（図１４に図示）の中から、候補者選択ガイダンス音声を１回だけ再生する。例えば、図４３に示す候補者選択画面に対しては「投票したい候補者の名前に触れてください。投票を途中で終了する場合は、「投票しない」に触れてください」というガイダンス音声を１回だけ再生する。ステップＥ７の条件分岐において、投票者が、画面に表示された候補者ボタンに対して、タッチパネル入力、あるいはバリアフリー・オプションの入力機器（運動機能障害用プッシュスイッチ２０３７１、視覚障害者用専用キーボード２０３８１等）による入力操作を行って、入力が検出されると（ステップＥ７における「ＹＥＳ」）、次のステップに移る。
【０１２１】
また、投票操作方法が自動スキャン投票である選挙人（図５９に図示する選挙人特性ＩＤ＝０５の選挙人）の場合には、ボタンにカーソルが移動して来た間にスイッチを押下することによって次のステップに移る。ステップＥ８においては、入力されたボタンの色と文字色をカーソル点灯時のものに変更し、一定時間（０．２秒程度）点灯のまま待機する。そして、触れられたボタンが選択、入力されたものとして、ステップＥ９において、選択されたボタンに関連付けられた候補者を投票する候補者として記憶する。そして、ステップＥ１０において、候補者選択ガイダンス音声が再生中であれば、再生を停止し、選択した候補者を確認する移行のステップに移る。
【０１２２】
ステップＥ１１においては、かかる画面に遷移するための遷移処理が行われ、ステップＥ１２において、候補者確認画面の表示（図５２に図示）が行われる。画面の表示が行なわれると、ステップＥ１３において、選択した候補者を表示する候補者確認ガイダンス音声を１回だけ再生する。例えば、「確認してください。よろしければ○に、変更する場合は×に触れてください」というガイダンス音声を再生する。そして、ステップＥ１４では、投票者は以下の操作を行なう。すなわち、投票者は、選択した候補者に投票するために、タッチパネル入力、あるいはバリアフリー・オプションの入力機器（運動機能障害用プッシュスイッチ２０３７１、視覚障害者用専用キーボード２０３８１等）による入力操作を行って「○　投票する」を選択すると（ステップＥ１４における「ＹＥＳ」）、ステップＥ１５において入力されたボタンの色と文字色をカーソル点灯時のものに変更し、一定時間（０．２秒程度）点灯のまま待機する。そして、ステップＥ１６において、候補者選択ガイダンス音声が再生中であれば、再生を停止し、このルーチンを抜ける（「ＲＥＴＵＲＮ」と図示）。
【０１２３】
一方、投票者は、選択した候補者に投票するために、タッチパネル入力、あるいはバリアフリー・オプションの入力機器（運動機能障害用プッシュスイッチ２０３７１、視覚障害者用専用キーボード２０３８１等）による入力操作を行って「×　変更する」を選択すると（ステップＥ１４における「ＮＯ」、かつステップＥ１７における「ＹＥＳ」）、ステップＥ１８において入力されたボタンが点灯して一定時間待機した後に、ガイダンス音声がステップＥ１９において停止して、ステップＥ５に戻り、候補者選択画面を表示する。候補者確認画面の表示は、投票者がいずれかのボタンを選択するまで、継続して表示される（ステップＥ１７における「ＮＯ」）。
【０１２４】
一方、ステップＥ７の条件分岐において、候補者ボタンの入力が検出されず（ステップＥ７における「ＮＯ」）、かつ棄権ボタン（図４３〜図４５では「投票しない」ボタンとして図示）が入力されたことが検出されると（ステップＥ２０における「ＹＥＳ」）、ステップＥ２１において、入力ボタンが一定時間点灯し、ステップＥ２２において、棄権されたことをＲＡＭ４５３に記憶する。そして、ステップＥ２２においてガイダンス音声を停止し、ステップＥ２４において画面遷移処理を行って、ステップＥ２５において棄権確認画面（図５３に図示）を表示し、ガイダンス音声を再生する（ステップＥ２６）。例えば、「確認してください。よろしければ「○」に、変更する場合は「×」に触れてください」というガイダンス音声を再生する。ステップＥ２７の条件分岐において、「○　投票しない」が入力されたことを検出すると（ステップＥ２７における「ＹＥＳ」）、ステップＥ２８において入力されたボタンを一定時間点灯させて待機し、ステップＥ２９においてガイダンス音声の再生を停止し、このルーチンを抜ける（「ＲＥＴＵＲＮ」と図示）。
【０１２５】
一方、ステップＥ２７の条件分岐において、「○　投票しない」ボタンが入力されずに（ステップＥ２７における「ＮＯ」）、「×　変更する」ボタンの入力が検出されると（ステップＥ３０における「ＹＥＳ」）、ステップＥ３１において入力されたボタンを一定時間点灯させて待機し、ステップＥ３２においてガイダンス音声を停止した後に、ステップＥ５に戻り、候補者選択画面を表示する。なお、棄権確認画面の表示は、「○　投票しない」、「×　変更する」のいずれかのボタンの入力が検出されるまで継続して表示される（ステップＥ３０における「ＮＯ」）。本実施例においては、投票者の意思が棄権ではなく、やむを得ない理由で投票を最初からやり直したい場合には、投票立会人または投票管理者に対してその旨を伝えて投票カードの再発行を受けるように構成される。その場合には、棄権票を開票時に抹消する手続きが必要となるが、同一の投票カードの再使用による二重投票の防止に万全を期すために、このような運用方法をとることが好ましい。
【０１２６】
図２８は、本実施例に適用される投票プログラム４０４を構成する投票制御部４３５における頭文字選択画面投票制御部４３５Ｂの処理の流れの一例を示すフローチャート（１／５）である。このサブルーチンプログラムは、選挙に立候補した候補者の全員が単一画面に表示できない場合に、頭文字選択を行って投票を行なうために実行されるプログラムである。まずステップＦ１において、画面に表示する頭文字のリストを取得する。画面に表示する頭文字は、五十音の平仮名（又は片仮名）文字であり、濁音や半濁音その他の文字は表示しない（図４６に表示例を図示）。濁音と半濁音については、清音に関連付けて、表示させるようにする。例えば、「か」のボタンについては、「か」及び「が」を関連付ける。「は」のボタンについては「は」、「ば」、「ぱ」を関連付ける。さらに、その他の関連付けも行ってもよい。例えば、旧字体の平仮名である「ゐ」や「ゑ」について、各々「い」及び「え」に対して関連付けを行ってもよい。このようにして、ステップＦ１では、清音の５０音に対して、濁音、半濁音等の関連付けを行ったリストを取得する。
【０１２７】
次に、ステップＦ２において、この五十音リストの各々に対して、該当する頭文字を有する候補者の有無を、候補者テーブル４０１ａより検索を行なう。そして、ステップＦ３の条件分岐において、該当候補者があれば（ステップＦ３における「ＹＥＳ」）、該当する仮名文字ボタンを表示する設定を行なう。例えば、五十音リスト「さ」に対しては、図１５に図示する候補者テーブル４０１ａ１において、候補者ＩＤ＝００００３の「西郷隆盛」と候補者ＩＤ＝００００５の「坂本竜馬」を関連付ける。そして、この他に濁音の「ざ」で始まる候補者がいれば、合わせて関連付ける。
【０１２８】
一方、ステップＦ３の条件分岐において、該当候補者がいなければ（ステップＦ３における「ＮＯ」）、そのボタンは表示しない（図４７に表示例を図示）。なお、ボタンを完全な非表示にするのではなくて、淡い濃度で表示された選択不可のボタンとすることも考えられるが、選挙人の視覚能力にばらつきがあることを考慮し、誤操作防止のために、非表示とすることが好ましい。この検索を、五十音リストのすべて仮名文字について、継続する（ステップＦ６における「ＮＯ」）。候補者の検索が終了すると（ステップＦ６における「ＹＥＳ」）、ステップＦ７の画面遷移処理により、頭文字選択画面がステップＦ８により表示される。頭文字選択画面とは、例えば、図４６及び図４７に図示するような画面である。頭文字選択画面が表示されると、ステップＦ９において、候補者選択ガイダンス音声を１回だけ再生させる。例えば、「投票したい候補者の頭文字に触れてください。投票を途中で終了する場合は、「投票しない」に触れてください。」というガイダンス音声を再生する。
【０１２９】
ステップＦ１０の条件分岐において、投票者が、画面に表示された頭文字ボタンに対して、タッチパネル入力、あるいはバリアフリー・オプションの入力機器（運動機能障害用プッシュスイッチ２０３７１、視覚障害者用専用キーボード２０３８１等）による入力操作を行って、入力が検出されると（ステップＦ１０における「ＹＥＳ」）、次のステップＦ１１に移る。また、投票操作方法が自動スキャン投票である選挙人（図５９に図示する選挙人特性ＩＤ＝０５の選挙人）の場合には、ボタンにカーソルが移動して来た間にスイッチを押下することによってステップＦ１１に移る。
【０１３０】
ステップＦ１１においては、入力されたボタンの色と文字色をカーソル点灯時のものに変更し、一定時間（０．２秒程度）点灯のまま待機する。そして、ステップＦ１２において、ガイダンス音声がまだ再生中であれば、再生を停止する。次にステップＦ１３において、入力された頭文字ボタンに関連付けられた清音、濁音、半濁音等を読み仮名の頭文字として有する候補者を、候補者テーブル４０１ａの先頭から抽出し、頭文字該当候補者リストを作成する。例えば、頭文字選択画面（図４６又は図４７）において、「お」が入力されたことを検出すると、「お」に関連付けられた「大久保利通」、「大隈重信」、「沖田総司」、「大村益次郎」である候補者レコードが、頭文字該当候補者リストとして抽出されて作成される。ステップＦ１３における頭文字該当候補者リストの作成が完了すると、続きのステップ（図２８及び図２９に３として図示）に移行する。
【０１３１】
一方、ステップＦ１０の条件分岐において、頭文字ボタンに対する入力を検出せず（ステップＦ１０における「ＮＯ」）、ステップＦ１４において棄権ボタン（図４６又は図４７において「投票しない」ボタンとして図示）の入力を検出すると（ステップＦ１４における「ＹＥＳ」）、ステップＦ１５において、入力ボタンが一定時間点灯し、ステップＦ１６において、棄権されたことをＲＡＭ４５３に記憶する。そして、ステップＦ１７においてガイダンス音声を停止し、ステップＦ１８において画面遷移処理を行って続きのステップ（図２８及び図３０に４として図示）に移行する。
【０１３２】
図２９は、本実施例に適用される投票プログラム４０４を構成する投票制御部４３５における頭文字選択画面投票制御部４３５Ｂの処理の流れの一例を示すフローチャート（２／５）である。これは、図２８におけるステップＦ１０において、頭文字入力を検出した場合のステップＦ１３の続きのステップである。ステップＦ１９において、候補者表示の順序をランダムに表示する設定があるか否かの確認を行なう。候補者のランダム表示は、上記したように、選挙人により投票カードが挿入されて投票操作が実行される毎に、表示順位を変更する設定であり、公平性の観点から設定することが可能なオプションである。
【０１３３】
画面内で、同一政党の候補者が２名以上いる場合であって、かつ表示順位が指定されている場合においては、政党内の順位は保ったまま、異なる政党のみの候補者順位を変更することが可能である。このようなランダム表示の設定がある場合には（ステップＦ１９における「ＹＥＳ」）、ステップＦ２０に移り、候補者データ４０１のレコード順序のランダム化処理が行われる。ランダム化処理は、種々の実施形態が可能であるが、例えば以下のようにする。すなわち、この選挙への投票者数（即ち、図４１に図示する投票件数）を候補者数で割った剰余を計算し、候補者テーブル４０１ａの先頭のレコードから、この数の候補者を先頭から末尾へ移動し、これをこの投票者のこの選挙への投票における候補者テーブル４０１ａとする。ステップＦ２０におけるかかる処理が終了すると次のステップＦ２１に移る。
【０１３４】
一方、このようなランダム表示の設定がない場合（ステップＦ１９における「ＮＯ」）、ステップＦ２０をスキップし、ステップＦ２１に移る。ステップＦ２１では、候補者データ４０１のデータベースを構成する投票画面レイアウトテーブル４０１ｅに格納された、頭文字該当候補者選択画面（図４８に図示）に表示可能な候補者ボタンの最大数の設定を参照する。ステップＦ２２の条件分岐において、投票画面レイアウトテーブル４０１ｅのボタンの最大数の設定が、入力を検出した頭文字を有する候補者リストの総数以上である場合（ステップＦ２２における「ＹＥＳ」）、次のステップＦ２３に移る。一方、ステップＦ２２の条件分岐において、ボタンの最大数の設定が、入力を検出した頭文字を有する候補者リストの総数以下である場合（ステップＦ２２における「ＮＯ」）、続きのステップ（図２９及び図３１に９として図示）に移る（後述）。
【０１３５】
まず、ステップＦ２３以降の流れについて説明する。ステップＦ２３では、候補者のボタンをソートする方向の設定をチェックする。このステップの後、ステップＦ２４において画面遷移処理を行い、ステップＦ２５において頭文字該当候補者選択画面を表示する。図４８には、頭文字の「お」が選択された場合における頭文字該当候補者選択画面が図示されている。頭文字該当候補者選択画面が表示されると、ステップＦ２６において、表示メッセージテーブル４０１ｆにリンクした共通音声データ（図１４に図示）の中から、候補者選択ガイダンス音声を１回だけ再生する。例えば、図４８に示す頭文字該当候補者選択画面に対しては「投票したい候補者の名前に触れてください。頭文字を選び直す場合は、「頭文字を選び直す」に触れてください。投票を途中で終了する場合は、「投票しない」に触れてください」というガイダンス音声を１回だけ再生する。ステップＦ２７の条件分岐において、投票者が、画面に表示された候補者ボタンに対して、タッチパネル入力、あるいはバリアフリー・オプションの入力機器（運動機能障害用プッシュスイッチ２０３７１、視覚障害者用専用キーボード２０３８１等）による入力操作を行って、入力が検出されると（ステップＦ２７における「ＹＥＳ」）、次のステップに移る。
【０１３６】
また、投票操作方法が自動スキャン投票である選挙人（図５９に図示する選挙人特性ＩＤ＝０５の選挙人）の場合には、ボタンにカーソルが移動して来た間にスイッチを押下することによって次のステップに移る。ステップＦ２８においては、入力されたボタンの色と文字色をカーソル点灯時のものに変更し、一定時間点灯のまま待機する。そして、触れられたボタンが選択、入力されたものとして、ステップＦ２９において、選択されたボタンに関連付けられた候補者を投票する候補者としてＲＡＭ４５３上に記憶する。そして、ステップＦ３０において、候補者選択ガイダンス音声が再生中であれば、再生を停止し、選択した候補者を確認する以降のステップに移る。ステップＦ３１においては、かかる画面に遷移するための遷移処理が行われる。
【０１３７】
図３０に図示するステップＦ３８において、候補者確認画面の表示（図５２に図示）が行われる。画面の表示が行なわれると、ステップＦ３９において、選択した候補者を表示する候補者確認ガイダンス音声を１回だけ再生する。例えば、「確認してください。よろしければ○に、変更する場合は×に触れてください」というガイダンス音声を再生する。そして、ステップＦ４０では、投票者は以下の操作を行なう。すなわち、投票者は、選択した候補者に投票するために、タッチパネル入力、あるいはバリアフリー・オプションの入力機器（運動機能障害用プッシュスイッチ２０３７１、視覚障害者用専用キーボード２０３８１等）による入力操作を行って「○　投票する」を選択すると（ステップＦ４０における「ＹＥＳ」）、ステップＦ４１において入力されたボタンの色と文字色をカーソル点灯時のものに変更し、一定時間点灯のまま待機する。そして、ステップＦ４２において、候補者選択ガイダンス音声が再生中であれば、再生を停止し、このルーチンを抜ける（「ＲＥＴＵＲＮ」と図示）。
【１３８】
一方、投票者は、選択した候補者に投票するために、タッチパネル入力、あるいはバリアフリー・オプションの入力機器（運動機能障害用プッシュスイッチ２０３７１、視覚障害者用専用キーボード２０３８１等）による入力操作を行って「×　変更する」を選択すると（ステップＦ４０における「ＮＯ」、かつステップＦ４３における「ＹＥＳ」）、ステップＦ４４において入力されたボタンが点灯して一定時間待機した後に、ガイダンス音声がステップＦ４５において停止して、図２９におけるステップＦ２５に戻り（図２９及び図３０に８として図示）、頭文字該当候補者選択画面を表示する。候補者確認画面の表示は、投票者がいずれかのボタンを選択するまで、継続して表示される（ステップＦ４３における「ＮＯ」）。
【０１３９】
一方、図２９におけるステップＦ２７の条件分岐において、候補者ボタンの入力を検出せず（ステップＦ２７における「ＮＯ」）、かつステップＦ３２の条件分岐において、頭文字選択やり直しボタン（図４８に「頭文字を選び直す」ボタンとして図示）の入力を検出した場合（ステップＦ３２における「ＹＥＳ」）、図２８に図示するステップＦ８に戻り（図２９及び図２８に▲７▼として図示）、頭文字選択画面（図４６または図４７に図示）を再度表示する。
【０１４０】
一方、ステップＦ３２の条件分岐において、頭文字選択やり直しボタン（図４８に「頭文字を選び直す」ボタンとして図示）の入力を検出せず（ステップＦ３２における「ＮＯ」）、かつステップＦ３３において棄権ボタン（図４８に「投票しない」ボタンとして図示）の入力を検出した場合（ステップＦ３３における「ＹＥＳ」）、ステップＦ３４において、入力ボタンが一定時間点灯し、ステップＦ３５において、棄権されたことをＲＡＭ４５３に記憶する。そして、ステップＦ３６においてガイダンス音声を停止し、ステップＦ３７において画面遷移処理を行なう。続きのステップは図３０における４の端点から行なう（図２９及び図３０に４として図示）。即ち、ステップＦ４６において棄権確認画面（図５３に図示）を表示し、ガイダンス音声を再生する（ステップＦ４７）。例えば、「確認してください。よろしければ「○」に、変更する場合は「×」に触れてください」というガイダンス音声を再生する。
【０１４１】
次に、ステップＦ４８の条件分岐において、「○　投票しない」が入力されたことを検出すると（ステップＦ４８における「ＹＥＳ」）、ステップＦ４９において入力されたボタンを一定時間点灯させて待機し、ステップＦ５０においてガイダンス音声の再生を停止し、このルーチンを抜ける（「ＲＥＴＵＲＮ」と図示）。一方、ステップＦ４８の条件分岐において、「○　投票しない」ボタンが入力されずに（ステップＦ４８における「ＮＯ」）、「×　変更する」ボタンの入力が検出されると（ステップＦ５１における「ＹＥＳ」）、ステップＦ５２において入力されたボタンを一定時間点灯させて待機し、ステップＦ５３においてガイダンス音声を停止した後に、端点７を経由して図２８のＦ８のステップに戻り、頭文字選択画面（図４６又は図４７に図示）を表示する。
なお、棄権確認画面の表示は、「○　投票しない」、「×　変更する」のいずれかのボタンの入力が検出されるまで継続して表示される（ステップＦ５１における「ＮＯ」）。
【０１４２】
一方、図２９に図示するステップＦ２２の条件分岐において、投票画面レイアウトテーブル４０１ｅにおける候補者ボタンの最大数の設定が、入力を検出した頭文字を有する頭文字該当候補者リストの総数以下である場合（ステップＦ２２における「ＮＯ」）、図３１〜図３２に図示する一連のステップが実行される（図２９及び図３１に９として図示）。
【０１４３】
図３１は、本実施例に適用される投票プログラム４０４を構成する投票制御部４３５における頭文字選択画面投票制御部４３５Ｂの処理の流れの一例を示すフローチャート（４／５）である。以下のステップは、同一の頭文字（清音、濁音、半濁音等を含む）を有する立候補者が多数おり、一画面に表示可能な候補者ボタンの最大数（例えば、本実施形態における１５インチのＬＣＤディスプレイの場合は２８名程度）を超えている場合に、複数の頁に分割して表示する投票画面である。ステップＦ５４において、入力を検出した頭文字に対応する頭文字該当候補者リストの人数と、一画面に表示可能な候補者ボタンの最大数からページ数を算出して記憶する。
【０１４４】
すなわち、入力を検出した頭文字に対応する頭文字該当候補者リストの人数を、候補者データ４０１における投票画面レイアウトテーブル４０１ｅにより予め設定された候補者ボタンの数で割り、剰余を繰り上げた数値を算出する。そして、この数値をページ数としてＲＡＭ４５３に記憶する。次にステップＦ５５の条件分岐において、入力した頭文字に該当する候補者選択画面が複数頁存在することを投票者に報知ための案内画面を表示する設定の有無を確認する。かかる案内画面の表示設定がある場合（ステップＦ５５における「ＹＥＳ」）、ステップＦ５６において画面遷移処理を行い、複数頁存在を報知する案内画面を表示する（ステップＦ５７）。
【０１４５】
かかる画面の一例を、図５０に図示する。同図においては、入力された頭文字に該当する候補者が全部で３頁に分割されて表示することを、候補者ボタンの表示に先立って、投票者に対して案内する画面である。この画面が表示された際には、ステップＦ５８において、ガイダンス音声の再生が行われる。例えば、「候補者名の画面は全部で３頁あります。画面の上にある「次頁ボタン」を押して候補者を探してください」などというガイダンス音声を再生する。、ステップＦ５９の条件分岐において、「次ページ」ボタンの入力を検出した場合、（ステップＦ５９における「ＹＥＳ」）、次のステップＦ６０に移行し、入力されたボタンが点灯した後に、ステップＦ６１において、ガイダンス音声を停止する。
【０１４６】
一方、「次ページ」ボタンの入力がなされるまでは、複数頁案内画面が継続して表示され、ガイダンス音声も繰り返し再生される。一方、ステップＦ５５の条件分岐に案内画面の表示を実行する設定がない場合（ステップＦ５５におけるＮＯ」）、上記したＦ５６〜Ｆ６１のステップをスキップし、ステップＦ６２に移行する。さて、ステップＦ６２において、ページ番号を格納する変数ｎに数値１を代入して、ページ数を１頁に設定する。次に、ステップＦ６３において、候補者の表示のソート順の確認を行った後に、画面に表示する候補者を規定する次のステップに移行する。すなわち、ステップＦ６４において、入力された頭文字に該当する候補者リストから、現在のページ番号をｎとして、（（ｎ−１）×（候補者ボタンの数）＋１）番目の候補者から、（ｎ×（候補者ボタンの数））番目の候補者を抽出する。ただし、現在のページ番号ｎが、最終頁である場合、候補者リストの最後の候補者までを抽出する。
【０１４７】
次に、複数頁の画面の移動に使用する「前ページ」ボタン又は「次ページ」ボタンの表示に関する、以下の設定を行なう。すなわち、ステップＦ６５の条件分岐において、ページ番号ｎ＝１（最初の頁）であった場合には（ステップＦ６５における「ＹＥＳ」）、ステップＦ６６において「前ページ」ボタンを非表示とする設定を行なう。一方、ステップＦ６５の条件分岐において、ページ番号ｎ＝１でない場合（ステップＦ６５における「ＮＯ」）、次のステップＦ６７の条件分岐に移行し、ページ番号ｎ＝総ページ数であれば（ステップＦ６７における「ＹＥＳ」）、「次ページ」ボタンを非表示とする設定を行なう。ページ番号ｎが先頭頁及び最終頁のいずれでもない場合（ステップＦ６７における「ＮＯ」）、画面遷移を行なうステップＦ６９に移行する。続きのステップは、端点１０で接続される図３２に図示するステップで行われる。
【０１４８】
図３２は、本実施例に適用される投票プログラム４０４を構成する投票制御部４３５における頭文字選択画面投票制御部４３５Ｂの処理の流れの一例を示すフローチャート（５／５）である。以下では、入力された頭文字に該当する候補者が複数頁にわたる場合の投票制御処理のステップの続きを説明する。まず、ステップＦ７０において、頭文字該当候補者の複数頁選択画面が表示される（図４９に図示）。画面表示が実行されると、ステップＦ７１において、表示メッセージテーブル４０１ｆにリンクした共通音声データ（図１４に図示）の中から、候補者選択ガイダンス音声を１回だけ再生する。
【０１４９】
例えば、図４９に示す頭文字該当候補者複数頁選択画面に対しては「投票したい候補者の名前に触れてください。投票したい候補者がいない場合は「前ページ」ボタンまたは「次ページ」ボタンに触れて、候補者を探してください。頭文字を選び直す場合は、「頭文字を選び直す」に触れてください。投票を途中で終了する場合は、「投票しない」に触れてください」などというガイダンス音声を１回だけ再生する。ステップＦ７２の条件分岐において、投票者が、画面に表示された候補者ボタンに対して、タッチパネル入力、あるいはバリアフリー・オプションの入力機器（運動機能障害用プッシュスイッチ２０３７１、視覚障害者用専用キーボード２０３８１等）による入力操作を行って、候補者ボタンの入力が検出されると（ステップＦ７２における「ＹＥＳ」）、次のステップに移る。
【０１５０】
また、投票操作方法が自動スキャン投票である選挙人（図５９に図示する選挙人特性ＩＤ＝０５の選挙人）の場合には、候補者ボタンにカーソルが移動して来た間にスイッチを押下することによって次のステップに移る。ステップＦ７３においては、入力された候補者ボタンの色と候補者名の文字色をカーソル点灯時のものに変更し、一定時間点灯のまま待機する。そして、触れられたボタンが選択、入力されたものとして、ステップＦ７４において、選択されたボタンに関連付けられた候補者を投票する候補者としてＲＡＭ４５３上に記憶する。そして、ステップＦ７５において、候補者選択ガイダンス音声が再生中であれば、再生を停止し、選択した候補者を確認する以降のステップに移る。
【０１５１】
ステップＦ７６においては、かかる画面に遷移するための遷移処理が行われる。端点５で接続される図３０に図示するステップＦ３８において、候補者確認画面の表示（図５２に図示）が行われる。画面の表示が行なわれると、ステップＦ３９において、選択した候補者を表示する候補者確認ガイダンス音声を１回だけ再生する。例えば、「確認してください。よろしければ○に、変更する場合は×に触れてください」というガイダンス音声を再生する。そして、ステップＦ４０では、投票者は以下の操作を行なう。すなわち、投票者は、選択した候補者に投票するために、タッチパネル入力、あるいはバリアフリー・オプションの入力機器（運動機能障害用プッシュスイッチ２０３７１、視覚障害者用専用キーボード２０３８１等）による入力操作を行って「○　投票する」を選択すると（ステップＦ４０における「ＹＥＳ」）、ステップＦ４１において入力されたボタンの色と文字色をカーソル点灯時のものに変更し、一定時間点灯のまま待機する。そして、ステップＦ４２において、候補者選択ガイダンス音声が再生中であれば、再生を停止し、このルーチンを抜ける（「ＲＥＴＵＲＮ」と図示）。
【０１５２】
一方、投票者は、選択した候補者に投票するために、タッチパネル入力、あるいはバリアフリー・オプションの入力機器（運動機能障害用プッシュスイッチ２０３７１、視覚障害者用専用キーボード２０３８１等）による入力操作を行って「×　変更する」を選択すると（ステップＦ４０における「ＮＯ」、かつステップＦ４３における「ＹＥＳ」）、ステップＦ４４において入力されたボタンが点灯して一定時間待機した後に、ガイダンス音声がステップＦ４５において停止して、図２９におけるステップＦ２５に戻り（図２９及び図３０に８として図示）、頭文字該当候補者選択画面を表示する。候補者確認画面の表示は、投票者がいずれかのボタンを選択するまで、継続して表示される（ステップＦ４３における「ＮＯ」）。
【０１５３】
一方、図２９におけるステップＦ２７の条件分岐において、候補者ボタンの入力を検出せず（ステップＦ２７における「ＮＯ」）、かつステップＦ３２の条件分岐において、頭文字選択やり直しボタン（図４８に「頭文字を選び直す」ボタンとして図示）の入力を検出した場合（ステップＦ３２における「ＹＥＳ」）、図２８に図示するステップＦ８に戻り（図２９及び図２８に７として図示）、頭文字選択画面（図４６または図４７に図示）を再度表示する。
【０１５４】
一方、ステップＦ７２の条件分岐において、画面に表示された候補者ボタンに対する入力が検出されずに（ステップＦ７２における「ＮＯ」）、「前ページ」ボタンの入力が検出された場合（ステップＦ７７における「ＹＥＳ」）、ステップＦ７８において、「前ページ」ボタンを点灯させた後に、ステップＦ７９において、ページ数の変数ｎにｎ−１を代入する。かかるページ数をデクリメントが完了すると、端点１１で接続される図３１のステップＦ６４に戻り、候補者の抽出処理を行なう。すなわち、ステップＦ６４において、入力された頭文字に該当する候補者リストから、現在のページ番号をｎとして、（（ｎ−１）×（候補者ボタンの数）＋１）番目の候補者から、（ｎ×（候補者ボタンの数））番目の候補者を抽出する。ただし、現在のページ番号ｎが、最終頁である場合、候補者リストの最後の候補者までを抽出する。
【０１５５】
一方、ステップＦ７７の条件分岐において、「前ページ」ボタンの入力が検出されずに（ステップＦ７７における「ＮＯ」）、「次ページ」ボタンの入力が検出された場合（ステップＦ８０における「ＹＥＳ」）、ステップＦ８１において、「次ページ」ボタンを点灯させた後に、ステップＦ８１において、ページ数の変数ｎにｎ＋１を代入する。かかるページ数をインクリメントが完了すると、端点１１で接続される図３１のステップＦ６４に戻り、上記した候補者の抽出処理を行なう。
【０１５６】
一方、ステップＦ８０の条件分岐において、「次ページ」ボタンの入力が検出されずに（ステップＦ８０における「ＮＯ」）、「頭文字を選び直す」ボタンの入力が検出された場合（ステップＦ８３における「ＹＥＳ」）、端点７で接続される図２８のステップＦ８に移り、頭文字選択画面を表示する。
【０１５７】
一方、ステップＦ８３の条件分岐において、「頭文字を選び直す」ボタンの入力が検出されずに（ステップＦ８３における「ＮＯ」）、「投票しない」ボタンの入力が検出された場合（ステップＦ８４における「ＹＥＳ」）、ステップＦ８５において、入力ボタンが一定時間点灯し、ステップＦ８６において、棄権されたことをＲＡＭ４５３に記憶する。そして、ステップＦ８７においてガイダンス音声を停止し、ステップＦ８８において画面遷移処理を行なう。続きのステップは図３０における４の端点から行なう（図３２及び図３０に４として図示）。なお、ステップＦ７０における頭文字該当候補者複数頁選択画面（図４９に図示）の表示は、いずれかのボタンの入力が検出されるまで継続して表示される（ステップＦ８４における「ＮＯ」）。
【０１５８】
図３３は、本実施例に適用される投票プログラム４０４を構成する投票データ記録部４３４の処理の流れの一例を示すフローチャートである。投票プログラム４０４は、投票データ４０７、投票ログ４０７５を原本、副本の２つの記録媒体に二重化して記録し、記録にあたっては、２つの媒体を独立してアクセスすることで、障害発生時においても、いずれかの投票データが確保されるよう設計することが好ましい。投票プログラム４０４の投票画面作成部４３３によりＬＣＤ２０３１１上に表示される画面（図４１〜図５３に一実施例を図示）を投票者が操作して、投票したい候補者を確定するボタン（図５３に図示する「○投票します」ボタン）を押下され、投票の内容がＲＡＭ４５３に内部記憶されたときは、投票データ記録部４３４のサブルーチンがコールされ、以下のステップを有する投票データ記録処理が開始される。
【０１５９】
すなわち、ステップＤ１において、原本用記録媒体４０８上の投票ログ格納用ファイルがオープンされ、ステップＤ２において、原本用記録媒体に投票開始ログが記録される。投票開始ログとは、例えば「原本への記録を開始」のような文字列である。投票開始ログの記録が終了すると、ファイルクローズされ（ステップＤ３）、次のステップＤ４において、原本用記録媒体４０８上の投票データ格納用のファイルがオープンされる。
【０１６０】
そして、ステップＤ５において、原本用記録媒体上にオープンされたファイルに対して、ＲＡＭ４５３に内部記憶された投票の内容を書き込む。書込みは、ＲＡＭ４５３内部の図示しないキャッシュ領域を使用して高速な書込みが行われる。書込みが終了するとファイルをクローズし、投票データを有するファイルが生成される（ステップＤ６）。さらに、ステップＤ７〜Ｄ９において、原本用記録媒体４０８上に投票終了ログ（例えば「原本への記録を終了」のような文字列）の書込みも行なう。原本用記録媒体４０８に対して投票データ４０７及び投票ログ４０７５の書込みが終了すると、ステップＤ１０においてキャッシュの吐き出し（ダンプ）を待機した後に、次のステップに移る。
【０１６１】
ステップＤ１１〜Ｄ１８は、原本用記録媒体４０８に最初に記録された投票データ４０７の照合（ベリファイ）を行なうステップである。すなわち、ステップＤ１１において、原本用記録媒体４０８の投票データ格納用ファイル（ステップＤ６でファイルクローズを行ったファイル）がオープンされ、ステップＤ１２において、ファイル内の投票データ４０７の読み出しが行われる。読み出された投票データ４０７は、ステップＤ１３において、ＲＡＭ４５３の図示しない作業領域に記憶され、投票プログラム４０４が管理するメモリ空間に記憶された投票データと比較、照合が行われる。ステップＤ１４の条件分岐において、照合が正常になされた場合には（ステップＤ１４の「ＹＥＳ」）、次のステップＤ１５に移る。
【０１６２】
照合が正常に行われなかった場合には、原本用記録媒体４０８への書き込みを禁止する処理を行い、投票データの書込み障害が発生したことを示すエラー画面（図５７に図示）をＬＣＤ２０３１１に出力するとともに、操作表示灯２０３０１ｂに点滅信号を出力する。このようなケースは、原本用記録媒体に不良があった場合等に発生する。このような書き込みエラーが発生した場合には、原本用記録媒体の使用を禁止し、開票時においては複写用記録媒体４０９のみを使用するような運用形態をとることが好ましい。この際に、このエラーが発生した投票以前に複写用記録媒体４０９に記録されたデータのみが有効となる。投票者に対しては、図５７に図示するような致命的エラーの発生画面を報知するとともに、投票所の係員（投票管理者あるいは投票立会人）が画面を確認して、投票カードを再発行し、エラーが発生した電子投票装置とは別の電子投票装置で再投票をするようにする。照合が成功した後のステップＤ１５〜Ｄ１８においては、原本用記録媒体４０８に記録された投票ログの照合が同様なプロセスで行われる。
【０１６３】
ステップＤ１８の条件分岐において、投票ログの照合が正常に行われた場合には（ステップＤ１８における「ＹＥＳ」）、原本用記録媒体に正常に投票データ４０７及び投票ログ４０７５が確実に記録されたことになり、法的な意味での投票が確定される。投票が確定されると、投票が確定したことを投票者に報知するために、ステップＤ１９において、投票確定ＬＥＤ２０３４を配置した基板に対してＧＰＩＯ経由で出力し、投票確定ＬＥＤ２０３４を点灯させる。点灯状態は、投票カード４０６が排出され、投票者の手で抜き取られるまで保持される。投票カードが排出されるまでの間に、システムダウンが発生した場合においても、高い確率で点灯状態が保存される。また、ステップＤ１８の条件分岐において、投票ログの照合が正常に行われなかった場合には（ステップＤ１８における「ＮＯ」）、原本用記録媒体４０８への書き込みを禁止する処理を行い、投票データの書込み障害が発生したことを示すエラー画面（図５７に図示）をＬＣＤ２０３１１に出力するとともに、操作表示灯２０３０１ｂに点滅信号を出力する。以後は、上記したものと同様な運用形態がとられ、再投票を行なわせる。
【０１６４】
次に、ステップＤ２０〜Ｄ３３では、複写用記録媒体４０９に対して、投票データ４０７の複製がとられる。投票データ４０７の複製は、原本用記録媒体４０７に記録された投票データと照合されて一致することが確認されたＲＡＭ４５３上の投票データを複写用記録媒体４０９に記録することにより行なう。したがって、複写用記録媒体への記録時には、原本用記録媒体４０８へのファイルアクセスを行わず、障害が発生する恐れのあるプロセスをできるだけ排除することとしている。
【０１６５】
さて、ステップＤ２０においては、複写用記録媒体４０９上の投票ログ格納用ファイルがオープンされ、ステップＤ２１において、複写用記録媒体に投票開始ログが記録される。投票開始ログとは、例えば「副本への記録を開始」のような文字列である。投票開始ログの記録が終了すると、ファイルクローズされ（ステップＤ２２）、次のステップＤ２３において、複写用記録媒体４０９上の投票データ格納用のファイルがオープンされる。そして、ステップＤ２４において、複写用記録媒体上にオープンされたファイルに対して、ＲＡＭ４５３に内部記憶された投票の内容を書き込む。書込みは、ＲＡＭ４５３内部の図示しないキャッシュ領域を使用して高速な書込みが行われる。書込みが終了するとファイルをクローズし、投票データの副本を有するファイルが生成される（ステップＤ２５）。さらに、ステップＤ２６〜Ｄ２８において、複写用記録媒体４０８上に投票終了ログ（例えば「副本への記録を終了」のような文字列）の書込みも行なう。複写用記録媒体４０９に対して投票データ４０７及び投票ログ４０７５の書込みが終了すると、ステップＤ２９においてキャッシュの吐き出し（ダンプ）を待機した後に、次のステップに移る。
【０１６６】
ステップＤ３０〜Ｄ３３は、複写用記録媒体４０９に記録された投票データ４０７の照合（ベリファイ）を行なうステップである。すなわち、ステップＤ３０において、複写用記録媒体４０９の投票データ格納用ファイル（ステップＤ２５でファイルクローズを行ったファイル）がオープンされ、ステップＤ３１において、ファイル内の投票データ４０７の読み出しが行われる。読み出された投票データ４０７は、ステップＤ３２において、ＲＡＭ４５３の図示しない作業領域に記憶され、投票プログラム４０４が管理するメモリ空間に記憶された投票データと比較、照合が行われる。ステップＤ３３の条件分岐において、照合が正常になされた場合には（ステップＤ３３の「ＹＥＳ」）、次のステップＤ３４に移る。
【０１６７】
照合が正常に行われなかった場合には、副本記録媒体４０９への書き込みを禁止する処理を行い、複写の作成時に障害が発生したことを示すエラー画面（図５６に図示）をＬＣＤ２０３１１に出力するとともに、操作表示灯２０３０１ｂに点滅信号を出力する。このようなケースは、原本用記録媒体には正常に投票データが書き込まれているが、複写用記録媒体に不良があった場合等に発生する。このような書き込みエラーが発生した場合には、当該電子投票装置の使用を禁止するとともに、開票時においては複写用記録媒体の使用を禁止し、原本用記録媒体４０８のみを使用するような運用形態をとることが好ましい。この際に、このエラーが発生した投票以前に原本用記録媒体４０８に記録されたデータのみが有効となる。そして、投票者に対しては、図５６に図示するような複写作成エラー画面を報知するとともに、投票所の係員（投票管理者あるいは投票立会人）が画面を確認して、投票が確定していることを投票者に伝えるようにする。
【０１６８】
照合が成功した後のステップＤ３４〜Ｄ３７においては、複写用記録媒体４０９に記録された投票ログ４０７５の照合が同様なプロセスで行われる。なお、障害発生時には、上記したように、いずれの投票データ４０７が正常なものであるか確認可能とすることが好ましい。この確認については、可能な限り電子投票装置で表示を行なうが、障害度合いにおいては、記録媒体内のデータの精査が必要となる場合も起こり得る。かかる精査は開票所で行なうため、障害発生時の投票者に対して、予備的に自書投票を行ってもらい封筒に封入する措置が必要となる。
【０１６９】
図３４は、本実施例に適用される運用カードを発行するカード発券機のハードェア構成の一例を示す図である。カード発券機２０１のハードウェア構成は、一般的な処理速度を有するパーソナルコンピュータ（ＰＣ：Ｐｅｒｓｏｎａｌ　Ｃｏｍｐｕｔｅｒ）で実現することが可能である。運用カード４０５及び投票カード４０６を発行する発券機カードリーダライタ２０１２は、本実施例ではＩＣカードリーダライタであり、ＰＣ本体にＵＳＢインターフェース（ＵＳＢ：Ｕｎｉｖｅｒｓａｌ　Ｓｅｒｉａｌ　Ｂｕｓ）等により接続することができる。
【０１７０】
また、選管から配布されるカード認証キー４０３と投票所における実施選挙の種類４０２を格納する発券機用メディア２０２は、ＦＤを用いることができる。また、乱数発生器２０１２０は、乱数をソフトウェア的に発生させる場合には、特に接続する必要がない。後述する物理乱数を発生する場合にのみ使用する。ＨＤＤ（ＨＤＤ：Ｈａｒｄ　Ｄｉｓｋ　Ｄｒｉｖｅ）は、ＯＳや後述する発券プログラム５０４、選挙人名簿等のデータを格納する。発券機ディスプレイ２０１１は、ブラウン管（ＣＲＴ：Ｃａｔｈｏｄｅ　Ｒａｙ　Ｔｕｂｅ）又は液晶（ＬＣＤ）のいずれの型を用いてもよい。また入力デバイスは、キーボードとマウスを用いることができる。
【０１７１】
図３５は、本実施例に適用される運用カード４０５を発行するカード発券機のソフトウェア構成の一例を示す図である。発券プログラム５０４は、発券機メディア読取部５３１、カード読取部５３２、投票所ＩＤ生成部５３３、発券データ記録部５３４、発券制御部５３５を有する。
カード読取部５３２は、カード発券機２０１に挿入されるカードの読み取りを制御する。
投票所ＩＤ生成部５３３は、投票所に固有の識別番号である投票所ＩＤの生成を行なう。
【０１７２】
発券データ記録部５３４は、投票カード４０６又は運用カード４０５に対し、図２３に図示するデータの記録を行なう。特に、選管から配布されるＩＣカードにカード認証キー４０３を記録しない状態で配布する運営形態の場合には、本発券データ記録部５３４が、カード認証キーをＩＣカードに記録する機能を有する。
発券制御部５３５は、発券機ディスプレイ２０１１に表示される画面の制御を行なう。
【０１７３】
図３６は、本実施例に適用される発券機メディアのデータ構造の一例を示す図である。
発券機メディア２０２は、カード認証キー４０３と実施選挙の種類４０２、及び発券プログラム５０４を格納する。
【０１７４】
図３７は、本実施例に適用される発券機メディアに格納される実施選挙の種類４０２を示す図である。選管から配布される実施選挙の種類４０２には、カード発券機２０１が設置される投票所で実施すべき選挙のＩＤが記録されている。選挙ＩＤ＝１および、選挙ＩＤ＝３の選挙を実施しなければならないことを示している。これらの選挙ＩＤは、投票カード４０６の発券時に参照され、図２３に図示する投票カードの投票フラグ２０２２ａ及び２０２２ｃにおいて投票可能のフラグが立てられることとなる。
【０１７５】
図３８は、本実施例に適用される発券プログラムを構成する投票所ＩＤ生成部５３３の一例を示すフローチャートである。ステップＳ２３０１において、乱数データの入力がリアルタイムに行われる。これは外部からの入力であってもよいし、カード発券機２０１内部の演算により生成を行ったものを入力してもよい。入力された乱数はＲＡＭ２０１１８に取り込まれる（Ｓ２３０２）。投票管理者がキーボードにより適当なキー入力を行ったとき、ＲＡＭ２０１１８上の所定アドレス間のデータを切り出し、管理者ＩＤ（投票所ＩＤ）バッファに格納され（Ｓ２３０５）、運用カードへの書込みの準備ができた場合に当該バッファの値を出力して（Ｓ２３０６）投票所ＩＤ４０５５を確定する。
【０１７６】
図３９及び図４０は、本実施例に適用される運用カード４０５及び投票カード４０６を用いて、電子投票システムの運営方法の流れを示すフローチャートである。本実施例に適用される電子投票システムの運営方法は、電子投票による選挙の際に、選挙期日（投票日）に先立って、選挙のデータ（候補者データ４０１５等）を作成する選挙データ作成システム１００と、選挙期日に各投票所に設置され、前記選挙データ作成システムから移送されたデータを使用して、選挙人（投票者）による投票を受け付ける電子投票装置２０３と、電子投票装置２０３が情報を読取り可能なカード（投票カード４０６又は運用カード４０５）を発行するカード発券機２０１を備えた投票所システム２００とを備えた電子投票システムの運営方法に関するものである。そして、その運営方法は図３９及び図４０に図示するような以下のステップから構成される。
【０１７７】
すなわち、図３９に図示するように、まず投票日の投票開始時刻の前において、選挙データ作成システム１００が、カード（投票カード４０６又は運用カード４０５）の読み取りの認証に関するカード認証キー４０３を予め生成するステップＳ１８０１を有する。カード認証キー４０３の具体的実施態様としては、カードとしてＩＣカードを使用する場合には、ＩＣチップ内部に暗号化されて記録されたデータを読み取るための復号鍵やパスワード等が挙げられる。これらは、任意の数値あるいは文字列の組み合わせにより実現される。
【０１７８】
選挙データ生成システム１００により作成された全ての投票所において共通の認証キー４０３を、電子投票装置２０３とカード発券機２０１に対して入力するステップＳ１８０２を有する。例えば、ＦＤやメモリカード等の可搬性のある記録媒体等にカード認証キー４０３を記録して各投票所に移送し、電子投票装置２０３内部のＲＡＭ４５３及びカード発券機２０１の内部のＲＡＭ２０１１８上に認証キー４０３を記憶させる。このように、各投票所に配布するカード認証キー４０３を共通化し、さらに投票プログラム４０４及び候補者データ４０１も共通化して、同一コンテンツの複写用記録媒体４０９を配布するように構成することにより、各投票所へのメディア配送時の人的ミスの発生を極めて低く抑えることが可能となる。
【０１７９】
各投票所に設置されたカード発券機２０１が、投票日の投票開始時刻の前において、投票所に固有の管理識別コード４０５５（投票所ＩＤ、管理ＩＤ、投票所ＩＤともいう）を生成するステップＳ１８０３を有する。投票所ＩＤ４０５５は、乱数等を用いて生成された任意の数値列又は文字列、あるいはこれらの任意の組み合わせにより実施可能である。管理識別コード４０５５は、原則として投票所毎に異なるコードとなるため、投票所ＩＤともいう。
【０１８０】
カード発券機２０１を用いて、各投票所における投票管理者（カード認証キー４０３を発行した選挙管理委員会の職員とは異なる）が管理所有するＩＣカードである運用カード４０５に、カード認証キー４０３と投票所ＩＤ４０５５とを記録するステップＳ１８０４を有する。なお、本発明は、他の実施形態として、上記のように各投票所でカード認証キー４０３をメディアに記録するのではなくて、選挙データ作成システム１００が認証キー４０３を生成した際に運用カード４０５用のブランクメディアに記録し、各投票所の投票管理者に対してこれを配布することも可能である。この場合には、投票所において、カード認証キー４０３が予め記録された運用カード４０５に対して、投票所ＩＤ４０５５のみを記録する。
【０１８１】
カード認証キー４０３と投票所ＩＤ４０５５とが記録された運用カード４０５を、投票所の投票管理者がカード発券機２０１から取り出し、同一投票所内の電子投票装置２０３に移送するステップＳ１８０５を有する。
電子投票装置２０３が有する投票カード記録読取手段２０３２に運用カード４０５を挿入し（ステップＳ１８０５ａ）、運用カード４０５に記録されたカード認証キー４０３と、電子投票装置２０３のＲＡＭ４５３上に記録されたカード認証キーとを照合するステップＳ１８０６を有する。例えば、電子投票装置２０３が、運用カードのＩＣチップに対して認証キー４０３を送信し、ＩＣチップの読取りのパスワードを解除可能な否かを判定する。あるいは、ＩＣチップ内のデータが平文でなく暗号文の場合には、復号化できるか否かを判定する。
【０１８２】
ステップＳ１８０７の条件分岐において、照合が正常に行われた場合にのみ（ステップＳ１８０７の「ＹＥＳ」）、カードに記録されたカード種別（投票カードか運用カードかのＩＤ）を読み取る（ステップＳ１８０８）。カード種別が運用カードであった場合には（ステップＳ１８０８ａの「ＹＥＳ」）、次のステップに移る。
電子投票装置２０３が、運用カード４０５に記録された管理識別コード４０５５を読み取るステップＳ１８０９を有する。もし、正常に読み取られた場合には（ステップＳ１８１０の「ＹＥＳ」）、電子投票装置のＲＡＭ４５３上に記憶、蓄積し（ステップＳ１８１１）、カード挿入待ち画面をＬＣＤ画面２０３１に表示し（ステップＳ１８１２）、電子投票装置が投票可能な状態になる。
【０１８３】
このようにして、カード発券機２０１が投票日当日に生成した管理識別コード４０５５が、カード発券機２０１と同一の投票所内に設置された各々の電子投票装置に伝播される。これらの一連のステップにより、投票所内のカード発券機２０１及び（通常は複数の）電子投票装置２０３とが同一の管理識別コード４０５５（投票所ＩＤ）で管理されることになり、この管理識別コードを有する投票カード４０６のみを受け入れ可能となる。
【０１８４】
上記した一連のステップは、電子投票装置２０３を投票開始可能な状態にするためのステップであるから、投票日当日の投票開始時刻の前に行なうのがよい。このステップを行なう前の、投票日前日の電子投票装置設置後から投票日当日にかけては、いかなる人間も投票を開始することができない。このように運用カードを用いた電子投票システムの運営方法は、簡便な方法で、特別な警備のコストを削減できるばかりでなく、選挙運営の透明性を確保できるという効果がある。
【０１８５】
なお、これらの操作は、投票管理者が必ずしも行わなければならないものではない。例えば、投票所に最初に来場した選挙人に対して発行された投票カード４０６を、運用カードの代わりにもちいて、投票管理者の立会いのもと、発券機２０１から電子投票装置２０３への投票所ＩＤの伝播を行なうように運営することも可能である。このような場合には、運用カードは不要であり、投票カードのみで、投票所ＩＤ（管理識別コード）を伝播させるような運営の形態となる。
【０１８６】
また、上記したステップのうち、カード認証キー４０３の照合に失敗した場合（ステップＳ１８０７の「ＮＯ」）、あるいはカード種別が運用カード４０５でない場合（ステップ１８０８ａの「ＮＯ」、若しくは管理識別コード（投票所ＩＤ）を正常に読み取ることができなかった場合（ステップＳ１８１０の「ＮＯ」）には、ステップＳ１８１３のカード排出処理により、運用カード４０５が排出され、電子投票装置がカード挿入待ち画面（図４１に図示）を表示する。
【０１８７】
次に、図４０を参照しながら、投票開始時刻の後のステップを説明する。はじめに、管理識別ＩＤ４０５５を記憶した電子投票装置２０３には、図４１に図示するようなカード挿入待ち画面が表示されている（ステップＳ１９０１）。
図４０において、投票所の受付で投票所の係員が選挙人名簿との対照を行なうことにより本人確認を行った選挙人（投票者）に対し、前記カード発券機２０１により、全投票所共通の認証キー４０３及び投票所固有の管理識別コード４０５５を記録した投票カード４０６を発券するステップＳ１９０２を有する。投票カード４０６は、電子投票装置２０３に挿入したときに、電子投票装置２０３を投票可能な状態にさせるアクチベータであり、投票カードには、管理識別コード（投票所ＩＤ）４０５５以外に図２３に図示する選挙人特性ＩＤ２０２１（選挙人の身体障害の種類によって選択可能な入出力手段のコード）、実施される選挙の選挙ＩＤに対する投票可能か未発券かを識別する投票フラグ２０２２等が記録されている。
【０１８８】
選挙人により発券機２０１から電子投票装置２０３まで人的に移送され、選挙人が電子投票装置２０３に投票カード４０６を挿入するステップＳ１９０３を有する。すなわち、選挙人は投票所で発券された投票カード４０６を投票管理者から受け取った後に投票所内に設置された電子投票装置２０３に向かい、投票カード記録読取手段２０２２に挿入する。投票カードは、カード搬送機構により機械的に電子投票装置２０３内部に取り込まれる。
【０１８９】
電子投票装置２０３により、ＲＡＭ４５３上に蓄積された認証キー２０３を使用して投票カード４０６を読取り、認証キーを照合するステップＳ１９０４を有する。これは、投票プログラム４０４のカード制御部４１５により、データの読取に先立って、読取可能か否かを判断を行なうステップである。照合された場合には（ステップＳ１９０５の「ＹＥＳ」）、次のステップに移行する。照合が正常に行なうことができなかった場合には（ステップＳ１９０５の「ＮＯ」）、投票カードを投票カード記録読取手段２０２２から排出し（ステップＳ１９１４）、投票カード入力待ち状態のステップＳ１９０１に戻る。
【０１９０】
カード認証キーの照合が正常になされた場合には、カード種別の読取りのステップを有する。すなわち、挿入されたカードが、投票カードか運用カードかを識別するコードを読み取る（ステップＳ１９０６）。これは、図２３には、カード種別として図示されている。カード種別が投票カードであった場合には（ステップＳ１９０７の「ＹＥＳ」）、次のステップに移る。もし、カード種別が運用カードであったり、正常に識別コードを読み取ることができなかったりした場合には（ステップＳ１９０７の「ＮＯ」）、カード排出処理（ステップＳ１９１４）を経て、ステップＳ１９０１に戻る。
【０１９１】
次に、図４０における投票カード４０６の管理識別コード４０５５を読み取るステップＳ１９０８を有する。仮に、正常に読み取られた場合には（ステップＳ１９０８ａの「ＹＥＳ」）、次のステップに移る。読取りに失敗した場合には、カード排出処理のステップＳ１９１４を経て、ステップ１９０１に戻る。
【０１９２】
次に投票カード４０６から読み取った前記管理識別コード４０５５と、電子投票装置２０３のＲＡＭ４５３上に予め記憶された管理識別コード４０５５とを照合するステップＳ１９０９を有する。これは、電子投票装置２０３に挿入された投票カード４０６が、当該電子投票装置が設置された投票所の発券機２０１により確かに発券されたカードであるかどうかの、正当性を照査するステップである。仮に当該投票所以外の発券機で発行されたカードが用いられた場合には、カード排出処理のステップＳ１９１４により、それらの投票カードは受け付けられないこととなる。また、投票カードの偽造を行なうことも、極めて困難である。投票カードに記録された管理ＩＤは、投票日当日に発行されるものであるから、投票日に先立って偽造カードを製造することは事実上不可能である。また、投票日においては、投票カードは、認証キーによって読取保護されており、しかも既に述べたように投票終了後にデータが初期化されるものであるから、管理ＩＤを盗み出すことは極めて困難である。こうして、投票カードの悪用による不正投票の危険性を事実上解消することができる。
【０１９３】
最後に、前記管理識別コード４０５５の照合が正常になされた場合にのみ（ステップＳ１９１０の「ＹＥＳ」）、投票カードに記録された選挙情報を読取り（ステップＳ１９１１）、読み取った選挙の候補者を選択可能な画面を表示して（ステップＳ１９１２）、電子投票装置２０３により選挙人が投票動作を開始するステップＳ１９１３を有する。選挙人は、電子投票装置２０３内部で動作する投票プログラム４０４により、タッチパネル式ＬＣＤ２０３１上に表示された候補者選択画面を選択操作し、投票を行なう。
【０１９４】
図４１は、本実施例に適用される電子投票装置２０３のＬＣＤ２０３１１に表示される投票カード入力待ち画面の一例を示す図である。「投票カードを入れてください」というガイダンスが文字及び音声により行われるとともに、電子投票装置２０３のカード記録読取手段２０３２の位置と投票カード４０６の挿入の向きが選挙人にわかりやすいようにアニメーション表示される。また画面右下に、この電子投票装置２０３で投票された票数が、投票件数として表示されている。最初の投票者は、この表示が０件であることを確認し（零票確認）、投票を開始する。なお、この投票カード入力待ち画面は、投票プログラム４０４における投票画面作成部４３３により、候補者データ４０１における固定画面レイアウトテーブル４０１ｄ及び表示メッセージテーブル４０１ｆが参照されて作成され、ＬＣＤ２０３１１上に表示される。
【０１９５】
図４２は、本実施例に適用される電子投票装置２０３のＬＣＤ２０３１１に表示される投票カード抜取待ち画面の一例を示す図である。投票が終了し、カード記録読取手段２０３２より投票カード４０６が自動排出されると、当該投票を行った選挙人に対して「投票が終了しました。投票カードを抜き取り、投票カードを係員にお返しください。」というガイダンスが文字及び音声により行われる。なお、この投票カード抜取待ち画面は、投票プログラム４０４における投票画面作成部４３３により、候補者データ４０１における固定画面レイアウトテーブル４０１ｄ及び表示メッセージテーブル４０１ｆが参照されて作成され、ＬＣＤ２０３１１上に表示される。
【０１９６】
図４３は、本実施例に適用される電子投票装置２０３の候補者選択画面の一例を示す図である。かかる画面により、選挙の候補者の一覧が、タッチパネル２０３１３で入力可能な候補者ボタンとしてＬＣＤ２０３１１上に表示される。
【０１９７】
図４４は、本実施例に適用される電子投票装置２０３の候補者選択画面（ボタン押下時）の一例を示す図である。かかる画面により、投票者がタッチパネル２０３１３に触れることにより選択した候補者ボタンがＬＣＤ２０３１１上で反転表示され、入力が行われたことを投票者に報知する。
【０１９８】
図４５は、本実施例に適用される電子投票装置２０３の候補者選択画面（２８名表示）の一例を示す図である。かかる画面により、単一画面に２８個の候補者ボタンが表示される。このボタンサイズは、水平幅ａ＝６９ｍｍ、垂直幅ｂ＝１８ｍｍであり、ＬＣＤ２０３１１の水平方向に４個、垂直方向に７個のボタンを表示している。このボタンサイズは経験的に求められた大きさであるが、平均的な視力の選挙人がボタン上の文字を視覚認識可能であり、かつ一般的な指のサイズの選挙人が押下するのに、不自由ない大きさである。
【０１９９】
選挙名や、表示メッセージ等が表示されているが、これらを表示せずに、候補者ボタンのみを表示したとすると、１５インチディスプレイの場合には、最大４８個の候補者ボタンを表示することができる。一般のＮインチのディスプレイの場合には、アスペクト比を４：３と仮定すると、Ｉｎｔ（２０Ｎ／ａ）×Ｉｎｔ（１５Ｎ／ｂ）の個数の候補者ボタンを表示できる。但し、Ｉｎｔ（）は、（）内の数値を超えない最大の整数を表す。例えば、Ｎ＝２１インチのＬＣＤの場合には、１０２個（＝水平６個×垂直１７個）の候補者ボタンを表示できる。そして、このようにして計算された候補者ボタンの数を超えた場合には、図４６に示すような、頭文字選択画面に表示を切り替えるように構成する。なお、このボタンのサイズ及び計算式は、多少の数値の変動があったとしても、この発明の範囲を逸脱しないものである。
【０２００】
図４６は、本実施例に適用される電子投票装置２０３の頭文字選択画面の一例を示す図である。かかる画面により、単一頁に表示できない候補者数の場合に、頭文字選択による公平な選択画面を提供できる。
【０２０１】
図４７は、本実施例に適用される電子投票装置２０３の頭文字選択画面（該当候補者のみの表示）の一例を示す図である。かかる画面により、立候補した候補者の頭文字のみが、投票者に対して報知される。
【０２０２】
図４８は、本実施例に適用される電子投票装置２０３の頭文字該当候補者選択画面（「お」選択時）の一例を示す図である。かかる画面により、選択した頭文字に該当する候補者の一覧が、単一頁で表示される。
【０２０３】
図４９は、本実施例に適用される電子投票装置２０３の頭文字該当候補者複数頁選択画面の一例を示す図である。かかる画面により、選択した頭文字に該当する候補者の一覧が、複数頁にわたって表示される。
【０２０４】
図５０は、本実施例に適用される電子投票装置２０３の複数選択頁案内画面の一例を示す図である。かかる画面より、候補者画面が複数頁存在することを投票者に対して報知することにより注意を喚起する。
【０２０５】
図５１は、本実施例に適用される電子投票装置２０３の投票進捗画面の一例を示す図である。かかる画面により、タッチパネル２０３１３を使用する代わりに、バリアフリー入力機器（運動機能障害用プッシュスイッチ、視覚障害者用専用キーボード等）を使用して投票を行なう選挙人の操作補助者（介助者）に対し、投票操作の進捗状況が報知される。
【０２０６】
図５２は、本実施例に適用される電子投票装置２０３の候補者確認画面の一例を示す図である。かかる画面により、投票者が仮選択した候補者を拡大表示し、投票意思の確認を行なう。
【０２０７】
図５３は、本実施例に適用される電子投票装置２０３の棄権確認画面の一例を示す図である。かかる画面により、投票者の投票の棄権意思（再投票意思も含む）の確認を行なう。
【０２０８】
図５４は、本実施例に適用される電子投票装置２０３の選挙終了画面の一例を示す図である。かかる画面により、複数の選挙を行なう場合において、一つの選挙が終了したことを、投票者に対して報知する。
【０２０９】
図５５は、本実施例に適用される電子投票装置２０３の選挙終了確認画面の一例を示す図である。かかる画面により、原本用記録媒体４０８に、投票データ４０７及び投票ログ４０７５が正しく記録されたことを、投票者に報知する。
【０２１０】
図５６は、本実施例に適用される電子投票装置２０３に複写用記録媒体４０９の記録障害発生を報知する画面の一例を示す図である。かかる画面により、複写用記録媒体４０９への書き込みエラーが発生し、原本用記録媒体４０８には、正しく記録されていることを、投票所の係員（投票立会人や投票管理者）あるいは選挙人に報知する。この場合は、係員が画面表示を確認した上で、選挙人に対して、投票を確定していることを伝える。そして、書き込みエラーの原因が、複写用記録媒体４０９の不良にあるのか、あるいは電子投票装置２０３自体にあるのか直ちに明らかにすることが困難であるために、投票時間内においては障害が発生した当該電子投票装置の使用を停止する措置をとる。開票時においては、原本用記録媒体４０８を使用し、エラー発生時の投票までの投票を有効とする。一方、複写用記録媒体４０９は、開票には使用しないこととする。
【０２１１】
図５７は、本実施例に適用される電子投票装置２０３に致命的なエラーが発生したことを報知する画面の一例を示す図である。致命的なエラーとは、例えば、原本用記録媒体４０８に書き込みエラーが発生した場合などをいう。このような場合には、投票所の係員（投票立会人や投票管理者）が、画面表示を確認し、投票カード４０６を再発行して、当該電子投票装置とは別の電子投票装置で投票させることにする。開票時においては、この原本用記録媒体４０８は使用せず、複写用記録媒体４０９のみを使用する。原本用記録媒体４０８には、障害発生以前には投票データが記録されているが、これらは正常に記録されていない恐れがあるからである。複写用記録媒体４０９は、エラー発生時にのデータは記録されていないため、エラー発生時の以前の投票者によるデータを有効票として開票することとする。
【０２１２】
図５８は、本実施例に適用されるカード認証キー４０３の一例を示す図である。カード認証キー４０３とは、ＩＣカードのデータにアクセスするための鍵であり、数字又は文字の列として実現される。本実施例に適用される電子投票システムの運営方法では、カード認証キー４０３は選管で作成され、全投票所に対して、同一のカード認証キーが配布される。カード認証キー４０３の配布の形態は、選管で予め、ＩＣカード（投票カード４０６や運用カード）にカード認証キー４０３を入力した後に、投票所に配布する方法がある。あるいは、ＩＣカードとは別の記録媒体によりカード認証キー４０３を投票所に配布し、投票所において、ＩＣカードにカード認証キー４０３を導入するように構成してもよい。
【０２１３】
図５９は、本実施例に適用される投票モードを規定する選挙人特性ＩＤ２０２１により規定される入出力手段の一例を示す図である。第１列が選挙人特性ＩＤ２０２１を示す数値であり、第２列が、対応する選挙人特性の具体例である。選挙人特性とは、非障害、視覚障害、聴覚障害、肢体障害、内部障害、とこれらの任意の組み合わせである。そして、同一の選挙人特性に対して、障害等級の軽重に応じて、図１８の第４列及び第５列の欄に示すように、使用する報知手段２０３０５及び入力手段２０３０６が異なる。例えば、選挙人特性ＩＤ２０２１が「００」である非障害者（健常者）である選挙人に対しては、電子投票装置２０３のＬＣＤ２０３１に健常者用投票画面を表示し、入力手段２０３０６としてはタッチパネル、報知手段２０３０５としてＬＣＤを使用する。
【０２１４】
また、図５９における選挙人特性ＩＤ２０２１が「０１」である視覚障害者（６級）の選挙人（万国試視力表で測定した一眼の視力が０．０２以下、他眼の視力が０．６以下のもので、両眼の視力の和が０．２を超えるもの）に対しては、電子投票装置２０３のディスプレイユニット２０３１に弱視者用投票画面を表示し、入力手段２０３０６としてはタッチパネル２０３１３、報知手段２０３０５としてＬＣＤ２０３１１を使用する。
【０２１５】
一方、選挙人特性ＩＤ２０２１が「０２」である視覚障害者（１級）の選挙人（両眼の視力の和が０．０１以下のもの）に対しては、電子投票装置２０３のＬＣＤ２０３１１に投票進捗画面（候補者名などの投票内容は表示せずに投票の進捗状態のみを表示する画面。図５１に図示）を表示して介助者に対する投票の秘密の漏洩を防止し、入力手段２０３０６としては視覚障害者用専用キーボード２０３８１、報知手段２０３０５として音量調整付きヘッドホン２０３９１とスピーカ２０３３による音声ガイドを使用する。さらに、選挙人特性ＩＤ２０２１が「０３」である視聴覚障害者（盲ろう者）の選挙人（両眼の視力の和が０．０１以下であり、かつ両耳の聴力レベルがそれぞれ１００デシベル以上のもの）に対しては、電子投票装置２０３のＬＣＤ２０３１１に投票進捗画面（候補者名などの投票内容は表示せずに投票の進捗状態のみを表示する画面。図５１に図示）を表示して介助者に対する投票の秘密の漏洩を防止し、入力手段２０３０６としては視覚障害者用専用キーボード２０３８１、報知手段２０３０５としてカナ文字ピンディスプレイ（あるいは点字ディスプレイ）を使用する。
【０２１６】
また、選挙人特性ＩＤ２０２１が「０４」である肢体不自由者（上肢切断又は上肢機能障害）の選挙人に対しては、電子投票装置２０３のＬＣＤ２０３１に健常者と同一の投票画面を表示し、入力手段２０３０６としては肢体不自由者用キーボード（不図示）又は足で入力可能なフットスイッチ、報知手段２０３０５としてＬＣＤを使用する。一方、選挙人特性ＩＤ２０２１が「０５」である肢体不自由者（全身性運動又は機能障害）の選挙人に対しては、電子投票装置２０３のディスプレイユニット２０３１に投票進捗画面（候補者名などの投票内容は表示せずに投票の進捗状態のみを表示する画面。図５１に図示）を表示して介助者に対する投票の秘密の漏洩を防止するとともに、入力手段２０３０６として不随意運動があっても入力可能な運動機能障害用プッシュスイッチ２０３７１、報知手段２０３０５として頭に固定して使用する眼鏡型表示機であるヘッドマウントディスプレイをバリアフリー用ヘッドマウントディスプレイ端子２０３０２に接続して使用する。
【０２１７】
選挙人特性ＩＤ＝０５の選挙人が使用するヘッドマウントディスプレイに表示される画面は、選択可能項目（すなわち図５３における反転表示部分）が一定時間間隔で自動的に順次切り替わるスキャン入力画面を使用する。さらに、選挙人特性ＩＤ２０２１が「０６」である内部障害（難読）を伴う選挙人対しては、電子投票装置２０３のディスプレイユニット２０３１に健常者用投票画面を表示し、入力手段２０３０６としてはタッチパネル、報知手段２０３０５としてＬＣＤを使用するが、画面の進行や音声ガイドをスローで再生させる。このように、あらゆる障害に対して選挙人特性ＩＤを付与して入力手段２０３０６と報知手段２０３０５を規定することにより、すべての選挙人に対して投票モードを提供することが可能になり、電子投票装置２０３をバリアフリー化（ユニバーサルデザイン化）することができる。なお、実際の投票でどのような報知手段及び入力手段が適しているかは、全国の障害者や高齢者に対して実施した模擬投票実験によって経験的に明らかになったものである。
【０２１８】
以下、図６０〜図６２を参照しながら、選挙の立候補者による届け出から、選挙人による投票、投票管理者による開票までの流れの一例を説明する。図６０は、本実施例に適用される電子投票装置２０３の投票の準備の流れを示すフローチャートである。投票日当日に、投票管理者によりステップＳ２０１により電子投票装置の電源のＯＦＦが確認された後、電子投票装置の立ち上げが行われ、最初の選挙人による「ゼロ票」確認待ち状態の準備が行われる。
【０２１９】
１）投票プログラム４０４、候補者データ４０１、カード認証キー４０３の投票所への送付
ステップＳ２０４ａにおいてあらかじめ作成された選挙データマスター４００を選挙管理委員会からの検査・承認終了後（ステップＳ２０４ｂ）、選挙データメディアコピー機１０２により電子投票装置２０３のための複写用記録媒体４０９であるメモリカードに複製され（ステップＳ２０４ｃ）、原本用記録媒体４０８と共に各投票所へ送付される。したがって、全ての投票所において、カード認証キー４０３などのデータは共通となる。通常、送付は投票日前日までに行われる。
【０２２０】
２）運用カードの作成
投票管理者は、投票カード発券機２０１を使い、固有の投票所ＩＤを付与した運用カード４０５を作成する。投票所ＩＤは、例えば乱数を用いて固有に生成された数値であり、原則として投票所ＩＤは投票所毎に異なることとなる。
【０２２１】
３）選挙開始前に投票プログラム、候補者データ、カード認証キーをインストール
南京錠２０３０ａの鍵及び運用カード４０５（ＩＣカード）を保有する投票管理者がフロントドア２０３０を開錠し、原本用記録媒体４０８と複写用記録媒体４０９を本電子投票装置２０３へ装着し（ステップＳ２０３、Ｓ２０４）、複写用記録媒体４０９より投票プログラム４０４、候補者データ４０１、カード認証キー４０３をインストールする（ステップＳ２１０）。
【０２２２】
４）記録媒体装着
原本用記録媒体４０８及び複写用記録媒体４０９は、通常投票日前日での事前動作チェック時に装着され、南京錠２０３０ａにより施錠管理される。このように、カード認証キー４０３を発行した選管の人間と、投票所ＩＤを発行した投票所の投票管理者の双方がセキュリティに関与することとなり、選挙運営の透明性を高めることができる。
【０２２３】
次に図６１を用いて単一選挙（単記式）の投票実施例を説明する。実際の選挙では最高裁判所裁判官の国民審査のように候補者一覧から複数の候補者を選択する選挙もあるが、ここでは単一の候補者を選択する単記式選挙に限定して説明する。図６１は、本実施例に適用される電子投票システムの運営方法による単一選挙（単記式）の投票の流れの一例を示すフローチャートである。
【０２２４】
１）「ゼロ票」確認
投票所での最初の選挙人は、投票管理者と投票立会人の立ち会いのもと、ゼロ票確認機能により「ゼロ票」を確認する（ステップＳ７０２）。ゼロ票確認機能とは、例えば、カード挿入待ち画面において、電子投票装置の原本用記録媒体４０８に記録された票、すなわち投票データ４０７の数を投票件数として表示する機能である。
なお、「ゼロ」票確認は、運用カード４０５の認証完了時点で成立する（ステップＳ７０５の「ＯＫ」）
【０２２５】
２）電子投票装置の開始
「ゼロ票」の確認終了後、投票管理者は運用カードを使い投票開始手続を行い、投票カード入力待ち機能を起動する（ステップＳ７０９）。すなわち、投票所ＩＤ４０５５が電子投票装置のＲＡＭ４５３上に記憶され、投票カード４０６を受け入れ可能な状態となる。なお、投票の開始は、運用カード４０５を電子投票装置２０３から抜いた時点で成立する。
【０２２６】
３）投票の開始
投票カード入力待ち機能（ステップＳ７０９）にて、選挙人はカード発券機２０１により発券された投票カード４０６を本電子投票装置２０３に挿入し（ステップＳ７１０）、カード認証キー４０３を用いて、投票カード４０６を読取り、投票カード４０６に記録された投票所ＩＤ４０５５と、電子投票装置のＲＡＭ４５３上の投票所ＩＤ４０５５とを比較・照合する。照合が正常に行われた場合にのみ投票カード４０６に記録された投票権利（すなわち投票フラグ２０２２）を読取り、投票権利情報（すなわち投票フラグ２０２２が「投票可能」）が確認できた場合のみ電子投票装置能を起動する（ステップＳ７１１の「ＯＫ」）。確認と同時に、投票カード４０６のデータ領域は初期化され、全てのデータが消去される（ステップＳ７１２）。投票カードの初期化を行なうのは、カードの再使用による不正投票の恐れを完全に断ち切るためである。なお、投票の開始は、投票カードが初期化された時点で成立する。
【０２２７】
４）候補者の選択
ＬＣＤ画面上に図４３のような画面を表示する候補者選択機能（ステップＳ７１３）にて、選挙人は指又はスタイラスペンにより、候補者名に触れることで、候補者を選択する（ステップＳ７１４）。
【０２２８】
５）候補者選択の確認
ＬＣＤ２０３１１の画面上に図５２のような画面を表示する候補者確認機能にて（ステップＳ７１５）、選挙人は確認ボタンに指又はスタイラスペンで触れることにより、確認を行なう（ステップＳ７１６）。
【０２２９】
６）原本用記録媒体への投票データ記録
上記５）での確認により、投票データ４０７は最初に原本用記録媒体４０８に記録される（ステップＳ７１７）。続いて、投票ログ４０７５が原本用記録媒体４０８に記録される（ステップＳ７１７ａ）。
【０２３０】
７）投票の確定と投票確定ＬＥＤの点灯
原本用記録媒体４０８に投票データ４０７と投票ログ４０７５が記録された後、投票確定ＬＥＤ２０３４は点灯する（ステップＳ７１８）。なお、投票の確定は、投票データ４０７と投票ログ４０７５が原本用記録媒体４０８に記録確認された時点で成立する（ステップＳ７１８）。
【０２３１】
８）複写用記録媒体への投票データのバックアップ記録
次に、バックアップ用として複写用記録媒体４０９に同一の投票データ４０７及び投票ログ４０７５が記録される（ステップＳ７１９、Ｓ７２０）。なお、本実施例においては、投票データ４０７の暗号化は行っていない。将来において、投票データ４０７のネットワーク伝送を行なう場合には、ＤＥＳ暗号（ＤＥＳ：　Ｄａｔａ　Ｅｎｃｒｙｐｔｉｏｎ　Ｓｔａｎｄａｒｄ）のような共通鍵暗号やＲＳＡ暗号（ＲＳＡ：　Ｒｉｖｅｓｔ−Ｓｈａｍｉｒ−Ａｄｌｅｍａｎ）のような公開鍵暗号などにより投票データ４０７の暗号化を行い、開票時に復号化するように構成してもよい。
【０２３２】
９）投票の終了
投票カード４０６が排出される（ステップＳ７２１）と同時に、図４２のような画面を表示する投票カード抜取待ち機能（ステップＳ７２２）と音声ガイドにより、投票終了案内が行われ、選挙人は投票カード４０６を抜き取る（ステップＳ７２３）。なお、投票の終了は、投票カード４０６が排出された時点で成立する。
【０２３３】
１０）投票確定ＬＥＤの消灯
投票カードが抜き取られると、投票データの投票確定ＬＥＤ２０３４は消灯する（ステップＳ７２４）。
【０２３４】
１１）二重投票の防止
投票が終了し排出された投票カード４０６は初期化されているため、再度投票カードを挿入しても投票済みと判断され（ステップＳ７１１の「ＮＯ」）、二重投票が防止される。
【０２３５】
１２）２人目以降の投票
上記３）〜１０）が繰り返される。
【０２３６】
１３）投票カードの再発行
１．正常に発券された投票カードを挿入。
２．電子投票装置２０３による読取りエラーや初期化の書き込みエラーが発生。
３．不正操作をしていないことが明白。
４．投票カードを回収するとともに、当該投票カードの再利用禁止。
５．当該選挙人へ投票カードの再発行を行なう。
【０２３７】
図６２は、本実施例に適用される電子投票システムの運営方法による電子投票の終了の流れを示すフローチャートである。
以下、終了の流れを順を追って説明する。
１）投票所の閉鎖
南京錠２０３０ａの鍵及び運用カード４０５（ＩＣカード）を保有する投票管理者により、投票立会人の立ち会いのもと、投票所の閉鎖処理と投票の終了処理を行なう（ステップＳ８０１〜Ｓ８１３）。
２）投票データが記録されている原本用記録媒体と複写用記録媒体の取り外し投票管理者は、原本用記録媒体４０８と複写用記録媒体４０９を格納している電子投票装置２０３のフロントドア２０３２を開け、本電子投票装置の電源スイッチ２０３２により電源を遮断する。その後、原本用記録媒体４０８と複写用記録媒体４０９を取り出す（ステップＳ８１４、Ｓ８１５）。
３）投票データの送致
原本用記録媒体４０８と複写用記録媒体４０９を送致用格納箱に収納し（ステップＳ８１６）、施錠の上開票所へ送致する。
【０２３８】
図６３は、本実施例に適用される電子投票システムの復旧可能エラー発生時の処理の流れの一例を示すフローチャートである。ここで、エラーとは、投票プログラム４０４が検出可能であって、製造時にあらかじめ想定されていたものをいう。「エラー」は、次の二つに分類される。
１．リトライすることで復旧可能な「復旧可能エラー」
２．復旧不可能な「復旧不可能エラー」
【０２３９】
「復旧可能エラー」とは、
バリアフリー機器の接続不良
投票カード関連の不良時
に発生する障害である。具体的には、
１．投票カードの裏表や上下方向の挿入ミス、投票済みカード挿入による読み取りエラー。カード自体の不良の場合は投票権利の確認手段がないため、別途運用上の取り決めが必要である。
２．バリアフリー機器（視覚障害者用専用キーボード２０３８１、ヘッドホン２０３９１及び運動機能障害用プッシュスイッチ２０３７１）の接続ミスや接続はずれ。
等が考えられる。復旧可能エラーが発生した場合は、基本的には、画面表示機能に従って行い、バリアフリー機器の再接続や投票カード４０６の再挿入を行なうことで復旧させる。これにより症状が改善しない場合は、運用上、復旧不可能エラーとしての処理を行なう。
【０２４０】
「復旧不可能エラー」は、
投票プログラムが以降の投票操作が行えない状態
と判断した際に出力される。
投票管理者は、画面表示事項に応じた対処を行い、電子投票装置の使用を停止しなければならない。
【０２４１】
さて、ステップＳ１０１において、投票者（選挙人）が投票カード４０６を挿入する。次にステップＳ１０２の条件分岐において、投票カードに記録された投票者の投票権利の確認を行い、もし投票カードに記録された投票権利がない、すなわち既に初期化済又は未発券であったとすると（ステップＳ１０２の「投票済（初期化済）」）、ステップＳ１０５に移り、復旧可能なエラーの種類（即ち投票済であること）を電子投票装置２０３のＬＣＤ２０３１１に表示した後に、ステップＳ１０６において投票カード４０６を排出する。投票カード４０６が排出されると、ステップＳ１０７において投票者及び投票補助者が、ＬＣＤ２０３１１に表示されたエラー内容を確認する。この場合は、ＬＣＤ２０３１１には、投票カードが投票済であった旨が表示されている。
【０２４２】
エラー内容の確認の後、ステップＳ１０８において、投票者が排出された投票カードを抜き取ると、ステップＳ１０９において、ＬＣＤ２０３１１には投票カード挿入待ち状態（図４１に図示）になる。そして、ステップＳ１１０において、投票者及び／又は投票補助者によるエラーからの復旧処理が行われる。具体的には、投票者が実際には、投票カード４０６を使用して投票を終えていなかったことが投票者の自己申告及び投票立会人の証言により確認されると、投票カード発券機２０１により、投票カード４０６が再発行される。投票者は、ステップＳ１１１において、再発行された投票カード４０６を、再挿入し、投票のやり直しを行なうこととなる。
【０２４３】
ステップＳ１０２の条件分岐において、投票カード４０６の読み取りエラーが発生した場合には（ステップＳ１０２の「カード識別不可」）、ステップＳ１０５において、復旧可能なエラーの種類（即ちカード識別不可であること）を電子投票装置２０３のＬＣＤ２０３１１に表示した後に、ステップＳ１０６において投票カード４０６を排出する。投票カード４０６が排出されると、投票者及び投票補助者が、ＬＣＤ２０３１１に表示されたエラー内容を確認する。この場合は、ＬＣＤ２０３１１には、挿入されたカードが認識できなかった旨が表示されている。エラー内容の確認の後、ステップＳ１０８において、投票者が排出されたカードを抜き取ると、ステップＳ１０９において、ＬＣＤ２０３１１には投票カード挿入待ち状態（図４１に図示）になる。そして、ステップＳ１１０において、投票者及び／又は投票補助者によるエラーからの復旧処理が行われる。具体的には、投票カード発券機２０１により、投票カード４０６が再発行される。投票者は、ステップＳ１１１において、再発行された投票カード４０６を、再挿入し、投票のやり直しを行なうこととなる。
【０２４４】
ステップＳ１０２の条件分岐において、投票カード４０６の投票権利が確認された場合には（ステップＳ１０２の「投票可能」）、ステップＳ１０３において、選挙人特性２０２１を読取り、選挙人特性ＩＤ＝００か否か、すなわちバリアフリー入出力オプションを使用するかどうかを識別する。選挙人特性ＩＤ＝００でなかった場合（ステップＳ１０３において「ＹＥＳ」）、ステップＳ１０４において、選挙人特性ＩＤに対応する入出力機器（図５９に図示）が接続されているかどうか確認する。ステップＳ１０４の条件分岐において、読み取られた選挙人特性ＩＤに対応する入出力機器が接続されていなかったとすると（ステップＳ１０４の「ＮＯ」）、ステップＳ１０５において復旧可能エラーの種類（すなわち入出力機器が接続されていないこと）をＬＣＤ２０３１１上に表示し、ステップＳ１０６において投票カード４０６を排出する。
【０２４５】
投票カード４０６が排出されると、ステップＳ１０７において投票者及び投票補助者が、ＬＣＤ２０３１１に表示されたエラー内容を確認する。この場合は、ＬＣＤ２０３１１には、ヘッドホン２０３９１投票カードが投票済であった旨が表示されている。エラー内容の確認の後、ステップＳ１０８において、投票者が排出された投票カード４０６を抜き取ると、ステップＳ１０９において、ＬＣＤ２０３１１には投票カード挿入待ち状態（図４１に図示）になる。そして、ステップＳ１１０において、投票者及び／又は投票補助者によるエラーからの復旧処理が行われる。投票者は、ステップＳ１１１において、再発行された投票カード４０６を、再挿入し、投票のやり直しを行なうこととなる。
【０２４６】
ステップＳ１０４の条件分岐において、読み取られた選挙人特性ＩＤに対応する入出力機器が正常に接続されていたとすると（ステップＳ１０４の「ＹＥＳ」）、ステップＳ１１２において投票カード４０６の初期化処理が行われる。次のステップＳ１１３において、ＬＣＤ２０３１１上に候補者選択画面が表示され、投票者は投票操作を行なう。投票操作を行っている途中で、例えば、ヘッドホン２０３９１のプラグがヘッドホン端子２０３９からが抜けてしまったとする（ステップＳ１１４の「ＮＯ」）。その場合には、ステップＳ１１５の復旧可能エラー表示機能により、ヘッドホン端子２０３９に接続されていない旨の表示がＬＣＤ２０３１１上に表示される。そして、ステップＳ１１６において、投票者及び／又は投票補助者によるエラーからの復旧処理、すなわちヘッドホン端子の接続が行われる。正常に接続されると、候補者選択画面に復帰し、投票者は、ステップＳ１１７において、投票を継続することとなる。
【０２４７】
図６４は、本実施例に適用される電子投票装置２０３の動作履歴を記録した投票ログの一例を示す図である。投票ログ４０７５は、電子投票装置２０３の電子投票プログラム４０４が行ったすべての動作履歴を時系列データとして記録したものである。時刻情報は、図６４の「時刻」のカラムに図示されるように、年、月、日、時、分、秒によって表現され、各々の時刻に対応する処理が、「機能分類」のカラムと「処理」のカラムとに格納されている。例えば、機能分類のカラムが「候補者選択」であるようなレコード（行）における処理（レイアウト設定：候補者ボタン等）は、投票プログラム４０４の投票画面作成部４３３が行った候補者選択画面（図３７に図示）の作成処理の詳細が逐次記録されている。投票中にエラーが発生した場合などには、この投票ログ４０７５を解析することにより、障害発生要因を把握することが可能となる。なお、これらのデータは、原本用記録媒体４０８及び複写用記録媒体４０９上のＣＳＶ形式（ＣＳＶ：Ｃｏｍｍａ　Ｓｅｐａｒａｔｅｄ　Ｖａｌｕｅ　（ｆｏｒｍａｔ）：項目間をカンマで区切ったファイルフォーマット）等の適切なフォーマットのテキストファイルとして保存される。
【０２４８】
図６５は、本実施例に適用される電子投票装置２０３による投票から終了までの流れの一例を示すシーケンス図である。始めに投票プログラム４０４の投票カード挿入待ち機能によって、図４１に図示する画面が表示されている。次に、カードＲ／Ｗ２０３２に、選挙人が投票カード４０６を挿入する。投票プログラム４０４は、投票カードが挿入されたことを検出すると、カード認証キー４０３を送信する。カードＲ／Ｗはカード認証キー４０３を、ＩＣカードの記録部に書き込み、ＩＣカードからのリターン値、即ちアクセスの可否を示す符号を投票プログラムに返す。アクセスが可であった場合には、投票プログラム４０４は、投票カード４０６か運用カード４０５かを識別するコードである、カード種別ＩＤ（図２３に図示）の読取を行なう。
【０２４９】
カードＲ／Ｗ２０３２から、カード種別ＩＤが投票カード４０６であることが読み取られると、投票カード４０６から、選挙人特性ＩＤ２０２１や投票フラグ２０２２が読み取られる。これらのデータがＲＡＭ４５３上に記憶されると、投票プログラム４０４により、原本用記録媒体４０８上に投票ログ４０７５を書き込むファイルがオープンされ、投票カード挿入処理に関するログの書込みが行われる（図６５では、すべてのログを投票ログ４０７５として図示している）。ログの記録が終了してファイルクローズされると、投票プログラム４０４により、ＲＡＭ４５３上のキャッシュ領域に存在するキャシュの吐き出しが行われる。キャッシュの吐き出しが完了すると、複写用記録媒体４０９上に、投票ログ４０７５を書き込むファイルをオープンし、原本用記録媒体４０８に記録したものと同一内容のログの書込みを行なう。複写用記録媒体４０９への投票ログ４０７５の書込みが終了するとファイルクローズし、キャッシュの吐き出しを行なう。
【０２５０】
次に、投票プログラム４０４により、操作表示灯２０３０１ｂのＧＰＩＯインターフェースに対して点灯信号が出力される。操作表示灯２０３０１ｂの点灯により、投票が開始されたことが、投票管理者や投票立会人に報知される。投票者は、ＬＣＤ２０３１１に表示された候補者選択画面（図４３に図示）、候補者確認画面（図５２に図示）等に従って、タッチパネル２０３１３に触れることにより投票操作を行なう。一連の投票操作において、画面の切替や、タッチパネルの操作等の電子投票装置２０３のすべての動作記録が図６４に示す投票ログの形で、原本用記録媒体４０８と複写用記録媒体４０９に対して、各々記録及び、キャシュの吐き出しが行われる。もし投票者が、投票意思確認画（図５２に図示）の「○投票します」に触れたとすると、投票プログラム４０４の投票データ記録部４３４によって、選択された候補者のＲＡＭ４５３上の投票データ４０７が、原本用記録媒体４０８に対して書き込まれる。
【０２５１】
ＲＡＭ４５３上のキャッシュの吐き出しが行われた後に、原本用記録媒体４０８上に作成された投票データ４０７のファイルをオープンしてＲＡＭ上に再び読込んで、比較、照合（ベリファイ）が行われ、確実にされたことが確認される。そして、投票ログの書込みが原本用記録媒体４０８に対して行われる。図には示されていないが、投票ログの書込みにおいても、キャッシュを吐き出した後に、生成された投票ログファイルを読み込んで、ベリファイが行われる。
【０２５２】
次に、原本用記録媒体４０８への投票データ４０７及び投票ログ４０７５の書込みが終了すると、投票プログラム４０４により、投票が確定されたことを投票者に報知するための投票確定ＬＥＤ２０３４を点灯させるための信号がＧＰＩＯポートに出力される。
【０２５３】
次に、投票確定２０３４が点灯すると、投票プログラム４０４により、複写用記録媒体４０９に対して、投票データ４０７及び投票ログ４０７５の複製処理が行われる。すなわち、投票プログラム４０４により、複写用記録媒体４０９上のファイルがオープンされ、ＲＡＭ４５３に記憶された投票データ４０７が書き込んだ後にファイルをクローズする。そして、ＲＡＭ４５３上のキャッシュの吐き出しが完了した後に、再びファイルオープンして、ＲＡＭ上に読込み、ファイルクローズした後にＲＡＭ上のデータを比較してベリファイを行なう。そして、投票ログ４０７５の複製についても、同様に記録及びキャッシュ吐き出しが行われる。
【０２５４】
次に、原本用記録媒体４０８および複写用記録媒体４０９に対して、投票データ４０７及び投票ログ４０７５の記録が終了すると、投票プログラム４０４により、カードＲ／Ｗに対して、投票カード４０６を排出させる命令が送信される。投票カードが搬送機構により機械的に排出されると、投票プログラム４０４は、原本用記録媒体４０８及び複写用記録媒体４０９に対して、ログの記録を行なう。このとき、これまでの処理と同様に、それぞれの記録媒体への書込みが終了してファイルをクローズする度に、キャシュの吐き出しを行って、その後に、ファイルオープンして書き込まれたデータのベリファイが行われる。
【０２５５】
次に、投票者によって、排出された投票カードがカードＲ／Ｗ２０３２より抜き取られると、投票確定ＬＥＤ２０３４及び操作表示灯２０３０１ｂに出力されていた信号をＯＦＦにする命令が、投票プログラム４０４により出力される。操作表示灯２０３０１ｂが消灯することにより、投票管理者や投票立会人に対して、投票が終了したことが報知される。これらの処理に対する投票ログ４０７５も、同様に、原本用記録媒体４０８及び複写用記録媒体４０９に対して記録される。
【０２５６】
なお、本実施例は、上記実施例の非ネットワーク型の第１段階の電子投票システムに限定されるものではなく、第２段階及び第３段階のネットワーク型の電子投票システムにおける投票データの記録する際にも適用することができる。
【０２５７】
【発明の効果】
以上詳述したように、本発明は、一つの記録媒体に複数の投票者の投票データを記録する直接記録方式の電子投票装置において、投票結果を複数のファイルにランダムに割り振って、各々のファイルに対しては順次記録するように構成することにより、投票の秘密を保障することができ、かつゼロデータが発生しない投票データ生成方法及び電子投票装置並びに電子投票プログラムを提供できるという効果がある。
【図面の簡単な説明】
【図１】本実施例に適用される投票データの生成方法を示す図である。
【図２】本実施例に適用される投票データの生成方法を示すフローチャートである。
【図３】本発明の実施例に係る電子投票装置を用いた電子投票システムの全体構成の一例を示す図である。
【図４】本実施例に適用される電子投票装置の外装の一例を示す斜視図である。
【図５】本実施例に適用される電子投票装置の外装に係る別の一例を示す斜視図である。
【図６】本実施例に適用される電子投票装置の外装の一例を示す上面図である。
【図７】本実施例に適用される電子投票装置の外装の一例を示す正面図である。
【図８】本実施例に適用される電子投票装置の外装の一例を示す正面図（フロントドアオープン時）である。
【図９】本実施例に適用される電子投票装置の外装の一例を示す背面図である。
【図１０】本実施例に適用される電子投票装置内部のハードウェア構成の一例を示す図である。
【図１１】本実施例に適用される電子投票装置内部のＲＡＭのデータ構造の一例を示す図である。
【図１２】本実施例に適用されるシリコンディスク内部のデータ構造の一例を示す図である。
【図１３】本実施例に適用される電子投票プログラムの構造の一例を示す図である。
【図１４】本実施例に適用される候補者データの構造の一例を示す図である。
【図１５】本実施例に適用される候補者データを構成する候補者テーブル（選挙ＩＤ＝１用）の一例を示す図である。
【図１６】本実施例に適用される候補者データを構成する政党テーブルの一例を示す図である。
【図１７】本実施例に適用される候補者データを構成する投票所グループテーブルの一例を示す図である。
【図１８】本実施例に適用される候補者データを構成する固定画面レイアウトテーブルの一例を示す図である。
【図１９】本実施例に適用される候補者データを構成する投票画面レイアウトテーブル（選挙ＩＤ＝１用）の一例を示す図である。
【図２０】本実施例に適用される候補者データを構成する表示メッセージテーブルの一例を示す図である。
【図２１】本実施例に適用される電子投票装置内部に格納される原本用記録媒体のデータ構造の一例を示す図である。
【図２２】本実施例に適用される電子投票装置内部に格納される複写用記録媒体のデータ構造の一例を示す図である。
【図２３】本実施例に適用される電子投票装置内部に挿入される投票カード又は運用カードのデータ構造の一例を示す図である。
【図２４】本実施例に適用される投票カードに記録される投票フラグのデータ構造の一例を示す図である。
【図２５】本実施例に適用される投票プログラムを構成するカード読取部の処理の流れの一例を示すフローチャートである。
【図２６】本実施例に適用される投票プログラムを構成する投票制御部の処理の流れの一例を示すフローチャートである。
【図２７】本実施例に適用される投票プログラムを構成する投票制御部における候補者選択画面投票制御部の処理の流れの一例を示すフローチャートである。
【図２８】本実施例に適用される投票プログラムを構成する投票制御部における頭文字選択画面投票制御部の処理の流れの一例を示すフローチャート（１／５）である。
【図２９】本実施例に適用される投票プログラムを構成する投票制御部における頭文字選択画面投票制御部の処理の流れの一例を示すフローチャート（２／５）である。
【図３０】本実施例に適用される投票プログラムを構成する投票制御部における頭文字選択画面投票制御部の処理の流れの一例を示すフローチャート（３／５）である。
【図３１】本実施例に適用される投票プログラムを構成する投票制御部における頭文字選択画面投票制御部の処理の流れの一例を示すフローチャート（４／５）である。
【図３２】本実施例に適用される投票プログラムを構成する投票制御部における頭文字選択画面投票制御部の処理の流れの一例を示すフローチャート（５／５）である。
【図３３】本実施例に適用される投票プログラムを構成する投票データ記録部の処理の流れの一例を示すフローチャートである。
【図３４】本実施例に適用される運用カードを発行するカード発券機のハードウェア構成の一例を示す図である。
【図３５】本実施例に適用される運用カードを発行するカード発券機のソフトウェア構成の一例を示す図である。
【図３６】本実施例に適用される発券機メディアのデータ構造の一例を示す図である。
【図３７】本実施例に適用される発券機メディアに格納される実施選挙の種類を示す図である。
【図３８】本実施例に適用される発券プログラムを構成する投票所ＩＤ生成部の一例を示すフローチャートである。
【図３９】本実施例に適用される運用カード及び投票カードを用いた電子投票システムの運営方法の流れを示す前半のフローチャートである。
【図４０】本実施例に適用される運用カード及び投票カードを用いた電子投票システムの運営方法の流れを示す後半のフローチャートである。
【図４１】本実施例に適用される電子投票装置のＬＣＤに表示される投票カード入力待ち画面の一例を示す図である。
【図４２】本実施例に適用される電子投票装置のＬＣＤに表示される投票カード抜取待ち画面の一例を示す図である。
【図４３】本実施例に適用される電子投票装置の候補者選択画面の一例を示す図である。
【図４４】本実施例に適用される電子投票装置の候補者選択画面（ボタン押下時）の一例を示す図である。
【図４５】本実施例に適用される電子投票装置の候補者選択画面（２８名表示）の一例を示す図である。
【図４６】本実施例に適用される電子投票装置の頭文字選択画面の一例を示す図である。
【図４７】本実施例に適用される電子投票装置の頭文字選択画面（該当候補者のみの表示）の一例を示す図である。
【図４８】本実施例に適用される電子投票装置の頭文字該当候補者選択画面（「お」選択時）の一例を示す図である。
【図４９】本実施例に適用される電子投票装置の頭文字該当候補者複数頁選択画面の一例を示す図である。
【図５０】本実施例に適用される電子投票装置の複数選択頁案内画面の一例を示す図である。
【図５１】本実施例に適用される電子投票装置の投票進捗画面の一例を示す図である。
【図５２】本実施例に適用される電子投票装置の候補者確認画面の一例を示す図である。
【図５３】本実施例に適用される電子投票装置の棄権確認画面の一例を示す図である。
【図５４】本実施例に適用される電子投票装置の選挙終了画面の一例を示す図である。
【図５５】本実施例に適用される電子投票装置の選挙終了確認画面の一例を示す図である。
【図５６】本実施例に適用される電子投票装置の複写用記録媒体の記録障害発生を報知する画面の一例を示す図である。
【図５７】本実施例に適用される電子投票装置に致命的なエラーが発生したことを報知する画面の一例を示す図である。
【図５８】本実施例に適用されるカード認証キーの一例を示す図である。
【図５９】本実施例に適用される投票モードを規定する選挙人特性ＩＤの一例を示す図である。
【図６０】本実施例に適用される電子投票装置の投票の準備の流れを示すフローチャートである。
【図６１】本実施例に適用される電子投票システムの運営方法による単一選挙（単記式）の投票の流れの一例を示すフローチャートである。
【図６２】本実施例に適用される電子投票システムの運営方法による電子投票装置の終了の流れを示すフローチャートである。
【図６３】本実施例に適用される電子投票システムの運営方法による復旧可能エラー発生時の処理の流れの一例を示すフローチャートである。
【図６４】本実施例に適用される電子投票装置の動作履歴を記録した投票ログの一例を示す図である。
【図６５】本実施例に適用される電子投票装置による投票から終了までの流れの一例を示すシーケンス図である。
【図６６】従来の投票データの生成方法を示す図である。
【符号の説明】
１００選挙データ作成システム
１０１選挙データ管理作成機
１０２選挙データメディアコピー機
２００投票所システム
２０１投票カード発券機（カード発券機）
２０２発券機用メディア
２０３電子投票装置
３００開票所システム
３０１投票データ収集・集計機
４００選挙データマスター
４０１候補者データ
４０１ａ１候補者テーブル
４０１ｂ政党テーブル
４０１ｃ投票所グループテーブル
４０１ｄ固定画面レイアウトテーブル
４０１ｅ１投票画面レイアウトテーブル
４０１ｆ表示メッセージテーブル
４０２実施選挙の種類（選挙種データ）
４０３カード認証キー（認証キー）
４０４電子投票プログラム（投票プログラム）
４０５運用カード（管理者カード）
４０６投票カード
４０７投票データ
４０８原本用記録媒体（原本）
４０９複写用記録媒体（副本、複写、複製）
４１１オペレーティングシステム（ＯＳ）
４１２シリアルＩ／Ｏ制御部
４１３ウインドウ制御部
４１４ファイル制御部
４１５カード制御部
４１６タッチパネル制御プログラム
４１７プリンタ制御プログラム
４１８ジャンクションボックス制御プログラム
４３１カード読取部
４３２選挙データ読込部
４３３投票画面作成部
４３４投票データ記録部
４３５投票制御部
４３６ローディングプログラム（プログラムローダー）
４５０マザーボード
４５１ＣＰＵ
４５２ＲＯＭ
４５３ＲＡＭ（ＲＡＭディスク）
４５４シリコンディスク（システムディスク）
４５４ｂローカルディスク領域
４５５ジャンクション基板
４５６ＶＲＡＭ（ビデオＲＡＭ）
４５７ＣＬＯＣＫ（内蔵クオーツ時計）
５０４発券プログラム
５３１発券機メディア読取部
５３２カード読取部
５３３投票所ＩＤ生成部
５３４発券データ記録部
５３５発券制御部
２０１１発券機ディスプレイ
２０１２発券機カードリーダライタ
２０２１選挙人特性ＩＤ（身体障害特性）
２０２２投票フラグ
２０３０フロントドア
２０３０ａ　南京錠
２０３０ｂ　ロックブラケット
２０３１ディスプレイユニット
２０３１ａスタイラスペン
２０３１ｂペンホルダ
２０３２カード記録読取手段（カードリーダライタ、カードＲ／Ｗ）
２０３２ａカードガイドＬＥＤ（カード挿入ガイドＬＥＤ）
２０３３スピーカ
２０３３ａボリューム
２０３４投票確定ＬＥＤ（投票確定確認用ＬＥＤ）
２０３５スライドカバー
２０３６ＬＣＤ角度調整アーム
２０３７運動機能障害用プッシュスイッチ端子
２０３８視覚障害者用専用キーボード端子
２０３９ヘッドホン端子
４０５５投票所ＩＤ（管理ＩＤ，管理識別ＩＤ，管理識別コード、乱数）
４０７５投票ログ
２０１１７ＣＰＵ（発券機）
２０１１８ＲＡＭ（発券機）
２０１１９ＨＤＤ（発券機）
２０１２０乱数発生器
２０３０１状態表示灯
２０３０１ａ電源表示灯
２０３０１ｂ操作表示灯
２０３０１ｃポール
２０３０１ｄ状態表示灯ケーブル
２０３０２外部ディスプレイ端子
２０３０３原本用記録媒体用スロット
２０３０４複写用記録媒体用スロット
２０３０５報知手段
２０３０６入力手段
２０３０７シリコンディスク格納部
２０３０８電源ＬＥＤ（ＡＣ電源供給監視用ＬＥＤ）
２０３１０フロントドア開閉センサ
２０３１１ＬＣＤ（液晶ディスプレイ）
２０３１２インバータ
２０３１３タッチパネル
２０３１４内蔵電池（内部バッテリ）
２０３１５直流電源（ＤＣ電源）
２０３１６交流電源（ＡＣ電源）
２０３７１運動機能障害用プッシュスイッチ
２０３８１視覚障害者用専用キーボード
２０３９１音量調整付きヘッドホン（ヘッドホン）
【図１】
2004005277.tif 000003
【図２】
2004005277.tif 000004
【図３】
2004005277.tif 000005
【図４】
2004005277.tif 000006
【図５】
2004005277.tif 000007
【図６】
2004005277.tif 000008
【図７】
2004005277.tif 000009
【図８】
2004005277.tif 000010
【図９】
2004005277.tif 000011
【図１０】
2004005277.tif 000012
【図１１】
2004005277.tif 000013
【図１２】
2004005277.tif 000014
【図１３】
2004005277.tif 000015
【図１４】
2004005277.tif 000016
【図１５】
2004005277.tif 000017
【図１６】
2004005277.tif 000018
【図１７】
2004005277.tif 000019
【図１８】
2004005277.tif 000020
【図１９】
2004005277.tif 000021
【図２０】
2004005277.tif 000022
【図２１】
2004005277.tif 000023
【図２２】
2004005277.tif 000024
【図２３】
2004005277.tif 000025
【図２４】
2004005277.tif 000026
【図２５】
2004005277.tif 000027
【図２６】
2004005277.tif 000028
【図２７】
2004005277.tif 000029
【図２８】
2004005277.tif 000030
【図２９】
2004005277.tif 000031
【図３０】
2004005277.tif 000032
【図３１】
2004005277.tif 000033
【図３２】
2004005277.tif 000034
【図３３】
2004005277.tif 000035
【図３４】
2004005277.tif 000036
【図３５】
2004005277.tif 000037
【図３６】
2004005277.tif 000038
【図３７】
2004005277.tif 000039
【図３８】
2004005277.tif 000040
【図３９】
2004005277.tif 000041
【図４０】
2004005277.tif 000042
【図４１】
2004005277.tif 000043
【図４２】
2004005277.tif 000044
【図４３】
2004005277.tif 000045
【図４４】
2004005277.tif 000046
【図４５】
2004005277.tif 000047
【図４６】
2004005277.tif 000048
【図４７】
2004005277.tif 000049
【図４８】
2004005277.tif 000050
【図４９】
2004005277.tif 000051
【図５０】
2004005277.tif 000052
【図５１】
2004005277.tif 000053
【図５２】
2004005277.tif 000054
【図５３】
2004005277.tif 000055
【図５４】
2004005277.tif 000056
【図５５】
2004005277.tif 000057
【図５６】
2004005277.tif 000058
【図５７】
2004005277.tif 000059
【図５８】
2004005277.tif 000060
【図５９】
2004005277.tif 000061
【図６０】
2004005277.tif 000062
【図６１】
2004005277.tif 000063
【図６２】
2004005277.tif 000064
【図６３】
2004005277.tif 000065
【図６４】
2004005277.tif 000066
【図６５】
2004005277.tif 000067
【図６６】
2004005277.tif 000068